(57)【特許請求の範囲】
【請求項１】
無線機器コントローラ（ＲＥＣ）であって、
第１の無線機器（第１のＲＥ）と通信するために前記ＲＥＣによって使用される主回線に障害があると決定する第１の決定ユニットであり、前記主回線は共通公衆無線インタフェース（ＣＰＲＩ）通信回線である、第１の決定ユニットと、
前記第１のＲＥと通信するために前記ＲＥＣによって使用される予備回線を決定する第２の決定ユニットであり、前記予備回線は電力ケーブル線である、又は、電力ケーブルに加えてＣＰＲＩ通信回線である、第２の決定ユニットと、
前記予備回線を使用することによって前記第１のＲＥと通信する通信ユニットとを備え、
前記第１の決定ユニットは、第１の送信サブユニット、第１の受信サブユニット、及び第１の決定サブユニットを含み、前記第１の送信サブユニットは、ＣＰＲＩポートを介して、又は、電力ケーブルポート及びＣＰＲＩポートを介して、全ての制御されたＲＥに固有のアドレス指定要求メッセージを送信し、前記第１の受信サブユニットは、前記第１のＲＥを含む少なくとも１つのＲＥからアドレス指定応答メッセージを受信し、
前記第１の決定サブユニットは、前記第１のＲＥから前記第１の受信サブユニットによって受信された少なくとも１つのアドレス指定応答メッセージの経路が、前記主回線を含まないと決定された場合、前記第１のＲＥと通信するために使用される前記主回線に障害があると決定し、
前記第２の決定ユニットは、前記第１のＲＥから前記第１の受信サブユニットによって受信された前記少なくとも１つのアドレス指定応答メッセージの前記経路が前記主回線を含まない場合、前記第１のＲＥと通信するために使用される前記予備回線を前記少なくとも１つのアドレス指定応答メッセージの前記経路に従って決定する、ＲＥＣ。
【請求項２】
前記第１の送信サブユニットは具体的に、
前記ＲＥＣと同じ電力ケーブル網に属するＲＥが全ての前記ＲＥの中に存在する場合、前記ＣＰＲＩポート及び前記電力ケーブルポートを介して、全ての前記ＲＥに固有の前記アドレス指定要求メッセージを送信する、又は、
前記ＲＥＣと同じ電力ケーブル網に属するＲＥが、全ての前記ＲＥの中に存在しない場合、前記ＣＰＲＩポートを介して、又は、前記ＣＰＲＩポート及び前記電力ケーブルポートを介して、全ての前記ＲＥに固有の前記アドレス指定要求メッセージを送信する、請求項１に記載のＲＥＣ。
【請求項３】
前記第２の決定ユニットは具体的に、
前記第１のＲＥから初回に前記第１の受信サブユニットによって受信されたアドレス指定応答メッセージの経路は、前記第１のＲＥと通信するために使用される前記予備回線であると決定する、請求項１又は２に記載のＲＥＣ。
【請求項４】
無線機器（ＲＥ）であって、
無線機器コントローラ（ＲＥＣ）によって送信されたアドレス指定要求メッセージを、アップリンク共通公衆無線インタフェース（ＣＰＲＩ）ポート又は電力ケーブルポートである第１のポートを介して受信する受信ユニットと、
前記アドレス指定要求メッセージがそれに対して固有である対象が前記ＲＥを含むと、前記受信ユニットによって受信された前記アドレス指定要求メッセージに従って決定する決定ユニットと、
前記第１のポートを介して、第１のアドレス指定応答メッセージをＲＥＣに送信する送信ユニットとを備え、
前記第１のアドレス指定応答メッセージを受信することに応じて、前記ＲＥＣは、前記第１のアドレス指定応答メッセージの経路が前記ＲＥと前記ＲＥＣとの間で通信するために使用される主回線を含まないと決定された場合、前記主回線に障害があると決定するとともに、前記第１のアドレス指定応答メッセージの経路が前記主回線を含まない場合、前記ＲＥと前記ＲＥＣとの間で通信するために使用される予備回線を前記第１のアドレス指定応答メッセージの経路に従って決定し、前記予備回線は電力ケーブル線である、又は、電力ケーブルに加えてＣＰＲＩ通信回線である、ＲＥ。
【請求項５】
前記決定ユニットは更に、前記アドレス指定要求メッセージがそれに対して固有である前記対象が更に別のＲＥを含むと、前記アドレス指定要求メッセージに従って決定し、
前記送信ユニットは更に、前記第１のポートがアップリンク共通公衆無線インタフェース（ＣＰＲＩ）ポートである場合、ダウンリンクＣＰＲＩポート及び電力ケーブルポートを介して、前記アドレス指定要求メッセージを転送する、
請求項４に記載のＲＥ。
【請求項６】
前記送信ユニットが、前記ダウンリンクＣＰＲＩポート及び前記電力ケーブルポートを介して、前記アドレス指定要求メッセージを転送する前に、前記送信ユニットは更に、前記ＲＥにおける転送経路についての情報を前記アドレス指定要求メッセージに追加し、
前記送信ユニットが、前記ダウンリンクＣＰＲＩポート及び前記電力ケーブルポートを介して、前記アドレス指定要求メッセージを転送した後、前記受信ユニットは更に、前記ダウンリンクＣＰＲＩポートを介して、又は、前記電力ケーブルポートを介して、前記ＲＥにおける前記転送経路のメッセージを保持する第２のアドレス指定応答メッセージを受信し、
前記送信ユニットは更に、前記ＲＥにおける前記転送経路についての前記情報に従って、前記第２のアドレス指定応答メッセージを転送する、
請求項５に記載のＲＥ。
【請求項７】
前記受信ユニットは更に、前記ダウンリンクＣＰＲＩポート又は前記電力ケーブルポートを介して第２のアドレス指定応答メッセージを受信し、
前記送信ユニットは更に、アップリンクＣＰＲＩポートを介して、前記第２のアドレス指定応答メッセージを転送する、
請求項５に記載のＲＥ。
【請求項８】
前記アドレス指定要求メッセージは、前記ＲＥＣから前記ＲＥへの転送経路についての情報を保持し、
前記送信ユニットが、前記第１のポートを介して、前記第１のアドレス指定応答メッセージを前記ＲＥＣに送信する前に、前記第１のアドレス指定応答メッセージが前記アドレス指定要求メッセージの逆経路に従って前記ＲＥＣに返されるよう、前記送信ユニットは更に、前記ＲＥＣから前記ＲＥへの前記転送経路についての前記情報を前記第１のアドレス指定応答メッセージに追加する、請求項４から７の何れか一項に記載のＲＥ。
【請求項９】
情報送信方法であって、
第１の無線機器（第１のＲＥ）と通信するために使用される主回線に障害があると、無線機器コントローラ（ＲＥＣ）によって決定する段階であり、前記主回線は共通公衆無線インタフェース（ＣＰＲＩ）通信回線である、段階と、
前記第１のＲＥと通信するために使用される予備回線を、前記ＲＥＣによって決定する段階であり、前記予備回線は電力ケーブル線である、又は、電力ケーブルに加えてＣＰＲＩ通信回線である、段階と、
前記予備回線を使用することによって、前記第１のＲＥと、前記ＲＥＣによって通信する段階と、を備え、
第１のＲＥと通信するために使用される主回線に障害があると、ＲＥＣによって決定する前記段階は、ＣＰＲＩポートを介して、又は、電力ケーブルポート及びＣＰＲＩポートを介して、全ての制御されたＲＥに固有のアドレス指定要求メッセージを前記ＲＥＣによって送信する段階と、前記第１のＲＥを含む少なくとも１つのＲＥからアドレス指定応答メッセージを前記ＲＥＣによって受信する段階と、前記第１のＲＥからの少なくとも１つのアドレス指定応答メッセージの経路が前記主回線を含まない場合、前記第１のＲＥと通信するために使用される前記主回線に障害があると、前記ＲＥＣによって決定する段階とを含み、
前記第１のＲＥと通信するために使用される予備回線を前記ＲＥＣによって決定する前記段階は、前記第１のＲＥからの前記少なくとも１つのアドレス指定応答メッセージの前記経路が前記主回線を含まない場合、前記第１のＲＥと通信するために使用される前記予備回線を前記少なくとも１つのアドレス指定応答メッセージの前記経路に従って前記ＲＥＣによって決定する段階を含む、方法。
【請求項１０】
ＣＰＲＩポートを介して、又は、電力ケーブルポート及びＣＰＲＩポートを介して、全ての制御されたＲＥに固有のアドレス指定要求メッセージを前記ＲＥＣによって送信する前記段階は、
前記ＲＥＣと同じ電力ケーブル網に属するＲＥが全ての前記ＲＥの中に存在する場合、前記ＣＰＲＩポート及び前記電力ケーブルポートを介して、全ての前記ＲＥに固有の前記アドレス指定要求メッセージを前記ＲＥＣによって送信する段階、又は、
前記ＲＥＣと同じ電力ケーブル網に属するＲＥが全ての前記ＲＥの中に存在しない場合、前記ＣＰＲＩポートを介して、又は、前記ＣＰＲＩポート及び前記電力ケーブルポートを介して、全ての前記ＲＥに固有の前記アドレス指定要求メッセージを前記ＲＥＣによって送信する段階を含む、請求項９に記載の方法。
【請求項１１】
前記第１のＲＥと通信するために使用される予備回線を、前記ＲＥＣによって決定する前記段階は、
前記第１のＲＥから初回に受信されたアドレス指定応答メッセージの経路が、前記第１のＲＥと通信するために使用された前記予備回線であると、前記ＲＥＣによって決定する段階を含む、請求項９又は１０に記載の方法。
【発明の詳細な説明】
【技術分野】
【０００１】
本発明は、通信分野に関し、より具体的には、情報送信方法、無線機器コントローラ、無線機器、及び基地局に関する。
【背景技術】
【０００２】
基地局は、無線機器コントローラ（Ｒａｄｉｏ  Ｅｑｕｉｐｍｅｎｔ  Ｃｏｎｔｒｏｌｌｅｒ、ＲＥＣ）及び無線機器（Ｒａｄｉｏ  Ｅｑｕｉｐｍｅｎｔ、ＲＥ）の２つの部分に分割される。ＲＥＣ及びＲＥは一般に、光通信回線を使用することによって、カスケード方式で接続される。この方式では、一旦、通信回線の何れかの位置で障害が発生すると、ＲＥＣは、その障害位置以降の何れのＲＥとも通信することができず、人力での現場処理が要求され、このことは、高額な現場維持費をもたらし、サービス中断時間を増やし、ユーザエクスペリエンスに影響を与える。
【発明の概要】
【０００３】
本発明の実施形態は、情報送信方法、無線機器コントローラ、無線機器、及び基地局を提供し、これらは、現場維持費を低減し、サービス中断イベントを減らし、ユーザエクスペリエンスを改善できる。
【０００４】
第１態様では、無線機器コントローラＲＥＣが提供される。当該無線機器コントローラは、第１の無線機器ＲＥと通信するためにＲＥＣによって使用される主回線に障害があると決定するよう構成される第１の決定ユニットと、第１のＲＥと通信するためにＲＥＣによって使用される予備回線を決定するよう構成される第２の決定ユニットと、予備回線を使用することによって第１のＲＥと通信するよう構成される通信ユニットとを備える。
【０００５】
第１態様に関して、第１態様の第１の可能な実施方式において、主回線は、共通公衆無線インタフェース（Ｃｏｍｍｏｎ  Ｐｕｂｌｉｃ  Ｒａｄｉｏ  Ｉｎｔｅｒｆａｃｅ、ＣＰＲＩ）ＣＰＲＩ通信回線であり、予備回線は電力ケーブル線である、又は電力ケーブルに加えてＣＰＲＩ通信回線である。
【０００６】
第１態様の第１の可能な実施方式に関して、第１態様の第２の可能な実施方式において、第１の決定ユニットは、第１の送信サブユニット、第１の受信サブユニット、及び第１の決定サブユニットを含み、ここで、第１の送信サブユニットは、ＣＰＲＩポートを介して、又は、電力ケーブルポート及びＣＰＲＩポートを介して、全ての制御されたＲＥに固有のアドレス指定要求メッセージを送信するよう構成されており、第１の受信サブユニットは、第１のＲＥを含む少なくとも１つのＲＥからアドレス指定応答メッセージを受信するよう構成されており、第１の決定サブユニットは、第１のＲＥから第１の受信サブユニットによって受信された少なくとも１つのアドレス指定応答メッセージの経路が主回線を含まないと決定された場合、第１のＲＥと通信するために使用される主回線に障害があると決定するよう構成されており、
第２の決定ユニットは、具体的に、第１のＲＥから第１の受信サブユニットによって受信された少なくとも１つのアドレス指定応答メッセージの経路が主回線を含まない場合、第１のＲＥと通信するために使用される予備回線を、少なくとも１つのアドレス指定応答メッセージの経路に従って決定するよう構成されている。
【０００７】
第１態様の第２の可能な実施方式に関して、第１態様の第３の可能な実施方式において、第１の送信サブユニットは、具体的に、
ＲＥＣと同じ電力ケーブル網に属するＲＥが全てのＲＥの中に存在する場合、ＣＰＲＩポート及び電力ケーブルポートを介して、全てのＲＥに固有のアドレス指定要求メッセージを送信する、又は、
ＲＥＣと同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージを送信するよう構成されている。
【０００８】
第１態様の第２又は第３の可能な実施方式に関して、第１態様の第４の可能な実施方式において、第２の決定ユニットは、具体的に、
第１のＲＥから受信サブユニットによって初回に受信されたアドレス指定応答メッセージの経路が、第１のＲＥと通信するために使用される予備回線であると決定するよう構成されている。
【０００９】
第１態様の第１の可能な実施方式に関して、第１態様の第５の可能な実施方式において、第２の決定ユニットは、
第１のＲＥと通信するためにＲＥＣによって使用される主回線に障害があると第１の決定ユニットが決定した後、電力ケーブルポート及びＣＰＲＩポートの少なくとも１つを介して第１のＲＥに固有のアドレス指定要求メッセージを送信するよう構成される第２の送信サブユニットと、
第１のＲＥから少なくとも１つのアドレス指定応答メッセージを受信するよう構成される第２の受信サブユニットと、
第１のＲＥと通信するために使用される予備回線を、第２の受信サブユニットによって受信された少なくとも１つのアドレス指定応答メッセージの経路に従って決定するよう構成される第２の決定サブユニットとを含む。
【００１０】
第１態様の第５の可能な実施方式に関して、第１態様の第６の可能な実施方式において、第２の送信サブユニットは、具体的に、ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージを送信する、又は、
ＲＥＣと第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージを送信するよう構成されている。
【００１１】
第１態様の第５又は第６の可能な実施方式に関して、第１態様の第７の可能な実施方式において、第２の決定サブユニットは、具体的に、
第１のＲＥから第２の受信サブユニットによって初回に受信されたアドレス指定応答メッセージの経路が、第１のＲＥと通信するために使用される予備回線であると決定するよう構成されている。
【００１２】
第１態様、又は、第１態様の第１の可能な実施方式から第７の可能な実施方式の何れかの可能な実施方式に関して、第１態様の第８の可能な実施方式において、通信ユニットは、具体的に、
第１のＲＥをリセット又はアップグレードし、ＲＥＣによって使用される主回線を復旧して、第１のＲＥと通信するように、予備回線を通じてインジケーション情報を第１のＲＥに送信するよう構成されている。
【００１３】
第２態様では、ＲＥが提供される。当該ＲＥは、
無線機器コントローラＲＥＣによって送信されたアドレス指定要求メッセージを第１のポートを介して受信するよう構成される受信ユニットであって、第１のポートはアップリンクＣＰＲＩポート又は電力ケーブルポートである、受信ユニットと、
当該アドレス指定要求メッセージがそれに対して固有である対象がＲＥを含むと、受信ユニットによって受信されたアドレス指定要求メッセージに従って決定するよう構成される決定ユニットと、
第１のポートを介して第１のアドレス指定応答メッセージをＲＥＣに送信するよう構成される送信ユニットとを備える。
【００１４】
第２態様に関して、第２態様の第１の可能な実施方式において、決定ユニットは更に、当該アドレス指定要求メッセージがそれに対して固有である対象が更に別のＲＥを含むと、アドレス指定要求メッセージに従って決定するよう構成されており、
送信ユニットは更に、第１のポートがアップリンク共通公衆無線インタフェースＣＰＲＩポートである場合、ダウンリンクＣＰＲＩポート及び電力ケーブルポートを介してアドレス指定要求メッセージを転送するよう構成されている。
【００１５】
第２態様の第１の可能な実施方式に関して、第２態様の第２の可能な実施方式において、送信ユニットが、ダウンリンクＣＰＲＩポート及び電力ケーブルポートを介してアドレス指定要求メッセージを転送する前に、送信ユニットは更に、ＲＥにおける転送経路についての情報をアドレス指定要求メッセージに追加するよう構成されており、
送信ユニットが、ダウンリンクＣＰＲＩポート及び電力ケーブルポートを介してアドレス指定要求メッセージを転送した後で、受信ユニットは更に、ダウンリンクＣＰＲＩポートを介して、又は、電力ケーブルポートを介して第２のアドレス指定応答メッセージを受信するよう構成されており、ここで、第２のアドレス指定応答メッセージは、ＲＥにおける転送経路のメッセージを保持し、送信ユニットは更に、ＲＥにおける転送経路についての情報に従って、第２のアドレス指定応答メッセージを転送するよう構成されている。
【００１６】
第２態様の第１の可能な実施方式に関して、第２態様の第３の可能な実施方式において、受信ユニットは更に、ダウンリンクＣＰＲＩポート又は電力ケーブルポートを介して第２のアドレス指定応答メッセージを受信するよう構成されており、
送信ユニットは更に、アップリンクＣＰＲＩポートを介して第２のアドレス指定応答メッセージを転送するよう構成されている。
【００１７】
第２態様、又は、第２態様の上述の可能な実施方式の何れか１つに関して、第２態様の第４の可能な実施方式において、アドレス指定要求メッセージは、ＲＥＣからＲＥへの転送経路についての情報を保持し、
送信ユニットが第１のアドレス指定応答メッセージを第１のポートを介してＲＥＣに送信する前に、送信ユニットは更に、第１のアドレス指定応答メッセージが、アドレス指定要求メッセージの逆経路に従ってＲＥＣに返されるように、ＲＥＣからＲＥへの転送経路についての情報を第１のアドレス指定応答メッセージに追加するよう構成されている。
【００１８】
第３態様では、無線機器ＲＥが提供される。ＲＥは、
無線機器コントローラＲＥＣによって送信されたアドレス指定要求メッセージを第１のポートを介して受信するよう構成される受信ユニットと、
当該アドレス指定要求メッセージがそれに対して固有である対象がＲＥを含まないと、アドレス指定要求メッセージに従って決定するよう構成される決定ユニットと、
第１のポートがアップリンク共通公衆無線インタフェースＣＰＲＩポートである場合、電力ケーブルポート及びダウンリンクＣＰＲＩポートを介してアドレス指定要求メッセージを転送するよう構成される送信ユニットとを備える。
【００１９】
第３態様に関して、第３態様の第１の可能な実施方式において、送信ユニットは更に、
第１のポートが電力ケーブルポートである場合、アドレス指定要求メッセージを破棄するよう構成されている。
【００２０】
第３態様、又は、第３態様の第１の可能な実施方式に関して、第３態様の第２の可能な実施方式において、送信ユニットが、電力ケーブルポート及びダウンリンクＣＰＲＩポートを介してアドレス指定要求メッセージを転送する前に、送信ユニットは更に、ＲＥにおける転送経路についての情報をアドレス指定要求メッセージに追加するよう構成されており、
送信ユニットが、電力ケーブルポート及びダウンリンクＣＰＲＩポートを介してアドレス指定要求メッセージを転送した後で、受信ユニットは更に、ダウンリンクＣＰＲＩポート又は電力ケーブルポートを介して、ＲＥにおける転送経路についての情報を保持するアドレス指定応答メッセージを受信するよう構成されており、
送信ユニットは更に、ＲＥにおける転送経路についての情報に従って、アドレス指定応答メッセージを転送するよう構成されている。
【００２１】
第３態様、又は、第３態様の第１の可能な実施方式に関して、第３態様の第３の可能な実施方式において、送信ユニットが、電力ケーブルポート及びダウンリンクＣＰＲＩポートを介してアドレス指定要求メッセージを転送した後、受信ユニットは更に、ダウンリンクＣＰＲＩポート又は電力ケーブルポートを介してアドレス指定応答メッセージを受信するよう構成されており、
送信ユニットは更に、アップリンクＣＰＲＩポートを介してアドレス指定応答メッセージを転送するよう構成されている。
【００２２】
第４態様では、ＲＥＣが提供される。当該ＲＥＣは、メモリ、プロセッサ、及び送受信機を備え、ここで、メモリは、プログラムコードを格納し、プロセッサは、メモリ内のプログラムコードを呼び出して、
第１の無線機器ＲＥと通信するためにＲＥＣによって使用される主回線に障害があると決定する処理、
第１のＲＥと通信するためにＲＥＣによって使用される予備回線を決定する処理、
予備回線を使用することによって、第１のＲＥと、送受信機を制御することによって通信する処理を実行する。
【００２３】
第４態様に関して、第４態様の第１の可能な実施方式において、主回線は、共通公衆無線インタフェースＣＰＲＩ通信回線であり、予備回線は電力ケーブル線である、又は、電力ケーブルに加えてＣＰＲＩ通信回線である。
【００２４】
第４態様の第１の可能な実施方式に関して、第４態様の第２の可能な実施方式において、プロセッサはメモリ内のプログラムコードを呼び出して、具体的に、
ＣＰＲＩポートを介して、又は、電力ケーブルポート及びＣＰＲＩポートを介して、全ての制御されたＲＥに固有のアドレス指定要求メッセージを送信するよう送受信機を制御する処理と、
第１のＲＥを含む少なくとも１つのＲＥからアドレス指定応答メッセージを受信するよう送受信機を制御する処理と、
第１のＲＥからの少なくとも１つのアドレス指定応答メッセージの経路が主回線を含まない場合、第１のＲＥと通信するために使用される主回線に障害があり、
第１のＲＥからの少なくとも１つのアドレス指定応答メッセージの経路が主回線を含まない場合、少なくとも１つのアドレス指定応答メッセージの経路に従って、第１のＲＥと通信するために使用される予備回線を決定する処理とを実行する。
【００２５】
第４態様の第２の可能な実施方式に関して、第４態様の第３の可能な実施方式において、プロセッサはメモリ内のプログラムコードを呼び出して、具体的に、
ＲＥＣと同じ電力ケーブル網に属するＲＥが全てのＲＥの中に存在する場合、ＣＰＲＩポート及び電力ケーブルポートを介して、全てのＲＥに固有のアドレス指定要求メッセージを送信するよう送受信機を制御する処理、又は、
ＲＥＣと同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージを送信するよう送受信機を制御する処理を実行する。
【００２６】
第４態様の第２又は第３の可能な実施方式に関して、第４態様の第４の可能な実施方式において、プロセッサはメモリ内のプログラムコードを呼び出して、具体的に、
第１のＲＥから初回に受信されたアドレス指定応答メッセージの経路が、第１のＲＥと通信するために使用される予備回線であると決定する処理を実行する。
【００２７】
第４態様の第１の可能な実施方式に関して、第４態様の第５の可能な実施方式において、プロセッサはメモリ内のプログラムコードを呼び出して、具体的に、
第１のＲＥと通信するために使用される主回線に障害があると決定された後、電力ケーブルポート及びＣＰＲＩポートの少なくとも１つを介して、第１のＲＥに固有のアドレス指定要求メッセージを送信するよう送受信機を制御する処理、
第１のＲＥからの少なくとも１つのアドレス指定応答メッセージを受信するよう送受信機を制御する処理、及び
少なくとも１つのアドレス指定応答メッセージの経路に従って、第１のＲＥと通信するために使用される予備回線を決定する処理を実行する。
【００２８】
第４態様の第５の可能な実施方式に関して、第４態様の第６の可能な実施方式において、プロセッサはメモリ内のプログラムコードを呼び出して、具体的に、
ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージを送信するよう送受信機を制御する処理、又は、
ＲＥＣと第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージを送信するよう送受信機を制御する処理を実行する。
【００２９】
第４態様の第５又は第６の可能な実施方式に関して、第４態様の第７の可能な実施方式において、プロセッサはメモリ内のプログラムコードを呼び出して、具体的に、
第１のＲＥから初回に受信されたアドレス指定応答メッセージの経路が、第１のＲＥと通信するために使用される予備回線であると決定する処理を実行する。
【００３０】
第４態様、又は、第４態様の上述の可能な実施方式の何れか１つに関して、第４態様の第８の可能な実施方式において、プロセッサはメモリ内のプログラムコードを呼び出して、具体的に、
第１のＲＥをリセット又はアップグレードし、ＲＥＣによって使用される主回線を復旧して、第１のＲＥと通信するように、予備回線を通じてインジケーション情報を第１のＲＥに送信する処理を実行する。
【００３１】
第５態様では、ＲＥが提供される。当該ＲＥは、メモリ、プロセッサ、及び送受信機を備える。メモリはプログラムコードを格納し、プロセッサはメモリ内のプログラムコードを呼び出して、
アップリンクＣＰＲＩポート又は電力ケーブルポートである第１のポートを介して、無線機器コントローラＲＥＣによって送信されたアドレス指定要求メッセージを受信するよう送受信機を制御する処理、
アドレス指定要求メッセージに従って、当該アドレス指定要求メッセージがそれに対して固有である対象がＲＥを含むと決定する処理、及び、
第１のポートを介して、第１のアドレス指定応答メッセージをＲＥＣに送信するよう送受信機を制御する処理を実行する。
【００３２】
第５態様に関して、第５態様の第１の可能な実施方式において、プロセッサはメモリ内のプログラムコードを呼び出して、更に、
アドレス指定要求メッセージに従って、当該アドレス指定要求メッセージがそれに対して固有である対象が更に別のＲＥを含むと決定する処理、及び、
第１のポートが、アップリンク共通公衆無線インタフェースＣＰＲＩポートである場合、ダウンリンクＣＰＲＩポート及び電力ケーブルポートを介して、アドレス指定要求メッセージを転送するよう送受信機を制御する処理を実行する。
【００３３】
第５態様の第１の可能な実施方式に関して、第５態様の第２の可能な実施方式において、送受信機が、ダウンリンクＣＰＲＩポート及び電力ケーブルポートを介して、アドレス指定要求メッセージを転送するよう制御される前に、プロセッサはメモリ内のプログラムコードを呼び出して、更に、
ＲＥにおける転送経路についての情報をアドレス指定要求メッセージに追加する処理を実行し、
送受信機が、ダウンリンクＣＰＲＩポート及び電力ケーブルポートを介して、アドレス指定要求メッセージを転送するよう制御された後、プロセッサはメモリ内のプログラムコードを呼び出して、更に、
ダウンリンクＣＰＲＩポートを介して、又は電力ケーブルポートを介して、ＲＥにおける転送経路のメッセージを保持する第２のアドレス指定応答メッセージを受信するよう送受信機を制御し、ＲＥにおける転送経路についての情報に従って第２のアドレス指定応答メッセージを転送する処理を実行する。
【００３４】
第５態様の第１の可能な実施方式に関して、第５態様の第３の可能な実施方式において、プロセッサはメモリ内のプログラムコードを呼び出して、更に、
ダウンリンクＣＰＲＩポート又は電力ケーブルポートを介して、第２のアドレス指定応答メッセージを受信するよう送受信機を制御する処理、及び、
アップリンクＣＰＲＩポートを介して、第２のアドレス指定応答メッセージを転送するよう送受信機を制御する処理を実行する。
【００３５】
第５態様、又は、第５態様の上述の可能な実施方式の何れか１つに関して、第５態様の第４の可能な実施方式において、アドレス指定要求メッセージは、ＲＥＣからＲＥへの転送経路についての情報を保持し、
送受信機が、第１のポートを介して、第１のアドレス指定応答メッセージをＲＥＣに送信するよう制御される前に、プロセッサはメモリ内のプログラムコードを呼び出して、更に、
第１のアドレス指定応答メッセージが、アドレス指定要求メッセージの逆経路に従ってＲＥＣに返されるように、ＲＥＣからＲＥへの転送経路についての情報を第１のアドレス指定応答メッセージに追加する処理を実行する。
【００３６】
第６態様では、ＲＥが提供される。当該ＲＥは、メモリ、プロセッサ、及び送受信機を備え、ここで、メモリはプログラムコードを格納し、プロセッサはメモリプログラムコードを呼び出して、
無線機器コントローラＲＥＣによって送信されたアドレス指定要求メッセージを、第１のポートを介して受信するよう送受信機を制御する処理、
当該アドレス指定要求メッセージがそれに対して固有である対象がＲＥを含まないと、アドレス指定要求メッセージに従って決定する処理、及び
第１のポートが、アップリンク共通公衆無線インタフェースＣＰＲＩポートである場合、電力ケーブルポート及びダウンリンクＣＰＲＩポートを介して、アドレス指定要求メッセージを転送するよう送受信機を制御する処理を実行する。
【００３７】
第６態様に関して、第６態様の第１の可能な実施方式において、プロセッサはメモリ内のプログラムコードを呼び出して、更に、
第１のポートが電力ケーブルポートである場合、アドレス指定要求メッセージを破棄する処理を実行する。
【００３８】
第６態様、又は、第６態様の第１の可能な実施方式に関して、第６態様の第２の可能な実施方式において、送受信機が、電力ケーブルポート及びダウンリンクＣＰＲＩポートを介して、アドレス指定要求メッセージを転送するよう制御される前に、プロセッサはメモリ内のプログラムコードを呼び出して、更に、
ＲＥにおける転送経路についての情報をアドレス指定要求メッセージに追加する処理を実行し、
送受信機が、電力ケーブルポート及びダウンリンクＣＰＲＩポートを介して、アドレス指定要求メッセージを転送するよう制御された後、プロセッサはメモリ内のプログラムコードを呼び出して、更に、
ダウンリンクＣＰＲＩポート又は電力ケーブルポートを介して、ＲＥにおける転送経路についての情報を保持するアドレス指定応答メッセージを受信するよう送受信機を制御する処理、及び
ＲＥにおける転送経路についての情報に従って、アドレス指定応答メッセージを転送する処理を実行する。
【００３９】
第６態様、又は、第６態様の第１の可能な実施方式に関して、第６態様の第３の可能な実施方式において、送受信機が、電力ケーブルポート及びダウンリンクＣＰＲＩポートを介して、アドレス指定要求メッセージを転送するよう制御された後、プロセッサはメモリ内のプログラムコードを呼び出して、更に、
ダウンリンクＣＰＲＩポート又は電力ケーブルポートを介して、アドレス指定応答メッセージを受信するよう送受信機を制御する処理、及び
アップリンクＣＰＲＩポートを介して、アドレス指定応答メッセージを転送するよう送受信機を制御する処理を実行する。
【００４０】
第７態様では、基地局が提供される。当該基地局は、無線機器コントローラＲＥＣ及び少なくとも１つの無線機器ＲＥを備え、ここで、ＲＥＣは、少なくとも１つのＲＥにおける各ＲＥと主回線を通じて通信し、
少なくとも１つのＲＥにおける任意のＲＥと通信するためにＲＥＣによって使用される主回線に障害がある場合、ＲＥＣは、その主回線に障害がある任意のＲＥと通信するために使用される予備回線を決定し、
ＲＥＣは、予備回線を使用することによって、その主回線に障害がある任意のＲＥと通信する。
【００４１】
第７態様に関して、第７態様の第１の可能な実施方式において、主回線は、共通公衆無線インタフェースＣＰＲＩ通信回線であり、予備回線は電力ケーブル線である、又は、電力ケーブルに加えてＣＰＲＩ通信回線である。
【００４２】
第７態様の第１の可能な実施方式に関して、第７態様の第２の可能な実施方式において、ＲＥＣは、ＣＰＲＩポートを介して、又は、電力ケーブルポート及びＣＰＲＩポートを介して、全ての制御されたＲＥに固有のアドレス指定要求メッセージを送信し、
第１のポートを介して、アドレス指定要求メッセージを受信した後、各ＲＥは、アップリンクＣＰＲＩポート又は電力ケーブルポートである第１のポートを介してアドレス指定応答メッセージを送信し、
ＲＥＣは、各ＲＥによって送信されたアドレス指定応答メッセージの経路が主回線を含むかどうかに従って、その主回線に障害があるＲＥを決定し、
ＲＥＣは、その主回線に障害があるＲＥによって送信された少なくとも１つのアドレス指定応答メッセージの経路に従って、その主回線に障害があるＲＥと通信するために使用される予備回線を決定する。
【００４３】
第７態様の第２の可能な実施方式に関して、第７態様の第３の可能な実施方式において、各ＲＥがアドレス指定要求メッセージを受信した後で、かつ、第１のポートがアップリンクＣＰＲＩポートである場合、各ＲＥは、ダウンリンクＣＰＲＩポート及び電力ケーブルポートを介して、アドレス指定要求メッセージを転送する。
【００４４】
第７態様の第３の可能な実施方式に関して、第７態様の第４の可能な実施方式において、ＲＥＣにおける各ＲＥが、ダウンリンクＣＰＲＩポートを介して、又は、電力ケーブルポートを介して、別のＲＥによって送信されたアドレス指定応答メッセージを受信した場合、ＲＥＣにおける各ＲＥは、アップリンクＣＰＲＩポートを介して、別のＲＥによって送信されたアドレス指定応答メッセージを転送する。
【００４５】
第７態様の第３の可能な実施方式に関して、第７態様の第６の可能な実施方式において、各ＲＥが、ダウンリンクＣＰＲＩポート及び電力ケーブルポートを介して、アドレス指定要求メッセージを転送する場合、各ＲＥは、転送経路についての情報をアドレス指定要求メッセージに追加し、これにより、アドレス指定要求メッセージに対応するアドレス指定応答メッセージは、アドレス指定要求メッセージの逆経路に従ってＲＥＣに返される。
【００４６】
第７態様の第２から第５の可能な実施方式の何れか１つに関して、第７態様の第６の可能な実施方式において、ＣＰＲＩポートを介した、又は、電力ケーブルポート及びＣＰＲＩポートを介した、全ての制御されたＲＥに固有のアドレス指定要求メッセージのＲＥＣによる送信は、
ＲＥＣと同じ電力ケーブル網に属するＲＥが全てのＲＥの中に存在する場合、ＣＰＲＩポート及び電力ケーブルポートを介して、全てのＲＥに固有のアドレス指定要求メッセージをＲＥＣによって送信すること、又は、
ＲＥＣと同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージをＲＥＣによって送信することを含む。
【００４７】
第７態様の第２から第６の可能な実施方式の何れか１つに関して、第７態様の第７の可能な実施方式において、その主回線に障害があるＲＥによって送信された少なくとも１つのアドレス指定応答メッセージの経路に従った、その主回線に障害があるＲＥと通信するために使用される予備回線のＲＥＣによる決定は、
その主回線に障害があるＲＥから初回に受信されたアドレス指定応答メッセージの経路が、その主回線に障害があるＲＥと通信するために使用される予備回線であるとＲＥＣによって決定することを含む。
【００４８】
第７態様の第１の可能な実施方式に関して、第７態様の第８の可能な実施方式において、第１のＲＥと通信するために使用される主回線に障害があるとＲＥＣが決定した場合、ＲＥＣは、電力ケーブルポート及びＣＰＲＩポートの少なくとも１つを介して第１のＲＥに固有のアドレス指定要求メッセージを送信し、
第１のＲＥは、アップリンクＣＰＲＩポート又は電力ケーブルポートである第１のポートを介してアドレス指定要求メッセージを受信し、第１のポートを介してアドレス指定応答メッセージを送信し、
ＲＥＣは、第１のＲＥによって送信された少なくとも１つのアドレス指定応答メッセージの経路に従って、第１のＲＥと通信するために使用される予備回線を決定する。
【００４９】
第７態様の第８の可能な実施方式に関して、第７態様の第９の可能な実施方式において、第１のＲＥが、第１のポートを介してアドレス指定要求メッセージを受信する前に、かつ、第１のＲＥの上流のＲＥが、アップリンクＣＰＲＩポートを介してアドレス指定要求メッセージを受信する場合、第１のＲＥの上流のＲＥは、ダウンリンクＣＰＲＩポート及び電力ケーブルポートを介してアドレス指定要求メッセージを転送する。
【００５０】
第７態様の第９の可能な実施方式に関して、第７態様の第１０の可能な実施方式において、第１のＲＥの上流のＲＥが、ダウンリンクＣＰＲＩポート及び電力ケーブルポートを介してアドレス指定要求メッセージを転送する前に、第１のＲＥの上流のＲＥは、上流のＲＥにおける転送経路のメッセージをアドレス指定要求メッセージに追加し、
第１のＲＥが、第１のポートを介してアドレス指定応答メッセージを送信する前に、第１のＲＥは、転送経路のメッセージをアドレス指定応答メッセージに追加し、
第１のＲＥの上流のＲＥがアドレス指定応答メッセージを受信した後で、第１のＲＥの上流のＲＥは、アドレス指定応答メッセージ内の転送経路のメッセージに従って、アドレス指定応答メッセージを転送し、これにより、アドレス指定応答メッセージは、対応するアドレス指定要求メッセージの逆経路に従ってＲＥＣに返される。
【００５１】
第７態様の第８又は第９の可能な実施方式に関して、第７態様の第１１の可能な実施方式において、第１のＲＥの上流のＲＥは、ダウンリンクＣＰＲＩポート又は電力ケーブルポートを介してアドレス指定応答メッセージを受信し、アップリンクＣＰＲＩポートを介してアドレス指定応答メッセージを転送する。
【００５２】
第７態様の第８から第１１の可能な実施方式の何れか１つに関して、第７態様の第１２の可能な実施方式において、第１のＲＥの上流のＲＥが、電力ケーブルポートを介してアドレス指定要求メッセージを受信した場合、アドレス指定要求メッセージを破棄する。
【００５３】
第７態様の第８から第１２の可能な実施方式の何れか１つに関して、第７態様の第１３の可能な実施方式において、電力ケーブルポート及びＣＰＲＩポートの少なくとも１つを介した、第１のＲＥに固有のアドレス指定要求メッセージのＲＥＣによる送信は、
ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージをＲＥＣによって送信すること、又は、
ＲＥＣと第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージをＲＥＣによって送信することを含む。
【００５４】
第７態様、又は、第７態様の上述の可能な実施方式の何れか１つに関して、第７態様の第１４の可能な実施方式において、その主回線に障害がある任意のＲＥとの予備回線を使用することによる、ＲＥＣによる通信は、
その主回線に障害がある任意のＲＥをリセット又はアップグレードして、その主回線に障害がある任意のＲＥの主回線を復旧するように、予備回線を通じて、その主回線に障害がある任意のＲＥに、ＲＥＣによってインジケーション情報を送信することを含む。
【００５５】
第８態様では、情報送信方法が提供でされる。当該方法は、
第１の無線機器ＲＥと通信するために使用される主回線に障害があると無線機器コントローラＲＥＣによって決定する段階と、
第１のＲＥと通信するために使用される予備回線をＲＥＣによって決定する段階と、
予備回線を使用することによって、ＲＥＣによって、第１のＲＥと通信する段階とを備える。
【００５６】
第８態様に関して、第８態様の第１の可能な実施方式において、主回線は、共通公衆無線インタフェースＣＰＲＩ通信回線であり、予備回線は、電力ケーブル線である、又は、電力ケーブルに加えてＣＰＲＩ通信回線である。
【００５７】
第８態様の第１の可能な実施方式に関して、第８態様の第２の可能な実施方式において、第１のＲＥと通信するために使用される主回線に障害があるとＲＥＣによって決定する段階は、ＣＰＲＩポートを介して、又は、電力ケーブルポート及びＣＰＲＩポートを介して、全ての制御されたＲＥに固有のアドレス指定要求メッセージをＲＥＣによって送信する段階と、第１のＲＥを含む少なくとも１つのＲＥからアドレス指定応答メッセージをＲＥＣによって受信する段階と、第１のＲＥからの少なくとも１つのアドレス指定応答メッセージの経路が主回線を含まない場合、第１のＲＥと通信するために使用される主回線に障害があるとＲＥＣによって決定する段階とを含み、
第１のＲＥと通信するために使用される予備回線をＲＥＣによって決定する段階は、第１のＲＥからの少なくとも１つのアドレス指定応答メッセージの経路が主回線を含まない場合、少なくとも１つのアドレス指定応答メッセージの経路に従って、第１のＲＥと通信するために使用される予備回線をＲＥＣによって決定する段階を含む。
【００５８】
第８態様の第２の可能な実施方式に関して、第８態様の第３の可能な実施方式において、ＣＰＲＩポートを介して、又は、電力ケーブルポート及びＣＰＲＩポートを介して、全ての制御されたＲＥに固有のアドレス指定要求メッセージをＲＥＣによって送信する段階は、
ＲＥＣと同じ電力ケーブル網に属するＲＥが全てのＲＥの中に存在する場合、ＣＰＲＩポート及び電力ケーブルポートを介して、全てのＲＥに固有のアドレス指定要求メッセージをＲＥＣによって送信する段階、又は、
ＲＥＣと同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージをＲＥＣによって送信する段階を含む。
【００５９】
第８態様の第２又は第３の可能な実施方式に関して、第８態様の第４の可能な実施方式において、第１のＲＥと通信するために使用される予備回線をＲＥＣによって決定する段階は、
第１のＲＥから初回に受信されたアドレス指定応答メッセージの経路が、第１のＲＥと通信するために使用される予備回線であるとＲＥＣによって決定する段階を含む。
【００６０】
第８態様の第１の可能な実施方式に関して、第８態様の第５の可能な実施方式において、第１のＲＥと通信するために使用される予備回線をＲＥＣによって決定する段階は、
第１のＲＥと通信するために使用される主回線に障害があるとＲＥＣが決定した後、電力ケーブルポート及びＣＰＲＩポートの少なくとも１つを介して、第１のＲＥに固有のアドレス指定要求メッセージをＲＥＣによって送信する段階と、
第１のＲＥから少なくとも１つのアドレス指定応答メッセージをＲＥＣによって受信する段階と、
少なくとも１つのアドレス指定応答メッセージの経路に従って、第１のＲＥと通信するために使用される予備回線をＲＥＣによって決定する段階とを含む。
【００６１】
第８態様の第５の可能な実施方式に関して、第８態様の第６の可能な実施方式において、電力ケーブルポート及びＣＰＲＩポートの少なくとも１つを介して、第１のＲＥに固有のアドレス指定要求メッセージをＲＥＣによって送信する段階は、
ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージをＲＥＣによって送信する段階、又は、
ＲＥＣと第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージをＲＥＣによって送信する段階を含む。
【００６２】
第８態様の第５又は第６の可能な実施方式に関して、第８態様の第７の可能な実施方式において、第１のＲＥと通信するために使用される予備回線をＲＥＣによって決定する段階は、
第１のＲＥから初回に受信されたアドレス指定応答メッセージの経路が、第１のＲＥと通信するために使用される予備回線であるとＲＥＣによって決定する段階を含む。
【００６３】
第８態様、又は、第８態様の上述の可能な実施方式の何れか１つに関して、第８態様の第８の可能な実施方式において、予備回線を使用することによって、ＲＥＣによって第１のＲＥと通信する段階は、
第１のＲＥをリセット又はアップグレードし、ＲＥＣによって使用される主回線を復旧して、第１のＲＥと通信するように、予備回線を通じて、ＲＥＣによって、インジケーション情報を第１のＲＥに送信する段階を含む。
【００６４】
第９態様では、情報送信方法が提供される。当該方法は、
アップリンクＣＰＲＩポート又は電力ケーブルポートである第１のポートを介して、無線機器コントローラＲＥＣによって送信されたアドレス指定要求メッセージを第１の無線機器ＲＥによって受信する段階と、
アドレス指定要求メッセージに従って、当該アドレス指定要求メッセージがそれに対して固有である対象が第１のＲＥを含むと第１のＲＥによって決定する段階と、
第１のポートを介して、第１のアドレス指定応答メッセージを第１のＲＥによってＲＥＣに送信する段階とを備える。
【００６５】
第９態様に関して、第９態様の第１の可能な実施方式において、当該方法は更に、
アドレス指定要求メッセージに従って、当該アドレス指定要求メッセージがそれに対して固有である対象が更に別のＲＥを含むと第１のＲＥによって決定する段階と、
第１のポートが、アップリンク共通公衆無線インタフェースＣＰＲＩポートである場合、ダウンリンクＣＰＲＩポート及び電力ケーブルポートを介して、アドレス指定要求メッセージを第１のＲＥによって転送する段階とを含む。
【００６６】
第９態様の第１の可能な実施方式に関して、第９態様の第２の可能な実施方式において、ダウンリンクＣＰＲＩポート及び電力ケーブルポートを介して、アドレス指定要求メッセージを転送する段階の前に、当該方法は更に、第１のＲＥにおける転送経路についての情報をアドレス指定要求メッセージに追加する段階を備え、
ダウンリンクＣＰＲＩポート及び電力ケーブルポートを介して、アドレス指定要求メッセージを転送する段階の後、当該方法は更に、ダウンリンクＣＰＲＩポートを介して、又は、電力ケーブルポートを介して、第２のアドレス指定応答メッセージを第１のＲＥによって受信する段階であって、当該第２のアドレス指定応答メッセージは、第１のＲＥにおける転送経路のメッセージを保持する、段階と、第１のＲＥにおける転送経路についての情報に従って、第２のアドレス指定応答メッセージを転送する段階とを備える。
【００６７】
第９態様の第１の可能な実施方式に関して、第９態様の第３の可能な実施方式において、当該方法は更に、
ダウンリンクＣＰＲＩポート又は電力ケーブルポートを介して、第２のアドレス指定応答メッセージを第１のＲＥによって受信する段階と、
アップリンクＣＰＲＩポートを介して、第２のアドレス指定応答メッセージを第１のＲＥによって転送する段階とを含む。
【００６８】
第９態様、又は、第９態様の上述の可能な実施方式の何れか１つに関して、第９態様の第４の可能な実施方式において、アドレス指定要求メッセージは、ＲＥＣから第１のＲＥへの転送経路についての情報を保持し、
第１のポートを介して、第１のアドレス指定応答メッセージをＲＥＣに送信する段階の前に、当該方法は更に、
第１のアドレス指定応答メッセージが、アドレス指定要求メッセージの逆経路に従ってＲＥＣに返されるよう、ＲＥＣから第１のＲＥへの転送経路についての情報を、第１のＲＥによって第１のアドレス指定応答メッセージに追加する段階を備える。
【００６９】
第１０態様では、情報送信方法が提供される。当該方法は、
第１のポートを介して、無線機器コントローラＲＥＣによって送信されたアドレス指定要求メッセージを第２の無線機器ＲＥによって受信する段階と、
アドレス指定要求メッセージに従って、当該アドレス指定要求メッセージがそれに対して固有である対象が第２のＲＥを含まないと決定する段階と、
第１のポートが、アップリンク共通公衆無線インタフェースＣＰＲＩポートである場合、電力ケーブルポート及びダウンリンクＣＰＲＩポートを介して、アドレス指定要求メッセージを第２のＲＥによって転送する段階とを備える。
【００７０】
第１０態様に関して、第１０態様の第１の可能な実施方式において、当該方法は更に、
第１のポートが電力ケーブルポートである場合、アドレス指定要求メッセージを第２のＲＥによって破棄する段階を備える。
【００７１】
第１０態様、又は、第１０態様の第１の可能な実施方式に関して、第１０態様の第２の可能な実施方式において、電力ケーブルポート及びダウンリンクＣＰＲＩポートを介して、アドレス指定要求メッセージを第２のＲＥによって転送する段階の前に、当該方法は更に、
第２のＲＥにおける転送経路についての情報をアドレス指定要求メッセージに追加する段階を備え、
電力ケーブルポート及びダウンリンクＣＰＲＩポートを介して、アドレス指定要求メッセージを第２のＲＥによって転送する段階の後、当該方法は更に、
ダウンリンクＣＰＲＩポート又は電力ケーブルポートを介して、アドレス指定応答メッセージを第２のＲＥによって受信する段階であって、当該アドレス指定応答メッセージは、第２のＲＥにおける転送経路についての情報を保持する、段階と、
第２のＲＥにおける転送経路についての情報に従って、アドレス指定応答メッセージを第２のＲＥによって転送する段階とを備える。
【００７２】
第１０態様、又は、第１０態様の第１の可能な実施方式に関して、第１０態様の第３の可能な実施方式において、電力ケーブルポート及びダウンリンクＣＰＲＩポートを介して、アドレス指定要求メッセージを第２のＲＥによって転送した後、当該方法は更に、
ダウンリンクＣＰＲＩポート又は電力ケーブルポートを介して、アドレス指定応答メッセージを第２のＲＥによって受信する段階と、
アップリンクＣＰＲＩポートを介して、アドレス指定応答メッセージを第２のＲＥによって転送する段階とを備える。
【００７３】
故に、本発明の実施形態において、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【図面の簡単な説明】
【００７４】
本発明の実施形態における技術的解決手段をより明確に説明すべく、実施形態又は従来技術を説明するために必要な添付の図面を以下で簡潔に紹介する。以下の説明における添付の図面は、本発明のいくつかの実施形態を示しているに過ぎず、当業者ならば、創造努力なく、これらの添付の図面から他の図面を更に導き出し得ることは明らかである。
【００７５】
【図１】本発明の実施形態に係る基地局の概略ブロック図である。
【００７６】
【図２】従来技術における、ＲＥＣとＲＥとの間の接続方式の概略図である。
【００７７】
【図３】本発明の別の実施形態に係る適用シナリオの概略図である。
【００７８】
【図４】本発明の別の実施形態に係る適用シナリオの概略図である。
【００７９】
【図５】本発明の別の実施形態に係る適用シナリオの概略図である。
【００８０】
【図６】本発明の別の実施形態に係るＲＥＣの概略ブロック図である。
【００８１】
【図７】本発明の別の実施形態に係るＲＥＣの概略ブロック図である。
【００８２】
【図８】本発明の別の実施形態に係るＲＥＣの概略ブロック図である。
【００８３】
【図９】本発明の別の実施形態に係るＲＥの概略ブロック図である。
【００８４】
【図１０】本発明の別の実施形態に係るＲＥの概略ブロック図である。
【００８５】
【図１１】本発明の別の実施形態に係るＲＥＣの概略ブロック図である。
【００８６】
【図１２】本発明の別の実施形態に係るＲＥの概略ブロック図である。
【００８７】
【図１３】本発明の別の実施形態に係るＲＥＣの概略ブロック図である。
【００８８】
【図１４】本発明の別の実施形態に係る情報送信方法の概略フローチャートである。
【００８９】
【図１５】本発明の別の実施形態に係る情報送信方法の概略フローチャートである。
【００９０】
【図１６】本発明の別の実施形態に係る情報送信方法の概略フローチャートである。
【発明を実施するための形態】
【００９１】
本発明の実施形態における添付の図面を参照して、本発明の実施形態における技術的解決手段が以下で明確かつ完全に説明される。説明される実施形態が、本発明の実施形態の一部であり全部ではないことは明らかである。創造努力なく、本発明の実施形態に基づいて当業者によって得られた他の全ての実施形態は、本発明の保護範囲内に含まれるものとする。
【００９２】
本発明の技術的解決手段は、ＧＳＭ（登録商標）、符号分割多重アクセス（ＣＤＭＡ、Ｃｏｄｅ  Ｄｉｖｉｓｉｏｎ  Ｍｕｌｔｉｐｌｅ  Ａｃｃｅｓｓ）システム、ワイドバンド符号分割多重アクセス（ＷＣＤＭＡ（登録商標）、Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ、Ｇｅｎｅｒａｌ  Ｐａｃｋｅｔ  Ｒａｄｉｏ  Ｓｅｒｖｉｃｅ）、及びロングタームエボリューション（ＬＴＥ、Ｌｏｎｇ  Ｔｅｒｍ  Ｅｖｏｌｕｔｉｏｎ）などの様々な通信システムに適用可能である。
【００９３】
基地局は、ＧＳＭ（登録商標）又はＣＤＭＡの基地局（ＢＴＳ、Ｂａｓｅ  Ｔｒａｎｓｃｅｉｖｅｒ  Ｓｔａｔｉｏｎ）であってよく、ＷＣＤＭＡ（登録商標）の基地局（ＮｏｄｅＢ）であってよく、又は、ＬＴＥの進化型基地局（ｅＮＢ又はｅ‐ＮｏｄｅＢ、ｅｖｏｌｕｔｉｏｎａｌ  ＮｏｄｅＢ）であってよく、このことは本発明において限定されない。しかしながら、説明を簡単にする目的で、以下の実施形態では説明のための例としてＮｏｄｅＢを使用する。
【００９４】
従来技術では、ＲＥＣがＣＰＲＩ通信回線を使用することによって、カスケード方式、すなわち、図１に示される接続方式でＲＥに接続され、この方式では、一旦、何れかのノードで通信障害が発生すると、それが原因となって、ＲＥＣは、この障害位置以降の何れのＲＥとも通信することができなくなることがある。故に、本発明の実施形態が、基地局、ＲＥＣ、ＲＥ、及び情報送信方法を提供し、理解し易くするために、詳細な説明が、図２から図１６を参照して以下で提供される。
【００９５】
図２は、本発明の実施形態に係る基地局１００の概略ブロック図である。図２に示されるように、基地局１００は、ＲＥＣ１１０及び少なくとも１つのＲＥ１２０を含む（図２では、４つのＲＥが存在する例が使用されており、言うまでもなく、このことは本明細書において限定されない）。
【００９６】
ＲＥＣ１１０は、主回線を使用することによって、少なくとも１つのＲＥ１２０における各ＲＥ１２０と通信する。
【００９７】
少なくとも１つのＲＥ１２０における任意のＲＥ１２０と通信するためにＲＥＣ１１０によって使用される主回線に障害がある場合、ＲＥＣ１１０は、その主回線に障害がある任意のＲＥ１２０と通信するために使用される予備回線を決定する。
【００９８】
ＲＥＣ１１０は、その主回線に障害がある任意のＲＥ１２０と、予備回線を使用することによって通信する。
【００９９】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０１００】
図１では、ＲＥＣ１１０が各ＲＥ１２０に直接接続されているが、それは、ＲＥＣ１１０が各ＲＥ１２０と通信してよいことを例示的に示しているだけであることが理解されるべきであり、ＲＥＣ１１０が、各ＲＥ１２０と直接接続されなければならないことを意味しているのではなく、例えば、ＲＥＣ１１０は、１つのＲＥ１２０を介して別のＲＥ１２０に接続されてよい。
【０１０１】
本発明のこの実施形態において、ＲＥＣはまた、ベースバンド処理ユニット（Ｂａｓｅ  Ｂａｎｄ  Ｕｎｉｔ、ＢＢＵ）と称されてよく、ＲＥはまた、無線リモートユニット（Ｒａｄｉｏ  Ｒｅｍｏｔｅ  Ｕｎｉｔ、ＲＲＵ）と称されてよい。
【０１０２】
本発明のこの実施形態では、主回線はＣＰＲＩ通信回線であってよく、予備回線は、電力ケーブル線であってよい、又は、電力ケーブルに加えてＣＰＲＩ通信回線であってよい。言うまでもなく、主回線は電力ケーブル線であってよいか、又は、電力ケーブルに加えてＣＰＲＩ通信回線であってよく、予備回線はＣＰＲＩ通信回線であるか、又は、別の方式であり、このことは適用シナリオに従って具体的に決定されてよく、本発明のこの実施形態によっては限定されない。しかしながら、本発明のこの実施形態では、主回線はＣＰＲＩ通信回線であり、予備回線は、電力ケーブル線である、又は、電力ケーブルに加えてＣＰＲＩ通信回線であるということが、説明のために主に使用される。
【０１０３】
ＲＥＣ及びＲＥは必ず電力ケーブル網によって電力を供給されるので、本発明のこの実施形態では、ＲＥＣとＲＥとの間のＣＰＲＩ通信回線において障害が発生した場合、ＲＥＣとＲＥとの間での通信は、ＲＥＣ及びＲＥの電力ケーブル網を使用することによって実施される。
【０１０４】
本発明のこの実施形態では、ＣＰＲＩ通信回線は、ＣＰＲＩプロトコルをサポートする回線を指し、ＣＰＲＩ通信回線は、光ファイバ、同軸ケーブル、及びイーサネット（登録商標）ケーブルの少なくとも１つを含んでよい。
【０１０５】
本発明のこの実施形態では、その主回線に障害がある任意のＲＥと、予備回線を使用することによって、ＲＥＣによって通信することは、
その主回線に障害があるＲＥの主回線を復旧するように、その主回線に障害があるＲＥを、予備回線を使用することによって、ＲＥＣによってリセット又はアップグレードすることを含んでよい。
【０１０６】
例えば、ＲＥの主回線の障害の原因は、ＲＥの光ポートパラメータが不適切なことである。故に、主回線を復旧するように、ＲＥの光ポートパラメータは、予備回線を通じてインジケーション情報を送信することによって変更されてよい。
【０１０７】
別の例の場合、問題はＲＥのハードウェアにおいて発生する。その結果、ＲＥは正常に開始することができず、電源オフを実行し、その後電源オンを実行することでしか復旧され得ない。この場合、ＲＥにおいて問題が既に発生しているので、ＣＰＲＩ通信回線を使用することによってＲＥとの通信を問題なく実行することができない。故に、ＲＥＣは、電力ケーブルを含んでよい予備回線を決定してよく、ＲＥＣは、予備回線を通じてＲＥにインジケーション情報を送信して、電源オン及び電源オフを実行するようＲＥに命令してよい。
【０１０８】
本発明のこの実施形態では、ＲＥＣは、全ての制御されたＲＥをリアルタイムで（例えば、定期的に，又は、初期化段階において）スキャンし、全てのＲＥにおいて、その主回線に障害があるＲＥを決定し、その主回線に障害があるＲＥの予備回線を決定してよく、ＲＥＣはまた、ＲＥとハートビートメッセージを交換することによって、ＲＥと通信するために使用される主回線に障害があると決定し、その後、ＲＥと通信するために使用される予備回線を決定してよい。理解し易くするために、２つの場合が別個に、実施形態Ａ及び実施形態Ｂに関して以下で詳細に説明される。
［実施形態Ａ］
【０１０９】
この実施形態では、ＲＥＣは、全ての制御されたＲＥをリアルタイムでスキャンし、全てのＲＥにおいて、その主回線に障害があるＲＥを決定し、その主回線に障害があるＲＥの予備回線を決定してよい。
【０１１０】
任意選択で、ＲＥＣは、ＣＰＲＩポートを介して、又は、電力ケーブルポート及びＣＰＲＩポートを介して、全ての制御されたＲＥに固有のアドレス指定要求メッセージを送信し、アップリンクＣＰＲＩポート又は電力ケーブルポートである第１のポートを介してアドレス指定要求メッセージを受信した後、各ＲＥは、当該第１のポートを介してアドレス指定応答メッセージを送信し、ＲＥＣは、各ＲＥによって送信されたアドレス指定応答メッセージの経路が、主回線を含むかどうかに従って、その主回線に障害があるＲＥを決定し、ＲＥＣは、その主回線に障害があるＲＥによって送信された少なくとも１つのアドレス指定応答メッセージの経路に従って、その主回線に障害があるＲＥと通信するために使用される予備回線を決定する。
【０１１１】
任意選択で、各ＲＥがアドレス指定要求メッセージを受信した後で、かつ、第１のポートがアップリンクＣＰＲＩポートである場合、各ＲＥは、ダウンリンクＣＰＲＩポート及び電力ケーブルポートを介して、アドレス指定要求メッセージを転送する。
【０１１２】
本発明のこの実施形態では、ＲＥのＣＰＲＩポートは、アップリンクＣＰＲＩポート及びダウンリンクＣＰＲＩポートを含み、ここで、アップリンクＣＰＲＩポートは、ＲＥＣに近いＣＰＲＩポートを指し、ダウンリンクＣＰＲＩポートは、ＲＥＣから遠く離れたＣＰＲＩポートを指す。具体的に、図３のラベルが参照されてよく、上述の説明は、本発明の全ての実施形態に適用可能である。
【０１１３】
任意選択で、ダウンリンクＣＰＲＩポートを介して、又は、電力ケーブルポートを介して、別のＲＥによって送信されたアドレス指定応答メッセージをＲＥＣにおける各ＲＥが受信した場合、ＲＥＣにおける各ＲＥは、アップリンクＣＰＲＩポートを介して、別のＲＥによって送信されたアドレス指定応答メッセージを転送する。
【０１１４】
任意選択で、各ＲＥが、ダウンリンクＣＰＲＩポート及び電力ケーブルポートを介してアドレス指定要求メッセージを転送する場合、各ＲＥは、転送経路についての情報をアドレス指定要求メッセージに追加して、これにより、アドレス指定要求メッセージに対応するアドレス指定応答メッセージが、アドレス指定要求メッセージの逆経路に従ってＲＥＣに返される。
【０１１５】
任意選択で、ＲＥＣと同じ電力ケーブル網に属するＲＥが全てのＲＥの中に存在する場合、ＲＥＣは、ＣＰＲＩポート及び電力ケーブルポートを介して、全てのＲＥに固有のアドレス指定要求メッセージを送信する、又は、ＲＥＣと同じ電力ケーブル網に属するＲＥが全てのＲＥの中に存在しない場合、ＲＥＣは、ＣＰＲＩポートを介して、又は、ＣＰＲＩポート及び電力ケーブルポートを介して、全てのＲＥに固有のアドレス指定要求メッセージを送信する。
【０１１６】
任意選択で、ＲＥＣは、その主回線に障害があるＲＥから初回に受信されたアドレス指定応答メッセージの経路が、その主回線に障害があるＲＥと通信するために使用される予備回線であると決定する。
【０１１７】
理解し易くするために、実施形態Ａにおける、その主回線に障害があるＲＥをどのように決定するか、及び、その主回線に障害があるＲＥと通信するために使用される予備回線をどのように決定するかが、図３から図５を参照して以下で詳細に説明される。
【０１１８】
図３において、ＲＥＣ、ＲＥ１、ＲＥ２、ＲＥ３、ＲＥ４、及びＲＥ５は、同じ電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。
【０１１９】
ＲＥＣは、電力ケーブルポート及びＣＰＲＩポートを介してアドレス指定要求メッセージを送信する。ここで、アドレス指定要求メッセージは全てのＲＥに固有である。ＲＥＣによって送信されたアドレス指定要求メッセージは、ＣＰＲＩ通信回線を通ってＲＥ１に到着し、電力ケーブルを通って、ＲＥ１、ＲＥ２、ＲＥ３、ＲＥ４、及びＲＥ５に別個に到着してよい。
【０１２０】
各ＲＥについて、アドレス指定要求メッセージに対する処理は、アドレス指定要求メッセージがアップリンクＣＰＲＩポートにおいて受信された場合、アドレス指定要求メッセージは、電力ケーブルポート及びダウンリンクＣＰＲＩポートを介して転送され、アドレス指定応答メッセージがアップリンクＣＰＲＩポートに返されるという原則、及び、アドレス指定要求メッセージが電力ケーブルポートにおいて受信された場合、アドレス指定応答メッセージは電力ケーブルポートにおいて返され、アドレス指定要求メッセージはもはや転送されないという原則を満たしてよい。
【０１２１】
例えば、ＲＥ１について、ＲＥ１がアップリンクＣＰＲＩポートを介してアドレス指定要求メッセージを受信した場合、ＲＥ１は、アップリンクＣＰＲＩポートを介してＲＥＣにアドレス指定応答メッセージを返し、ダウンリンクＣＰＲＩポート及び電力ケーブルポートを介してアドレス指定要求メッセージを転送してよく、ＲＥ１が電力ケーブルポートを介してアドレス指定要求メッセージを受信した場合、ＲＥ１は、電力ケーブルポートを介してアドレス指定応答メッセージを送信し、転送は実行しなくてよい。
【０１２２】
例えば、ＲＥ２について、ＲＥ２がＲＥ１によって転送されたアドレス指定要求メッセージを、アップリンクＣＰＲＩポートを介して受信した場合、ＲＥ２は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、電力ケーブルポートを介してアドレス指定応答メッセージをＲＥＣに返し、転送は実行しなくてよい。
【０１２３】
例えば、ＲＥ３について、ＲＥ３がＲＥ２によって転送されたアドレス指定要求メッセージを、アップリンクＣＰＲＩポートを介して受信した場合、ＲＥ３は、アップリンクＣＰＲＩポートを介してアドレス指定応答メッセージを返し、ダウンリンクＣＰＲＩポート及び電力ケーブルポートを介してアドレス指定要求メッセージを転送してよく、ＲＥ３が電力ケーブルポートを介してアドレス指定要求メッセージを受信した場合、ＲＥ３は、電力ケーブルポートを介してアドレス指定応答メッセージをＲＥＣに返し、転送は実行しなくてよい。
【０１２４】
例えば、ＲＥ４について、ＲＥ４がＲＥ３によって転送されたアドレス指定要求メッセージを、アップリンクＣＰＲＩポートを介して受信した場合、ＲＥ４は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、電力ケーブルポートを介してアドレス指定応答メッセージをＲＥＣに返し、転送は実行しなくてよい。
【０１２５】
例えば、ＲＥ５について、ＲＥ４とＲＥ５との間のＣＰＲＩ回線には障害があるので、ＲＥ５は、電力ケーブルポートを介してのみＲＥＣから直接、アドレス指定要求を受信し、ＲＥ１、ＲＥ２、ＲＥ３、及びＲＥ４によって電力ケーブルを通じて転送されたアドレス指定要求メッセージを受信し、電力ケーブルポートを介して、各アドレス指定要求メッセージに固有のアドレス指定応答メッセージを別個に送信する。
【０１２６】
アドレス指定応答メッセージを返すための経路が、以下の２つの方式で実施されてよい。
【０１２７】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０１２８】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。
【０１２９】
例えば、電力ケーブルポートにおいてＲＥ５のアドレス指定応答メッセージを受信した後、ＲＥ４は、アドレス指定応答メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定応答メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。電力ケーブルポートを介してＲＥ１及びＲＥ２によって受信されたＲＥ５のアドレス指定応答メッセージに対するＲＥ１及びＲＥ２の処理は、ＲＥ３及びＲＥ４の処理と同様であり、ＲＥＣはまた、何れのＲＥによっても転送されないＲＥ５からのアドレス指定応答メッセージを受信してよい。各ＲＥによって転送されたアドレス指定応答メッセージを受信した後、ＲＥＣは、アドレス指定応答メッセージの経路が主回線を含まないと決定し、ＲＥＣは、ＲＥ５と通信するために使用される主回線に障害があると決定し、各ＲＥによって転送されるアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ４においてＣＰＲＩプロトコルカプセル化処理が実行されるメッセージである場合、ＲＥＣは、初回に受信されたアドレス指定応答メッセージにカプセル化されたＲＥ４についての情報に従って、ＲＥ５と通信するために使用される予備回線の経路は、ＣＰＲＩ回線を通ってＲＥ４に到着予定であり、その後、電力ケーブルを通じてＲＥ４によってＲＥ５に送信されると決定する。
【０１３０】
例えば、ＲＥ３が電力ケーブルポート及びダウンリンクＣＰＲＩポートを介して、ＲＥ４のアドレス指定応答メッセージを受信した後、ＲＥ３は、アップリンクＣＰＲＩポートを介してアドレス指定応答メッセージを別個に転送し、アドレス指定応答メッセージは、ＲＥ２及びＲＥ１によってトランスペアレントに送信され、ＲＥＣに到着する。ＲＥＣは、ＲＥ４のアドレス指定応答メッセージが、主回線を通ってＲＥＣに到着する応答メッセージを含むと決定し、ＲＥ４と通信するために使用される主回線に障害はないと決定し、主回線を通じてＲＥ４と正常に通信する。ＲＥ２の主回線と、ＲＥ３の主回線と、ＲＥ１の主回線とに障害があるかどうかを判断することは、ＲＥ４の主回線に障害があるかどうかを判断することと同様であり、詳細は本明細書において再度提供されない。
【０１３１】
図４では、ＲＥ１、ＲＥ２、ＲＥ３、ＲＥ４、及びＲＥ５が同じ電力ケーブル網に属している一方、ＲＥＣは別の電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。
【０１３２】
ＲＥＣは、ＣＰＲＩポートを介して、又は、電力ケーブルポート及びＣＰＲＩポートを介してアドレス指定要求メッセージを送信する。ここで、アドレス指定要求メッセージは全てのＲＥに固有である。図４では、ＲＥＣと同じ電力ケーブル網に属するＲＥは存在しないので、ＲＥＣはＣＰＲＩポートを介してのみ、アドレス指定要求メッセージを送信してよい。任意選択で、ＲＥＣは、ＲＥＣと同じ電力ケーブル網に属するＲＥが存在するかどうかを判断しなくてよく、ＲＥＣが属するＣＰＲＩポート及び電力ケーブルポートに従ってアドレス指定要求メッセージを直接送信してよい。ＲＥＣによって送信されたアドレス指定要求メッセージは、ＣＰＲＩポートを介してＲＥ１に到着してよい。
【０１３３】
各ＲＥについて、アドレス指定要求メッセージに対する処理は、アドレス指定要求メッセージがアップリンクＣＰＲＩポートにおいて受信された場合、アドレス指定要求メッセージは、電力ケーブルポート及びダウンリンクＣＰＲＩポートに転送され、アドレス指定応答メッセージがアップリンクＣＰＲＩポートに返されるという原則、及び、アドレス指定要求メッセージが電力ケーブルポートにおいて受信された場合、アドレス指定応答メッセージは電力ケーブルポートにおいて返され、アドレス指定要求メッセージはもはや転送されないという原則を満たしてよい。
【０１３４】
例えば、ＲＥ１について、ＲＥ１がアップリンクＣＰＲＩポートを介してアドレス指定要求メッセージを受信した場合、ＲＥ１は、アップリンクＣＰＲＩポートを介してＲＥＣにアドレス指定応答メッセージを返し、ダウンリンクＣＰＲＩポート及び電力ケーブルポートを介してアドレス指定要求メッセージを転送してよい。
【０１３５】
例えば、ＲＥ２について、ＲＥ２がＲＥ１によって転送されたアドレス指定要求メッセージを、アップリンクＣＰＲＩポートを介して受信した場合、ＲＥ２は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、電力ケーブルポートを介してアドレス指定応答メッセージをＲＥＣに返し、転送は実行しなくてよい。
【０１３６】
例えば、ＲＥ３について、ＲＥ３がＲＥ２によって転送されたアドレス指定要求メッセージを、アップリンクＣＰＲＩポートを介して受信した場合、ＲＥ３は、アップリンクＣＰＲＩポートを介してアドレス指定応答メッセージを返し、ダウンリンクＣＰＲＩポート及び電力ケーブルポートを介してアドレス指定要求メッセージを転送してよく、ＲＥ３が電力ケーブルポートを介してアドレス指定要求メッセージを受信した場合、ＲＥ３は、電力ケーブルポートを介してアドレス指定応答メッセージをＲＥＣに返し、転送は実行しなくてよい。
【０１３７】
例えば、ＲＥ４について、ＲＥ４がＲＥ３によって転送されたアドレス指定要求メッセージを、アップリンクＣＰＲＩポートを介して受信した場合、ＲＥ４は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、電力ケーブルポートを介してアドレス指定応答メッセージをＲＥＣに返し、転送は実行しなくてよい。
【０１３８】
例えば、ＲＥ５について、ＲＥ５は、ＲＥ１、ＲＥ２、ＲＥ３、及びＲＥ４によって電力ケーブルを通じて転送されたアドレス指定要求メッセージを、電力ケーブルポートを介して受信し、電力ケーブルポートを介して、各ＲＥによって転送されたアドレス指定要求メッセージに固有のアドレス指定応答メッセージを別個に送信する。ＲＥ４とＲＥ５との間のＣＰＲＩ回線には障害があるので、ＲＥ５は、ダウンリンクＣＰＲＩポートを介してＲＥ４によって転送されたアドレス指定要求メッセージを受信することができない。
【０１３９】
以下の２つの方式で、アドレス指定応答メッセージの復路が実施されてよい。
【０１４０】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０１４１】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。 
【０１４２】
例えば、電力ケーブルポートにおいてＲＥ５のアドレス指定応答メッセージを受信した後、ＲＥ４は、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。電力ケーブルポートを介してＲＥ１及びＲＥ２によって受信されたＲＥ５のアドレス指定応答メッセージに対するＲＥ１及びＲＥ２の処理は、ＲＥ３及びＲＥ４の処理と同様である。各ＲＥによって転送されたＲＥ５からのアドレス指定応答メッセージを受信した後、ＲＥＣは、アドレス指定応答メッセージの経路が主回線を含まないと決定し、ＲＥＣは、ＲＥ５と通信するために使用される主回線に障害があると決定し、各ＲＥによって転送されるアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ４においてＣＰＲＩプロトコルカプセル化処理が実行されたメッセージである場合、ＲＥ５と通信するために使用される予備回線の経路は、送信予定メッセージが、ＣＰＲＩ回線を通ってＲＥ４に到着し、その後、電力ケーブルを通じてＲＥ４によってＲＥ５に送信されるというものであると、初回に受信されたアドレス指定応答メッセージにカプセル化されたＲＥ１についての情報に従ってＲＥＣは決定する。
【０１４３】
例えば、ＲＥ３が、電力ケーブルポート及びダウンリンクＣＰＲＩポートを介して、ＲＥ４のアドレス指定応答メッセージを受信した後、ＲＥ３は、電力ケーブルポート及びダウンリンクＣＰＲＩポートからのアドレス指定応答メッセージを、アップリンクＣＰＲＩポートを介して別個に転送し、アドレス指定応答メッセージは、ＲＥ２及びＲＥ１によってトランスペアレントに送信され、ＲＥＣに到着する。ＲＥ２及びＲＥ１によって受信されたＲＥ４のアドレス指定応答メッセージに対する処理は同様のものである。ＲＥＣは、ＲＥ４のアドレス指定応答メッセージが、主回線を通ってＲＥＣに到着する応答メッセージを含むと決定し、ＲＥ４と通信するために使用される主回線に障害はないと決定し、主回線を通じてＲＥと正常に通信する。ＲＥ２の主回線と、ＲＥ３の主回線と、ＲＥ１の主回線とに障害があるかどうかを判断することは、ＲＥ４の主回線に障害があるかどうかを判断することと同様であり、詳細は本明細書において再度提供されない。
【０１４４】
図５では、ＲＥＣ、ＲＥ１、及びＲＥ２が同じ電力ケーブル網に属し、ＲＥ３、ＲＥ４、及びＲＥ５が別の電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。
【０１４５】
ＲＥＣは、電力ケーブルポート及びＣＰＲＩポートを介してアドレス指定要求メッセージを送信する。ここで、アドレス指定要求メッセージは全てのＲＥに固有である。図５では、ＲＥＣと同じ電力ケーブル網に属するＲＥ、すなわち、ＲＥ１及びＲＥ２が、ＲＥＣの中に存在するので、ＲＥＣは、電力ケーブルポート及びＣＰＲＩポートを介してアドレス指定要求メッセージを送信してよい。任意選択で、ＲＥＣは、ＲＥＣと同じ電力ケーブル網に属するＲＥが存在するかどうかを判断しなくてよく、ＲＥＣが属するＣＰＲＩポート及び電力ケーブルポートに従ってアドレス指定要求メッセージを直接送信してよい。ＲＥＣによって送信されたアドレス指定要求メッセージは、電力ケーブルを通ってＲＥ１及びＲＥ２に直接到着し、ＣＰＲＩ通信回線を通ってＲＥ１に到着してよい。
【０１４６】
各ＲＥについて、アドレス指定要求メッセージに対する処理は、アドレス指定要求メッセージがアップリンクＣＰＲＩポートにおいて受信された場合、アドレス指定要求メッセージは、電力ケーブルポート及びダウンリンクＣＰＲＩポートに転送され、アドレス指定応答メッセージがアップリンクＣＰＲＩポートに返されるという原則、及び、アドレス指定要求メッセージが電力ケーブルポートにおいて受信された場合、アドレス指定応答メッセージは電力ケーブルポートにおいて返され、アドレス指定要求メッセージはもはや転送されないという原則を満たしてよい。
【０１４７】
例えば、ＲＥ１について、ＲＥ１がアップリンクＣＰＲＩポートを介してアドレス指定要求メッセージを受信した場合、ＲＥ１は、アップリンクＣＰＲＩポートを介してＲＥＣにアドレス指定応答メッセージを返し、ダウンリンクＣＰＲＩポート及び電力ケーブルポートを介してアドレス指定要求メッセージを転送してよく、ＲＥ１が電力ケーブルポートを介してアドレス指定要求メッセージを受信した場合、ＲＥ１は、電力ケーブルポートを介してアドレス指定応答メッセージをＲＥＣに返し、転送は実行しなくてよい。
【０１４８】
例えば、ＲＥ２について、ＲＥ２がＲＥ１によって転送されたアドレス指定要求メッセージを、アップリンクＣＰＲＩポートを介して受信した場合、ＲＥ２は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、電力ケーブルポートを介してアドレス指定応答メッセージをＲＥＣに返し、転送は実行しなくてよい。
【０１４９】
例えば、ＲＥ３について、ＲＥ３がＲＥ２によって転送されたアドレス指定要求メッセージを、アップリンクＣＰＲＩポートを介して受信した場合、ＲＥ３は、アップリンクＣＰＲＩポートを介してアドレス指定応答メッセージを返し、ダウンリンクＣＰＲＩポート及び電力ケーブルポートを介してアドレス指定要求メッセージを転送してよい。
【０１５０】
例えば、ＲＥ４について、ＲＥ４がＲＥ３によって転送されたアドレス指定要求メッセージを、アップリンクＣＰＲＩポートを介して受信した場合、ＲＥ４は、アップリンクＣＰＲＩポートを介してアドレス指定応答メッセージをＲＥＣに返し、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、電力ケーブルポートを介してアドレス指定応答メッセージをＲＥＣに返し、転送は実行しなくてよい。
【０１５１】
例えば、ＲＥ５について、ＲＥ５は、ＲＥ３及びＲＥ４によって電力ケーブルを通じて転送されたアドレス指定要求メッセージを、電力ケーブルポートを介して受信し、電力ケーブルポートを介して、各アドレス指定要求メッセージに固有のアドレス指定応答メッセージを別個に送信する。ＲＥ４とＲＥ５との間のＣＰＲＩ回線には障害があるので、ＲＥ５は、ダウンリンクＣＰＲＩポートを介してＲＥ４によって転送されたアドレス指定要求メッセージを受信することができない。
【０１５２】
以下の２つの方式で、アドレス指定応答メッセージを返す経路が実施されてよい。
【０１５３】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０１５４】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。 
【０１５５】
例えば、電力ケーブルポートにおいてＲＥ５のアドレス指定応答メッセージを受信した後、ＲＥ４は、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定応答メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。複数のアドレス指定応答メッセージを受信した場合、ＲＥＣは、複数のアドレス指定応答メッセージの経路が主回線を含まないと決定し、ＲＥＣは、ＲＥ５と通信するために使用される主回線に障害があると決定し、複数のアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ３においてＣＰＲＩプロトコルカプセル化処理が実行されたメッセージである場合、ＲＥ５と通信するために使用される予備回線の経路は、送信予定メッセージがＣＰＲＩ回線を通じてＲＥ１及びＲＥ２によってトランスペアレントに送信され、ＲＥ３に到着し、その後、電力ケーブルを通じてＲＥ３によってＲＥ５に送信されるというものであると、初回に受信されたアドレス指定応答メッセージにカプセル化されたＲＥ３についての情報に従って、ＲＥＣは決定する。
【０１５６】
例えば、ＲＥ３が電力ケーブルポート及びダウンリンクＣＰＲＩポートを介して、ＲＥ４のアドレス指定応答メッセージを受信した後、ＲＥ３は、アップリンクＣＰＲＩポートを介してアドレス指定応答メッセージを別個に転送し、アドレス指定応答メッセージは、ＲＥ２及びＲＥ１によってトランスペアレントに送信され、ＲＥＣに到着する。ＲＥＣは、ＲＥ４のアドレス指定応答メッセージが、主回線を通ってＲＥＣに到着する応答メッセージを含むと決定し、ＲＥ４と通信するために使用される主回線に障害はないと決定し、主回線を通じてＲＥと正常に通信する。ＲＥ２の主回線と、ＲＥ３の主回線と、ＲＥ１の主回線とに障害があるかどうかを判断することは、ＲＥ４の主回線に障害があるかどうかを判断することと同様であり、詳細は本明細書において再度提供されない。
【０１５７】
故に、本発明のこの実施形態では、ＲＥＣが、全てのＲＥに固有のアドレス指定要求メッセージを送信し、各ＲＥによって返されたアドレス指定応答メッセージの経路に従って、その主回線に障害があるＲＥを決定し、その主回線に障害があるＲＥと通信するために使用される予備回線を決定し、その主回線に障害があるＲＥと、予備回線を使用することによって通信してよい。故に、主回線に障害がある場合、人力での現場処理は必要なく、維持費が低減され、サービス中断時間が減り、それにより、ユーザエクスペリエンスが改善される。
【０１５８】
この実施形態では、ＲＥＣは、ＲＥとのハートビートを使用することによって、ＲＥと通信するためにＲＥＣによって使用される主回線に障害があるかどうかを判断してよい。具体的には、ＲＥＣ及びＲＥは、主回線を通じて互いにハートビートメッセージを交換し、ＲＥＣが、ＲＥによって送信されたハートビートメッセージを予め定められた回数にわたって受信しない場合、ＲＥＣは、ＲＥと通信するためにＲＥＣによって使用される主回線に障害があると決定する。
【０１５９】
任意選択で、第１のＲＥと通信するために使用される主回線に障害があるとＲＥＣが決定した後、ＲＥＣは、電力ケーブルポート及びＣＰＲＩポートの少なくとも１つを介して、第１のＲＥに固有のアドレス指定要求メッセージを送信する。
【０１６０】
任意選択で、第１のＲＥは、アップリンクＣＰＲＩポート又は電力ケーブルポートである第１のポートを介してアドレス指定要求メッセージを受信し、当該第１のポートを介してアドレス指定応答メッセージを送信し、
ＲＥＣは、第１のＲＥによって送信された少なくとも１つのアドレス指定応答メッセージの経路に従って、第１のＲＥと通信するために使用される予備回線を決定する。
【０１６１】
任意選択で、第１のＲＥが、第１のポートを介してアドレス指定要求メッセージを受信する前に、かつ、第１のＲＥの上流のＲＥが、アップリンクＣＰＲＩポートを介してアドレス指定要求メッセージを受信する場合、第１のＲＥの上流のＲＥは、ダウンリンクＣＰＲＩポート及び電力ケーブルポートを介してアドレス指定要求メッセージを転送する。
【０１６２】
任意選択で、第１のＲＥの上流のＲＥが、ダウンリンクＣＰＲＩポート及び電力ケーブルポートを介してアドレス指定要求メッセージを転送する前に、第１のＲＥの上流のＲＥは、上流のＲＥにおける転送経路のメッセージをアドレス指定要求メッセージに追加し、第１のＲＥが、第１のポートを介してアドレス指定応答メッセージを送信する前に、第１のＲＥは、転送経路のメッセージをアドレス指定応答メッセージに追加し、第１のＲＥの上流のＲＥがアドレス指定応答メッセージを受信した後で、第１のＲＥの上流のＲＥは、アドレス指定応答メッセージ内の転送経路のメッセージに従って、アドレス指定応答メッセージを転送し、これにより、アドレス指定応答メッセージは、対応するアドレス指定要求メッセージの逆経路に従ってＲＥＣに返される。
【０１６３】
任意選択で、第１のＲＥの上流のＲＥは、ダウンリンクＣＰＲＩポート又は電力ケーブルポートを介してアドレス指定応答メッセージを受信し、アップリンクＣＰＲＩポートを介してアドレス指定応答メッセージを転送する。
【０１６４】
任意選択で、第１のＲＥの上流のＲＥは、電力ケーブルポートを介してアドレス指定要求メッセージを受信した場合、アドレス指定要求メッセージを破棄する。
【０１６５】
任意選択で、ＲＥＣと第１のＲＥとが同じ電力ケーブル網に属する場合、ＲＥＣは、電力ケーブルポートを介して、又は、ＣＰＲＩポート及び電力ケーブルポートを介して、第１のＲＥに固有のアドレス指定要求メッセージを送信する、又は、
ＲＥＣと第１のＲＥとが同じ電力ケーブル網に属さない場合、ＲＥＣは、ＣＰＲＩポートを介して、又は、ＣＰＲＩポート及び電力ケーブルポートを介して、第１のＲＥに固有のアドレス指定要求メッセージを送信する。
【０１６６】
理解し易くするために、実施形態Ｂにおいて、その主回線に障害があるＲＥと通信するために使用される予備回線をどのように決定するかが、図３から図５を参照して以下で詳細に説明される。
【０１６７】
図３において、ＲＥＣ、ＲＥ１、ＲＥ２、ＲＥ３、ＲＥ４、及びＲＥ５は、同じ電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。ＲＥＣは、ＲＥ５と通信するために使用される主回線に障害があると決定した後、電力ケーブルポート及びＣＰＲＩポートを介して、ＲＥ５に固有のアドレス指定要求メッセージを送信する。
【０１６８】
ＲＥＣによって送信されるＲＥ５に固有のアドレス指定要求メッセージは、ＲＥ５の識別子情報を保持してよい。識別子情報は、電力ケーブル網内のＲＥ５のアドレス情報、例えば、電力ケーブル網内のＲＥ５のＭＡＣアドレス又はＩＰアドレスであってよい。
【０１６９】
ＲＥＣによって送信されたアドレス指定要求メッセージは、電力ケーブルを通ってＲＥ１、ＲＥ２、ＲＥ３、ＲＥ４、及びＲＥ５に直接到着し、ＣＰＲＩ通信回線を通ってＲＥ１に到着してよい。
【０１７０】
各非ターゲットＲＥについて、アドレス指定要求メッセージに対する処理は、アドレス指定要求メッセージがアップリンクＣＰＲＩポートにおいて受信される場合、アドレス指定要求メッセージは電力ケーブルポート及びダウンリンクＣＰＲＩポートに転送されるという原則、及び、アドレス指定要求メッセージが電力ケーブルポートにおいて受信される場合、アドレス指定要求メッセージは破棄されるという原則を満たしてよい。
【０１７１】
ターゲットＲＥについて、アドレス指定要求メッセージに対する処理は、アドレス指定要求メッセージが電力ケーブルポートにおいて受信される場合、アドレス指定応答メッセージは電力ケーブルポートにおいて返されるという原則を満たしてよい。
【０１７２】
例えば、ＲＥ１について、ＲＥ１が、アップリンクＣＰＲＩポートを介してアドレス指定要求メッセージを受信した場合、ＲＥ１は、ダウンリンクＣＰＲＩポート及び電力ケーブルポートを介してアドレス指定要求メッセージを転送してよく、ＲＥ１が電力ケーブルポートを介してアドレス指定要求メッセージを受信した場合、ＲＥ１は、アドレス指定要求メッセージを破棄してよい。
【０１７３】
例えば、ＲＥ２について、ＲＥ２がＲＥ１によって転送されたアドレス指定要求メッセージを、アップリンクＣＰＲＩポートを介して受信した場合、ＲＥ２は、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、アドレス指定要求メッセージを破棄してよい。
【０１７４】
例えば、ＲＥ３について、ＲＥ３がＲＥ２によって転送されたアドレス指定要求メッセージを、アップリンクＣＰＲＩポートを介して受信した場合、ＲＥ３は、ダウンリンクＣＰＲＩポート及び電力ケーブルポートを介してアドレス指定要求メッセージを転送してよく、ＲＥ３が電力ケーブルポートを介してアドレス指定要求メッセージを受信した場合、ＲＥ３は、アドレス指定要求メッセージを破棄してよい。
【０１７５】
例えば、ＲＥ４について、ＲＥ４がＲＥ３によって転送されたアドレス指定要求メッセージを、アップリンクＣＰＲＩポートを介して受信した場合、ＲＥ４は、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、アドレス指定要求メッセージを破棄してよい。
【０１７６】
例えば、ＲＥ５について、ＲＥ５は、ＲＥ１、ＲＥ２、ＲＥ３、及びＲＥ４によって電力ケーブルを通じて転送されたアドレス指定要求メッセージを、電力ケーブルポートを介してＲＥＣから直接受信し、各経路のアドレス指定要求メッセージに対応するアドレス指定応答メッセージを、電力ケーブルポートを介して別個に送信する。ＲＥ４からＲＥ５へのＣＰＲＩ回線には障害があるので、ダウンリンクＣＰＲＩポートを介してＲＥ４によって送信されたアドレス指定要求メッセージは、ＲＥ５に到着することができない。
【０１７７】
以下の２つの方式で、アドレス指定応答メッセージの復路が実施されてよい。
【０１７８】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ターゲットＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０１７９】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。 
【０１８０】
例えば、電力ケーブルポートにおいてＲＥ５のアドレス指定応答メッセージを受信した後、ＲＥ４は、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。電力ケーブルを通じてＲＥ２及びＲＥ１によって受信されたＲＥ５のアドレス指定応答メッセージに対する処理は、ＲＥ１及びＲＥ２のアドレス指定応答メッセージに対する処理と同様である。ＲＥＣは、複数のアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ３においてＣＰＲＩプロトコルカプセル化処理が実行されたメッセージである場合、ＲＥＣは、ＲＥ５と通信するために使用される予備回線の経路は、送信予定メッセージがＣＰＲＩ回線を通じてＲＥ１及びＲＥ２によってトランスペアレントに送信され、ＲＥ３に到着し、その後、電力ケーブルを通じてＲＥ３によってＲＥ５に送信されるというものであると、初回に受信されたアドレス指定応答メッセージにカプセル化されたＲＥ３についての情報に従って決定する。
【０１８１】
図４では、ＲＥ１、ＲＥ２、ＲＥ３、ＲＥ４、及びＲＥ５が同じ電力ケーブル網に属している一方、ＲＥＣは別の電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。ＲＥＣは、ＲＥ５と通信するために使用される主回線に障害があると決定した後、電力ケーブルポート及びＣＰＲＩポートを介して、ＲＥ５に固有のアドレス指定要求メッセージを送信する。図４では、ＲＥＣとＲＥ５とは同じ電力ケーブル網に属さないので、ＲＥＣは、電力ケーブルポート及びＣＰＲＩポートを介して、又は、ＣＰＲＩポートを介してアドレス指定要求メッセージを送信してよい。任意選択で、ＲＥＣは、ＲＥＣ及びＲＥ５が同じ電力ケーブル網に属するかどうかを判断しなくてよく、ＲＥＣが属するＣＰＲＩポート及び電力ケーブルポートに従って、アドレス指定要求メッセージを直接送信してよい。ＲＥＣによって送信されたアドレス指定要求メッセージは、電力ケーブルを通ってＲＥ１及びＲＥ２に直接到着し、ＣＰＲＩ通信回線を通ってＲＥ１に到着してよい。
【０１８２】
各非ターゲットＲＥについて、アドレス指定要求メッセージに対する処理は、アドレス指定要求メッセージがアップリンクＣＰＲＩポートにおいて受信される場合、アドレス指定要求メッセージは電力ケーブルポート及びダウンリンクＣＰＲＩポートに転送されるという原則、及び、アドレス指定要求メッセージが電力ケーブルポートにおいて受信される場合、アドレス指定要求メッセージは破棄されるという原則を満たしてよい。
【０１８３】
ターゲットＲＥについて、アドレス指定要求メッセージに対する処理は、アドレス指定要求メッセージが電力ケーブルポートにおいて受信される場合、アドレス指定応答メッセージは電力ケーブルポートにおいて返されるという原則を満たしてよい。
【０１８４】
例えば、ＲＥ１について、ＲＥ１が、アップリンクＣＰＲＩポートを介してアドレス指定要求メッセージを受信した場合、ＲＥ１は、ダウンリンクＣＰＲＩポート及び電力ケーブルポートを介してアドレス指定要求メッセージを転送してよく、ＲＥ１が電力ケーブルポートを介してアドレス指定要求メッセージを受信した場合、ＲＥ１は、アドレス指定要求メッセージを破棄してよい。
【０１８５】
例えば、ＲＥ２について、ＲＥ２がＲＥ１によって転送されたアドレス指定要求メッセージを、アップリンクＣＰＲＩポートを介して受信した場合、ＲＥ２は、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、アドレス指定要求メッセージを破棄してよい。
【０１８６】
例えば、ＲＥ３について、ＲＥ３がＲＥ２によって転送されたアドレス指定要求メッセージを、アップリンクＣＰＲＩポートを介して受信した場合、ＲＥ３は、ダウンリンクＣＰＲＩポート及び電力ケーブルポートを介してアドレス指定要求メッセージを転送してよく、ＲＥ３が電力ケーブルポートを介してアドレス指定要求メッセージを受信した場合、ＲＥ３は、アドレス指定要求メッセージを破棄してよい。
【０１８７】
例えば、ＲＥ４について、ＲＥ４がＲＥ３によって転送されたアドレス指定要求メッセージを、アップリンクＣＰＲＩポートを介して受信した場合、ＲＥ４は、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、アドレス指定要求メッセージを破棄してよい。
【０１８８】
例えば、ＲＥ５について、ＲＥ５は、電力ケーブルを通じて各ＲＥによって転送されたアドレス指定要求メッセージを、電力ケーブルポートを介して受信し、各ＲＥによって転送されたアドレス指定要求メッセージに対応するアドレス指定応答メッセージを、電力ケーブルポートを介して別個に送信する。ＲＥ４からＲＥ５へのＣＰＲＩ回線には障害があるので、ＲＥ５は、ダウンリンクＣＰＲＩポートを介してＲＥ４によって転送されたアドレス指定要求メッセージを受信することができない。
【０１８９】
以下の２つの方式で、アドレス指定応答メッセージの復路が実施されてよい。
【０１９０】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ターゲットＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０１９１】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。 
【０１９２】
例えば、電力ケーブルポートにおいてＲＥ５のアドレス指定応答メッセージを受信した後、ＲＥ４は、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定応答メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。電力ケーブルを通じてＲＥ２及びＲＥ１によって受信されたＲＥ５のアドレス指定応答メッセージに対する処理は、ＲＥ３及びＲＥ４のアドレス指定応答メッセージに対する処理と同様である。ＲＥＣは、複数のアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ３においてＣＰＲＩプロトコルカプセル化処理が実行されたメッセージである場合、ＲＥＣは、ＲＥ５と通信するために使用される予備回線の経路は、送信予定メッセージがＣＰＲＩ回線を通じてＲＥ１及びＲＥ２によってトランスペアレントに送信され、ＲＥ３に到着し、その後、電力ケーブルを通じてＲＥ３によってＲＥ５に送信されるというものであると、初回に受信されたアドレス指定応答メッセージにカプセル化されたＲＥ３についての情報に従って決定する。
【０１９３】
図５では、ＲＥＣ、ＲＥ１、及びＲＥ２が同じ電力ケーブル網に属し、ＲＥ３、ＲＥ４、及びＲＥ５が別の電力ケーブル網に属しており、ＲＥ４からＲＥ５へのＣＰＲＩ通信回線に障害がある、例えば、ＲＥ５のハードウェア障害又はＲＥ５の不適切な光ポートパラメータに起因して、ＲＥ４からＲＥ５へのＣＰＲＩ通信回線に障害があると仮定する。ＲＥＣは、ＲＥ５と通信するために使用される主回線に障害があると決定した後、電力ケーブルポート及びＣＰＲＩポートを介して、ＲＥ５に固有のアドレス指定要求メッセージを送信する。図５では、ＲＥＣとＲＥ５とは同じ電力ケーブル網に属さないので、ＲＥＣは、電力ケーブルポート及びＣＰＲＩポートを介して、又は、ＣＰＲＩポートを介してアドレス指定要求メッセージを送信してよい。任意選択で、ＲＥＣは、ＲＥＣ及びＲＥ５が同じ電力ケーブル網に属するかどうかを判断しなくてよく、ＲＥＣが属するＣＰＲＩポート及び電力ケーブルポートに従って、アドレス指定要求メッセージを直接送信してよい。ＲＥＣによって送信されたアドレス指定要求メッセージは、電力ケーブルを通ってＲＥ１及びＲＥ２に直接到着し、ＣＰＲＩ通信回線を通ってＲＥ１に到着してよい。
【０１９４】
各非ターゲットＲＥについて、アドレス指定要求メッセージに対する処理は、アドレス指定要求メッセージがアップリンクＣＰＲＩポートにおいて受信される場合、アドレス指定要求メッセージは電力ケーブルポート及びダウンリンクＣＰＲＩポートに転送されるという原則、及び、アドレス指定要求メッセージが電力ケーブルポートにおいて受信される場合、アドレス指定要求メッセージは破棄されるという原則を満たしてよい。ターゲットＲＥについては、アドレス指定要求メッセージに対する処理は、アドレス指定要求メッセージが電力ケーブルポートにおいて受信された場合、アドレス指定応答メッセージは電力ケーブルポートにおいて返されるという原則を満たしてよい。
【０１９５】
例えば、ＲＥ１について、ＲＥ１が、アップリンクＣＰＲＩポートを介してアドレス指定要求メッセージを受信した場合、ＲＥ１は、ダウンリンクＣＰＲＩポート及び電力ケーブルポートを介してアドレス指定要求メッセージを転送してよく、ＲＥ１が電力ケーブルポートを介してアドレス指定要求メッセージを受信した場合、ＲＥ１は、アドレス指定要求メッセージを破棄してよい。
【０１９６】
例えば、ＲＥ２について、ＲＥ２がＲＥ１によって転送されたアドレス指定要求メッセージを、アップリンクＣＰＲＩポートを介して受信した場合、ＲＥ２は、ダウンリンクＣＰＲＩポート及び電力ケーブルポートを介してアドレス指定要求メッセージを転送してよく、ＲＥ２が電力ケーブルポートを介してアドレス指定要求メッセージを受信した場合、ＲＥ２は、アドレス指定要求メッセージを破棄してよい。
【０１９７】
例えば、ＲＥ３について、ＲＥ３がＲＥ２によって転送されたアドレス指定要求メッセージを、アップリンクＣＰＲＩポートを介して受信した場合、ＲＥ３は、ダウンリンクＣＰＲＩポート及び電力ケーブルポートを介してアドレス指定要求メッセージを転送してよい。
【０１９８】
例えば、ＲＥ４について、ＲＥ４がＲＥ３によって転送されたアドレス指定要求メッセージを、アップリンクＣＰＲＩポートを介して受信した場合、ＲＥ４は、ダウンリンクＣＰＲＩポート及び電力ケーブルポートを介してアドレス指定要求メッセージを転送してよく、ＲＥ４が電力ケーブルポートを介してアドレス指定要求メッセージを受信した場合、ＲＥ４は、アドレス指定要求メッセージを破棄してよい。
【０１９９】
例えば、ＲＥ５について、ＲＥ５は、電力ケーブルを通じてＲＥ３及びＲＥ４によって転送されたアドレス指定要求メッセージを、電力ケーブルポートを介して受信し、ＲＥ３及びＲＥ４によって転送されたアドレス指定要求メッセージに固有のアドレス指定応答メッセージを、電力ケーブルポートを介して別個に送信する。ＲＥ４からＲＥ５へのＣＰＲＩ回線には障害があるので、ＲＥ５は、ダウンリンクＣＰＲＩポートを介してＲＥ４によって転送されたアドレス指定要求メッセージを受信することができない。
【０２００】
以下の２つの方式で、アドレス指定応答メッセージの復路が実施されてよい。
【０２０１】
第１の方式では、アドレス指定要求メッセージを転送する場合、各ＲＥは、各ＲＥにおける転送経路についての情報（例えば、受信ポート及び送信ポートについての情報）をアドレス指定要求メッセージに追加してよい。このように、アドレス指定要求メッセージは、各転送ノードにおける転送経路についての情報を保持してよい。アドレス指定要求メッセージに固有のアドレス指定応答メッセージを送信する場合、ターゲットＲＥは、アドレス指定要求メッセージ内の転送経路についての情報をアドレス指定応答メッセージに追加してよく、これにより、アドレス指定応答メッセージは、対応するアドレス指定要求メッセージの逆経路に従ってＲＥＣに返される。
【０２０２】
第２の方式では、各ＲＥについて、電力ケーブルポート又はダウンリンクＣＰＲＩポートにおいてアドレス指定応答メッセージを受信した後、各ＲＥは、アドレス指定応答メッセージをアップリンクＣＰＲＩポートに転送する。 
【０２０３】
例えば、電力ケーブルポートにおいてＲＥ５のアドレス指定応答メッセージを受信した後、ＲＥ４は、アドレス指定要求メッセージをＣＰＲＩプロトコルメッセージの中にカプセル化し、アップリンクＣＰＲＩポートを介してアドレス指定応答メッセージを転送してよく、アドレス指定応答メッセージは、ＲＥ３、ＲＥ２、及びＲＥ１によってトランスペアレントに送信され、ＲＥＣに到着する。ＲＥ３は、電力ケーブルポートにおいてＲＥ５のアドレス指定応答メッセージを受信した後、アドレス指定応答メッセージをＣＰＲＩプロトコルメッセージの中にカプセル化し、アップリンクＣＰＲＩポートを介してアドレス指定応答メッセージを転送してよく、アドレス指定応答メッセージは、ＲＥ２及びＲＥ１によってトランスペアレントに送信され、ＲＥＣに到着する。ＲＥＣは、複数のアドレス指定応答メッセージの経路から、ＲＥ５と通信するために使用される予備回線を選択する、例えば、ＲＥ５から初回に受信された応答メッセージの経路が予備回線であると決定してよい。例えば、初回に受信されたアドレス指定応答メッセージが、ＲＥ３においてＣＰＲＩプロトコルカプセル化処理が実行されたメッセージである場合、ＲＥＣは、ＲＥ５と通信するために使用される予備回線の経路は、送信予定メッセージがＣＰＲＩ回線を通じてＲＥ１及びＲＥ２によってトランスペアレントに送信され、ＲＥ３に到着し、その後、電力ケーブルを通じてＲＥ３によってＲＥ５に送信されるというものであると、初回に受信されたアドレス指定応答メッセージにカプセル化されたＲＥ３についての情報に従って決定する。 
【０２０４】
故に、本発明のこの実施形態では、ＲＥと通信するために使用される主回線に障害があるとＲＥＣが決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２０５】
本発明のこの実施形態において、ＲＥＣとＲＥとが同じ電力ケーブル網に属することは、ＲＥＣ及びＲＥが電力ケーブルを通じてのみ通信できることを意味することを理解すべきである。ＲＥＣとＲＥとが同じ電力ケーブル網に属さないことは、ＲＥＣとＲＥとは、電力ケーブルを通じてだけでは通信することができないことを意味する。
【０２０６】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０２０７】
図６は、本発明の実施形態に係るＲＥＣ２００の概略ブロック図である。図６に示されるように、ＲＥＣ２００は、
第１のＲＥと通信するためにＲＥＣ２００によって使用される主回線に障害があると決定するよう構成される第１の決定ユニット２１０と、
第１のＲＥと通信するためにＲＥＣ２００によって使用される予備回線を決定するよう構成される第２の決定ユニット２２０と、
予備回線を使用することによって、第１のＲＥと通信するよう構成される通信ユニット２３０とを備える。
【０２０８】
故に、本発明のこの実施形態において、任意のＲＥと通信するためにＲＥＣ２００によって使用される主回線に障害があると第１の決定ユニットが決定した場合、第２の決定ユニット２２０は、その主回線に障害があるＲＥと通信するためにＲＥＣ２００によって使用される予備回線を決定してよく、通信ユニット２３０が、予備回線を使用することによって、その主回線に障害があるＲＥと通信する。故に、主回線に障害がある場合、人力での現場処理は必要なく、維持費が低減され、サービス中断時間が減り、それにより、ユーザエクスペリエンスが改善される。
【０２０９】
本発明のこの実施形態では、ＲＥＣ２００はまた、ＢＢＵと称されてよく、ＲＥはまた、ＲＲＵと称されてよい。
【０２１０】
本発明のこの実施形態では、主回線はＣＰＲＩ通信回線であってよく、予備回線は、電力ケーブル線であってよい、又は、電力ケーブルに加えてＣＰＲＩ通信回線であってよい。言うまでもなく、主回線は電力ケーブル線であってよいか、又は、電力ケーブルに加えてＣＰＲＩ通信回線であってよく、予備回線はＣＰＲＩ通信回線であるか、又は、別の方式であり、このことは適用シナリオに従って具体的に決定されてよく、本発明のこの実施形態によっては限定されない。しかしながら、本発明のこの実施形態では、主回線はＣＰＲＩ通信回線であり、予備回線は、電力ケーブル線である、又は、電力ケーブルに加えてＣＰＲＩ通信回線であるということが、説明のために主に使用される。
【０２１１】
ＲＥＣ及びＲＥは本質的に、電力ケーブル網によって電力を供給されるので、本発明のこの実施形態では、ＲＥＣとＲＥとの間のＣＰＲＩ通信回線において障害が発生した場合、ＲＥＣとＲＥとの間での通信は、ＲＥＣ及びＲＥの電力ケーブル網を使用することによって実施される。
【０２１２】
本発明のこの実施形態では、ＣＰＲＩ通信回線は、ＣＰＲＩプロトコルをサポートする回線を指し、ＣＰＲＩ通信回線は、光ファイバ、同軸ケーブル、及びイーサネット（登録商標）ケーブルの少なくとも１つを含んでよい。
【０２１３】
本発明のこの実施形態では、通信ユニット２３０は具体的に、
ＲＥＣによって使用される主回線を復旧して第１のＲＥと通信すべく、予備回線を通じて第１のＲＥをリセット又はアップグレードするよう構成されている。
【０２１４】
例えば、第１のＲＥの主回線の障害の原因はＲＥの光ポートパラメータが不適切なことである。故に、主回線を復旧するように、ＲＥの光ポートパラメータは予備回線を通じて変更されてよい。
【０２１５】
別の例の場合、問題はＲＥのハードウェアにおいて発生する。その結果、ＲＥは正常に開始することができず、電源オン及び電源オフを実行することでしか復旧され得ない。この場合、ＲＥにおいて問題が既に発生しているので、ＣＰＲＩ通信回線を使用することによってＲＥとの通信を問題なく実行することはできない。故に、第２の決定ユニット２２０は、電力ケーブルを含んでよい予備回線を決定してよく、通信ユニット２３０は、電源オン及び電源オフを実行するようＲＥに命令すべく、予備回線を通じてＲＥにインジケーション情報を送信してよい。
【０２１６】
本発明のこの実施形態では、ＲＥＣ２００は、リアルタイムで全ての制御されたＲＥを（例えば、定期的に、又は初期化段階において）スキャンし、その主回線に障害があるＲＥを決定し、その主回線に障害があるＲＥの予備回線を決定してよく、ＲＥＣ２００はまた、ＲＥと通信するために使用される主回線に障害があると、ＲＥとハートビートメッセージを交換することによって決定し、ＲＥと通信するために使用される予備回線を決定してよい。理解し易くするために、２つの場合が、実施形態Ｃ及び実施形態Ｄに関して以下で詳細に説明される。
［実施形態Ｃ］
【０２１７】
この実施形態では、ＲＥＣ２００は、全ての制御されたＲＥにおける、その主回線に障害があるＲＥ（第１のＲＥ）をリアルタイムで（例えば、定期的に、又は初期化段階において）スキャンし、その主回線に障害があるＲＥの予備回線を決定してよい。
【０２１８】
任意選択で、図７に示されるように、第１の決定ユニット２１０は、第１の送信サブユニット２１１、第１の受信サブユニット２１２、及び第１の決定サブユニット２１３を備え、ここで、第１の送信サブユニット２１１は、ＣＰＲＩポートを介して、又は、電力ケーブルポート及びＣＰＲＩポートを介して、全ての制御されたＲＥに固有のアドレス指定要求メッセージを送信するよう構成されており、第１の受信サブユニット２１２は、第１のＲＥを含む少なくとも１つのＲＥからアドレス指定応答メッセージを受信するよう構成されており、第１の決定サブユニット２１３は、第１のＲＥから第１の受信サブユニット２１２によって受信された少なくとも１つのアドレス指定応答メッセージの経路が主回線を含まないと決定された場合、第１のＲＥと通信するために使用される主回線に障害があると決定するよう構成されている。第２の決定ユニット２２０は具体的に、第１のＲＥから第１の受信サブユニット２１２によって受信された少なくとも１つのアドレス指定応答メッセージの経路が主回線を含まない場合、第１のＲＥと通信するために使用される予備回線を、少なくとも１つのアドレス指定応答メッセージの経路に従って決定するよう構成されている。
【０２１９】
任意選択で、第１の送信サブユニット２１１は具体的に、
ＲＥＣ２００と同じ電力ケーブル網に属するＲＥが全てのＲＥの中に存在する場合、ＣＰＲＩポート及び電力ケーブルポートを介して全てのＲＥに固有のアドレス指定要求メッセージを送信する、又は、
ＲＥＣ２００と同じ電力ケーブル網に属するＲＥが全てのＲＥの中に存在しない場合、ＣＰＲＩポートを介して、又は、ＣＰＲＩポート及び電力ケーブルポートを介して、全てのＲＥに固有のアドレス指定要求メッセージを送信するよう構成されている。
【０２２０】
任意選択で、第２の決定ユニット２２０は具体的に、
第１のＲＥから初回に受信サブユニット２１２によって受信されたアドレス指定応答メッセージの経路が、第１のＲＥと通信するために使用される予備回線であると決定するよう構成されている。
【０２２１】
実施形態ＣのＲＥＣ２００は実施形態ＡのＲＥＣに対応していてよく、ＲＥＣ２００は、実施形態ＡのＲＥＣの対応する機能を有してよいことが理解されるべきであり、簡潔にするために、詳細は本明細書において再度提供されない。
【０２２２】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
［実施形態Ｄ］
【０２２３】
この実施形態では、ＲＥＣ２００は、ＲＥと通信するためにＲＥＣ２００によって使用される主回線に障害があるかどうかを、ＲＥＣ２００とＲＥとの間でハートビートを使用することによって判断してよい。具体的には、ＲＥＣ２００及びＲＥは、主回線を通じて互いにハートビートメッセージを交換し、ＲＥＣ２００が、ＲＥによって送信されるハートビート情報を、予め定められた回数にわたって受信しない場合、ＲＥＣは、ＲＥと通信するためにＲＥＣによって使用される主回線に障害があると決定する。
【０２２４】
任意選択で、図８に示されるように、第２の決定ユニット２２０は、第１のＲＥと通信するためにＲＥＣ２００によって使用される主回線に障害があると第１の決定ユニット２１０が決定した後、電力ケーブルポート及びＣＰＲＩポートの少なくとも１つを介して第１のＲＥに固有のアドレス指定要求メッセージを送信するよう構成される第２の送信サブユニット２２１と、第１のＲＥから少なくとも１つのアドレス指定応答メッセージを受信するよう構成される第２の受信サブユニット２２２と、第２の受信サブユニット２２２によって受信された少なくとも１つのアドレス指定応答メッセージの経路に従って、第１のＲＥと通信するために使用される予備回線を決定するよう構成される第２の決定サブユニット２２３とを含む。
【０２２５】
任意選択で、第２の送信サブユニット２２１は具体的に、ＲＥＣ２００と第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージを送信する、又は、ＲＥＣ２００と第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージを送信するよう構成されている。
【０２２６】
任意選択で、第２の決定サブユニット２２３は具体的に、
第１のＲＥから初回に第２の受信サブユニット２２２によって受信されたアドレス指定応答メッセージの経路が、第１のＲＥと通信するために使用される予備回線であると決定するよう構成されている。
【０２２７】
任意選択で、通信ユニット２３０は具体的に、
ＲＥＣによって使用される主回線を復旧して第１のＲＥと通信すべく、予備回線を通じて第１のＲＥをリセット又はアップグレードするよう構成されている。
【０２２８】
実施形態ＤのＲＥＣ２００は実施形態ＢのＲＥＣに対応していてよく、ＲＥＣ２００は、実施形態ＢのＲＥＣの対応する機能を有してよいことが理解されるべきであり、簡潔にするために、詳細は本明細書において再度提供されない。
【０２２９】
故に、本発明のこの実施形態では、ＲＥと通信するために使用される主回線に障害があるとＲＥＣが決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２３０】
本発明のこの実施形態において、ＲＥＣとＲＥとが同じ電力ケーブル網に属することは、ＲＥＣ及びＲＥが電力ケーブルを通じてのみ通信できることを意味することを理解すべきである。ＲＥＣとＲＥとが同じ電力ケーブル網に属さないことは、ＲＥＣとＲＥとは、電力ケーブルを通じてだけでは通信することができないことを意味する。
【０２３１】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０２３２】
図９は、本発明の実施形態に係るＲＥ３００の概略ブロック図である。図９に示されるように、ＲＥ３００は、ＲＥＣによって送信されたアドレス指定要求メッセージを、アップリンクＣＰＲＩポート又は電力ケーブルポートである第１のポートを介して受信するよう構成される受信ユニット３１０と、
当該アドレス指定要求メッセージがそれに対して固有である対象がＲＥ３００を含むと、受信ユニット３１０によって受信されたアドレス指定要求メッセージに従って決定するよう構成される決定ユニット３２０と、
第１のポートを介して、第１のアドレス指定応答メッセージをＲＥＣに送信するよう構成される送信ユニット３３０とを備える。
【０２３３】
任意選択で、アドレス指定要求メッセージは、ＲＥＣからＲＥ３００への転送経路についての情報を保持し、送信ユニット３３０が、第１のポートを介して、第１のアドレス指定応答メッセージをＲＥＣに送信する前に、送信ユニット３３０は更に、第１のアドレス指定応答メッセージがアドレス指定要求メッセージの逆経路に従ってＲＥＣに返されるよう、ＲＥＣからＲＥ３００への転送経路についての情報を第１のアドレス指定応答メッセージに追加するよう構成されている。
【０２３４】
本発明のこの実施形態では、ＲＥ３００は、当該アドレス指定要求メッセージがそれに対して一意に固有である対象であってよく、この場合、ＲＥ３００は、実施形態ＢのＲＥ５に対応していてよく、ＲＥ５の対応する機能を実施できることが理解されるべきである。
【０２３５】
故に、本発明のこの実施形態では、ＲＥＣが、ＲＥと通信するために使用される主回線に障害があると決定した後、ＲＥＣは、ＲＥに固有のアドレス指定要求メッセージを送信してよく、ＲＥは、ＲＥＣによって送信されたアドレス指定要求メッセージに従ってアドレス指定応答メッセージを返し、これにより、ＲＥＣは、その主回線に障害があるＲＥと通信するために使用される予備回線を、ＲＥによって返されたアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２３６】
本発明のこの実施形態では、当該アドレス指定要求メッセージがそれに対して固有である対象は更に、ＲＥ３００以外に別のＲＥを含んでよいことが更に理解されるべきである。理解し易くするために、この場合については、実施形態Ｅに関して以下で詳細に説明される。
［実施形態Ｅ］
【０２３７】
この実施形態では、決定ユニット３２０は更に、アドレス指定要求メッセージに従って、当該アドレス指定要求メッセージがそれに対して固有である対象が更に別のＲＥを含むと決定するよう構成されており、第１のポートがアップリンクＣＰＲＩポートである場合、送信ユニット３３０は更に、ダウンリンクＣＰＲＩポート及び電力ケーブルポートを介して、アドレス指定要求メッセージを転送するよう構成されている。
【０２３８】
任意選択で、送信ユニット３３０が、ダウンリンクＣＰＲＩポート及び電力ケーブルポートを介してアドレス指定要求メッセージを転送する前に、送信ユニット３３０は更に、ＲＥ３００における転送経路についての情報をアドレス指定要求メッセージに追加するよう構成されており、送信ユニット３３０が、ダウンリンクＣＰＲＩポート及び電力ケーブルポートを介してアドレス指定要求メッセージを転送した後、受信ユニット３１０は更に、ダウンリンクＣＰＲＩポートを介して、又は、電力ケーブルポートを介して、ＲＥ３００における転送経路のメッセージを保持する第２のアドレス指定応答メッセージを受信するよう構成されており、送信ユニットは更に、ＲＥ３００における転送経路についての情報に従って、第２のアドレス指定応答メッセージを転送するよう構成されている。
【０２３９】
任意選択で、受信ユニット３１０は更に、ダウンリンクＣＰＲＩポート又は電力ケーブルポートを介して、第２のアドレス指定応答メッセージを受信するよう構成されており、送信ユニット３３０は更に、アップリンクＣＰＲＩポートを介して、第２のアドレス指定応答メッセージを転送するよう構成されている。
【０２４０】
任意選択で、受信ユニット３１０は更に、ダウンリンクＣＰＲＩポート又は電力ケーブルポートを介して第２のアドレス指定応答メッセージを受信するよう構成されており、送信ユニット３３０は更に、アップリンクＣＰＲＩポートを介して、第２のアドレス指定応答メッセージを転送するよう構成されている。
【０２４１】
任意選択で、アドレス指定要求メッセージは、ＲＥＣからＲＥ３００への転送経路についての情報を保持し、送信ユニット３３０が、第１のポートを介して、第１のアドレス指定応答メッセージをＲＥＣに送信する前に、送信ユニット３３０は更に、第１のアドレス指定応答メッセージがアドレス指定要求メッセージの逆経路に従ってＲＥＣに返されるよう、ＲＥＣからＲＥ３００への転送経路についての情報を第１のアドレス指定応答メッセージに追加するよう構成されている。
【０２４２】
実施形態Ｅでは、ＲＥ３００は、実施形態ＡのＲＥ１、ＲＥ２、ＲＥ３、ＲＥ４、及びＲＥ５における任意のＲＥに対応していてよく、当該任意のＲＥの対応する機能を実施でき、簡潔にするために、詳細は本明細書において再度提供されない。
【０２４３】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
【０２４４】
図１０は、本発明の実施形態に係るＲＥ４００の概略ブロック図である。図１０に示されるように、ＲＥ４００は、ＲＥＣによって送信されたアドレス指定要求メッセージを、第１のポートを介して受信するよう構成される受信ユニット４１０と、当該アドレス指定要求メッセージがそれに対して固有である対象がＲＥ４００を含まないと、アドレス指定要求メッセージに従って決定するよう構成される決定ユニット４２０と、第１のポートが、アップリンク共通公衆無線インタフェースＣＰＲＩポートである場合、電力ケーブルポート及びダウンリンクＣＰＲＩポートを介してアドレス指定要求メッセージを転送するよう構成される送信ユニット４３０とを備える。
【０２４５】
任意選択で、第１のポートが電力ケーブルポートである場合、送信ユニット４３０は更に、アドレス指定要求メッセージを破棄するよう構成されている。
【０２４６】
任意選択で、送信ユニット４３０が、ダウンリンクＣＰＲＩポート及び電力ケーブルポートを介して、アドレス指定要求メッセージを転送する前に、送信ユニット４３０は更に、ＲＥ４００における転送経路についての情報をアドレス指定要求メッセージに追加するよう構成されており、送信ユニット４３０が、ダウンリンクＣＰＲＩポート及び電力ケーブルポートを介して、アドレス指定要求メッセージを転送した後、受信ユニットは更に、ダウンリンクＣＰＲＩポート又は電力ケーブルポートを介して、ＲＥ４００における転送経路についての情報を保持するアドレス指定応答メッセージを受信するよう構成されており、送信ユニット４３０は更に、ＲＥ４００における転送経路についての情報に従って、アドレス指定応答メッセージを転送するよう構成されている。
【０２４７】
任意選択で、送信ユニット４３０が、電力ケーブルポート及びダウンリンクＣＰＲＩポートを介して、アドレス指定要求メッセージを転送した後、受信ユニット４１０は更に、ダウンリンクＣＰＲＩポート又は電力ケーブルポートを介して、アドレス指定応答メッセージを受信するよう構成されており、送信ユニット４３０は更に、アップリンクＣＰＲＩポートを介して、アドレス指定応答メッセージを転送するよう構成されている。
【０２４８】
任意選択で、ＲＥ４００は、実施形態ＢのＲＥ１、ＲＥ２、ＲＥ３、及びＲＥ４における任意のＲＥに対応していてよく、当該任意のＲＥの機能を実施でき、簡潔にするために、詳細は本明細書において再度提供されない。
【０２４９】
故に、本発明のこの実施形態では、ＲＥと通信するために使用される主回線に障害があるとＲＥＣが決定した後、ＲＥＣは、ＲＥに固有のアドレス指定要求メッセージを送信してよく、非ターゲットＲＥが、アドレス指定要求メッセージを受信した場合、アドレス指定要求メッセージを転送し、ターゲットＲＥが、アドレス指定要求メッセージを受信した場合、ＲＥＣによって送信されたアドレス指定要求メッセージに従って、アドレス指定応答メッセージを返し、これにより、ＲＥＣは、その主回線に障害があるターゲットＲＥと通信するために使用される予備回線を、ターゲットＲＥによって返されたアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２５０】
図１１は、本発明の実施形態に係るＲＥＣ５００の概略ブロック図である。図１１に示されるように、ＲＥＣ５００は、メモリ５１１、プロセッサ５１２、及び送受信機５１３を備える。プロセッサ５１２、送受信機５１３、及びメモリ５１１は、バス５１４を使用することによって接続されており、メモリ５１１は、プログラムコードを格納しており、プロセッサ５１２は、メモリ５１１内のプログラムコードを呼び出して、
第１の無線機器ＲＥと通信するためにＲＥＣ５００によって使用される主回線に障害があると決定する処理と、
第１のＲＥと通信するためにＲＥＣ５００によって使用される予備回線を決定する処理と、
予備回線を使用することによって、第１のＲＥと、送受信機５１３を制御することによって通信する処理とを実行する。
【０２５１】
故に、本発明のこの実施形態では、任意のＲＥと通信するために使用される主回線に障害があるとＲＥＣ５００が決定した場合、ＲＥＣ５００は、その主回線に障害があるＲＥと通信するために使用される予備回線を決定し、予備回線を使用することによって、その主回線に障害があるＲＥと通信してよい。故に、主回線に障害がある場合、人力での現場処理は必要なく、維持費が低減され、サービス中断時間が減り、それにより、ユーザエクスペリエンスが改善される。
【０２５２】
本発明のこの実施形態では、プロセッサ５１２は、中央演算処理装置（Ｃｅｎｔｒａｌ  Ｐｒｏｃｅｓｓｉｎｇ  Ｕｎｉｔ、略して「ＣＰＵ」）であってよく、プロセッサ５１２はまた、別の汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート、トランジスタロジックデバイス、又はディスクリートハードウェアコンポーネントであってよいことが理解されるべきである。汎用プロセッサはマイクロプロセッサであってよい、又は、プロセッサは任意の従来のプロセッサであってよい。
【０２５３】
メモリ５１１は、リードオンリメモリ及びランダムアクセスメモリを含んでよく、プロセッサ５１２に命令及びデータを提供する。メモリ５１１の一部は更に、不揮発性ランダムアクセスメモリを含んでよい。例えば、メモリ５１１は更に、デバイスタイプについての情報を格納してよい。
【０２５４】
バスシステム５１４は、データバスのみならず、電力バス、制御バス、状態信号バス、及び同様のものも含む。しかしながら、明確な説明のために、図中、バスシステム５１４として様々なバスが示される。
【０２５５】
実施プロセスでは、上述の方法の段階は、プロセッサ５１２内のハードウェアの集積論理回路、又はソフトウェア形態の命令を使用することによって完了され得る。本発明の実施形態に関して、開示された方法における段階は、ハードウェアプロセッサによって直接完了されてよい、又は、プロセッサ内のハードウェアモジュール及びソフトウェアモジュールの組み合わせによって完了されてよい。ソフトウェアモジュールは、ランダムアクセスメモリ、フラッシュメモリ、リードオンリメモリ、プログラマブルリードオンリメモリ、電気的消去可能プログラマブルメモリ、又はレジスタなどの、当該技術分野における完成された記憶媒体内に配置されてよい。記憶媒体は、メモリ５１１内に配置され、プロセッサ５１２は、メモリ５１１内の情報を読み出し、それのハードウェアと組み合わせて上述の方法段階を完了する。繰り返しを避けるために、詳細は本明細書において再度提供されない。
【０２５６】
本発明のこの実施形態では、ＲＥＣ５００はまた、ＢＢＵと称されてよく、ＲＥはまた、ＲＲＵと称されてよい。
【０２５７】
本発明のこの実施形態では、主回線はＣＰＲＩ通信回線であってよく、予備回線は、電力ケーブル線であってよい、又は、電力ケーブルに加えてＣＰＲＩ通信回線であってよい。言うまでもなく、主回線は電力ケーブル線であってよいか、又は、電力ケーブルに加えてＣＰＲＩ通信回線であってよく、予備回線はＣＰＲＩ通信回線であってよいか、又は、別の方式であってよく、このことは適用シナリオに従って具体的に決定されてよく、本発明のこの実施形態によっては限定されない。しかしながら、本発明のこの実施形態では、主回線はＣＰＲＩ通信回線であり、予備回線は、電力ケーブル線である、又は、電力ケーブルに加えてＣＰＲＩ通信回線であるということが、説明のために主に使用される。
【０２５８】
ＲＥＣ及びＲＥは本質的に、電力ケーブル網によって電力を供給されるので、本発明のこの実施形態では、ＲＥＣとＲＥとの間のＣＰＲＩ通信回線において障害が発生した場合、ＲＥＣとＲＥとの間での通信は、ＲＥＣ及びＲＥの電力ケーブル網を使用することによって実施される。
【０２５９】
本発明のこの実施形態では、ＣＰＲＩ通信回線は、ＣＰＲＩプロトコルをサポートする回線を指し、ＣＰＲＩ通信回線は、光ファイバ、同軸ケーブル、及びイーサネット（登録商標）ケーブルの少なくとも１つを含んでよい。
【０２６０】
本発明のこの実施形態では、プロセッサ５１２は、メモリ５１１内のプログラムコードを呼び出して、具体的に、
ＲＥＣによって使用される主回線を復旧して第１のＲＥと通信すべく、予備回線を通じて第１のＲＥをリセット又はアップグレードする処理を実行する。
【０２６１】
例えば、第１のＲＥの主回線の障害の原因はＲＥの光ポートパラメータが不適切なことである。故に、主回線を復旧するように、ＲＥの光ポートパラメータは予備回線を通じて変更されてよい。
【０２６２】
別の例の場合、問題はＲＥのハードウェアにおいて発生する。その結果、ＲＥは正常に開始することができず、電源オン及び電源オフを実行することでしか復旧され得ない。この場合、ＲＥにおいて問題が既に発生しているので、ＣＰＲＩ通信回線を使用することによってＲＥとの通信を問題なく実行することはできない。故に、電力ケーブルを含んでよい予備回線が決定されてよく、電源オン及び電源オフを実行させるようＲＥに命令すべく、インジケーション情報が予備回線を通じてＲＥに送信されてよい。
【０２６３】
本発明のこの実施形態では、ＲＥＣは、全ての制御されたＲＥをスキャンし、全てのＲＥにおいて、その主回線に障害があるＲＥを決定し、その主回線に障害があるＲＥの予備回線を決定し、ＲＥＣはまた、主回線を通じてＲＥへの通信接続を確立した後、ＲＥと通信するために使用される主回線に障害があると決定し、ＲＥと通信するために使用される予備回線を決定してよい。理解し易くするために、２つの場合が、実施形態Ｆ及び実施形態Ｇに関して以下で詳細に説明される。
［実施形態Ｆ］
【０２６４】
全ての制御されたＲＥがスキャンされ、全てのＲＥにおける、その主回線に障害があるＲＥ（第１のＲＥ）が決定され、その主回線に障害があるＲＥの予備回線が決定される。
【０２６５】
任意選択で、プロセッサ５１２は、メモリ５１１内のプログラムコードを呼び出して、具体的に、
ＣＰＲＩポートを介して、又は、電力ケーブルポート及びＣＰＲＩポートを介して、全ての制御されたＲＥに固有のアドレス指定要求メッセージを送信するよう送受信機５１３を制御する処理と、第１のＲＥを含む少なくとも１つのＲＥからアドレス指定応答メッセージを受信するよう送受信機５１３を制御する処理と、第１のＲＥからの少なくとも１つのアドレス指定応答メッセージの経路が主回線を含まない場合、第１のＲＥと通信するために使用される主回線に障害があり、第１のＲＥからの少なくとも１つのアドレス指定応答メッセージの経路が主回線を含まない場合、第１のＲＥと通信するために使用される予備回線を、少なくとも１つのアドレス指定応答メッセージの経路に従って決定する処理とを実行する。
【０２６６】
任意選択で、プロセッサ５１２は、メモリ５１１内のプログラムコードを呼び出して、具体的に、ＲＥＣ５００と同じ電力ケーブル網に属するＲＥが全てのＲＥの中に存在する場合、ＣＰＲＩポート及び電力ケーブルポートを介して、全てのＲＥに固有のアドレス指定要求メッセージを送信するよう送受信機５１３を制御する処理、又は、ＲＥＣ５００と同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージを送信するよう送受信機５１３を制御する処理を実行する。
【０２６７】
任意選択で、プロセッサ５１２は、メモリ５１１内のプログラムコードを呼び出して、具体的に、
第１のＲＥから初回に受信されたアドレス指定応答メッセージの経路が、第１のＲＥと通信するために使用される予備回線であると決定する処理を実行する。
【０２６８】
実施形態ＦのＲＥＣ２００は、実施形態ＡのＲＥＣに対応していてよく、ＲＥＣ５００は、実施形態ＡのＲＥＣの対応する機能を有してよいことが理解されるべきであり、簡潔にするために、詳細は本明細書において再度提供されない。
【０２６９】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
［実施形態Ｇ］
【０２７０】
この実施形態では、ＲＥと通信するために使用される主回線に障害があると、第１のＲＥとハートビートメッセージを交換することによってＲＥＣ５００が決定した後、ＲＥＣ５００は、ＲＥと通信するために使用される予備回線を決定し、予備回線を使用することによって第１のＲＥと通信する。
【０２７１】
任意選択で、プロセッサ５１２は、メモリ５１１内のプログラムコードを呼び出して、具体的に、
第１のＲＥと通信するために使用される主回線に障害があると決定された後、電力ケーブルポート及びＣＰＲＩポートの少なくとも１つを介して、第１のＲＥに固有のアドレス指定要求メッセージを送信するよう送受信機５１３を制御する処理、第１のＲＥからの少なくとも１つのアドレス指定応答メッセージを受信するよう送受信機５１３を制御する処理、及び、少なくとも１つのアドレス指定応答メッセージの経路に従って、第１のＲＥと通信するために使用される予備回線を決定する処理を実行する。
【０２７２】
任意選択で、プロセッサ５１２は、メモリ５１１内のプログラムコードを呼び出して、具体的に、
ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージを送信するよう送受信機５１３を制御する処理、又は、
ＲＥＣ５００と第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージを送信するよう送受信機５１３を制御する処理を実行する。
【０２７３】
任意選択で、プロセッサ５１２は、メモリ５１１内のプログラムコードを呼び出して、具体的に、
第１のＲＥから初回に受信されたアドレス指定応答メッセージの経路が、第１のＲＥと通信するために使用される予備回線であると決定する処理を実行する。
【０２７４】
実施形態ＧのＲＥＣ５００は、実施形態ＢのＲＥＣに対応していてよく、ＲＥＣ５００は、実施形態ＢのＲＥＣの対応する機能を有してよいことが理解されるべきであり、簡潔にするために、詳細は本明細書において再度提供されない。
【０２７５】
故に、本発明のこの実施形態では、ＲＥと通信するために使用される主回線に障害があるとＲＥＣが決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２７６】
本発明のこの実施形態において、ＲＥＣとＲＥとが同じ電力ケーブル網に属することは、ＲＥＣ及びＲＥが電力ケーブルを通じてのみ通信できることを意味することを理解すべきである。ＲＥＣとＲＥとが同じ電力ケーブル網に属さないことは、ＲＥＣとＲＥとは、電力ケーブルを通じてだけでは通信することができないことを意味する。
【０２７７】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０２７８】
図１２は、本発明の実施形態に係るＲＥ６００の概略ブロック図である。図１２に示されるように、ＲＥ６００は、メモリ６１１、プロセッサ６１２、送受信機６１３、及びバス６１４を備える。メモリ６１１、プロセッサ６１２、及び送受信機６１３は、バス６１４を使用することによって接続され、メモリ６１１はプログラムコードを格納し、プロセッサ６１２は、メモリ６１１内のプログラムコードを呼び出して、
ＲＥＣによって送信されたアドレス指定要求メッセージを、アップリンクＣＰＲＩポート又は電力ケーブルポートである第１のポートを介して受信するよう送受信機６１３を制御する処理、当該アドレス指定要求メッセージがそれに対して固有である対象がＲＥを含むと、アドレス指定要求メッセージに従って決定する処理、及び、第１のアドレス指定応答メッセージを第１のポートを介してＲＥＣに送信するよう送受信機６１３を制御する処理を実行する。
【０２７９】
任意選択で、アドレス指定要求メッセージは、ＲＥＣからＲＥ６００への転送経路についての情報を保持し、第１のアドレス指定応答メッセージを第１のポートを介してＲＥＣに送信するよう送受信機６１３が制御される前に、プロセッサはメモリ内のプログラムコードを呼び出して、第１のアドレス指定応答メッセージがアドレス指定要求メッセージの逆経路に従ってＲＥＣに返されるように、ＲＥＣからＲＥ６００への転送経路についての情報を第１のアドレス指定応答メッセージに追加する処理を更に実行する。
【０２８０】
本発明のこの実施形態では、ＲＥ６００は、当該アドレス指定要求メッセージがそれに対して一意に固有である対象であってよく、この場合、ＲＥ６００は、実施形態ＢのＲＥ５に対応していてよく、ＲＥ５の対応する機能を実施できることが理解されるべきであり、簡潔にするために、詳細は本明細書において再度提供されない。
【０２８１】
故に、本発明のこの実施形態では、ＲＥと通信するために使用される主回線に障害があるとＲＥＣが決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０２８２】
本発明のこの実施形態では、当該アドレス指定要求メッセージがそれに対して固有である対象は更に、ＲＥ６００以外に別のＲＥを含んでよいことが更に理解されるべきである。理解し易くするために、この場合については、実施形態Ｈに関して以下で詳細に説明される。
［実施形態Ｈ］
【０２８３】
この実施形態では、プロセッサ６１２は、メモリ６１１内のプログラムコードを呼び出して、更に、
アドレス指定要求メッセージに従って、当該アドレス指定要求メッセージがそれに対して固有である対象が更に別のＲＥを含むと決定する処理、及び、
第１のポートがアップリンク共通公衆無線インタフェースＣＰＲＩポートである場合、ダウンリンクＣＰＲＩポート及び電力ケーブルポートを介して、アドレス指定要求メッセージを転送するよう送受信機６１３を制御する処理を実行する。
【０２８４】
任意選択で、送受信機６１３が、ダウンリンクＣＰＲＩポート及び電力ケーブルポートを介してアドレス指定要求メッセージを転送するよう制御される前に、プロセッサ６１２はメモリ６１１内のプログラムコードを呼び出して、更に、
ＲＥ６００における転送経路についての情報をアドレス指定要求メッセージに追加する処理を実行し、送受信機６１３が、ダウンリンクＣＰＲＩポート及び電力ケーブルポートを介してアドレス指定要求メッセージを転送するよう制御された後、プロセッサ６１２はメモリ６１１内のプログラムコードを呼び出して、更に、ダウンリンクＣＰＲＩポートを介して、又は電力ケーブルポートを介して、ＲＥ６００における転送経路のメッセージを保持する第２のアドレス指定応答メッセージを受信するよう送受信機６１３を制御し、ＲＥ６００における転送経路についての情報に従って第２のアドレス指定応答メッセージを転送する処理を実行する。
【０２８５】
任意選択で、プロセッサ６１２はメモリ６１１内のプログラムコードを呼び出して、更に、
ダウンリンクＣＰＲＩポート又は電力ケーブルポートを介して、第２のアドレス指定応答メッセージを受信するよう送受信機６１３を制御する処理、及び、アップリンクＣＰＲＩポートを介して、第２のアドレス指定応答メッセージを転送するよう送受信機６１３を制御する処理を実行する。
【０２８６】
本発明のこの実施形態では、プロセッサ６１２は、中央演算処理装置（Ｃｅｎｔｒａｌ  Ｐｒｏｃｅｓｓｉｎｇ  Ｕｎｉｔ、略して「ＣＰＵ」）であってよく、プロセッサ６１２はまた、汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート、トランジスタロジックデバイス、又はディスクリートハードウェアコンポーネントであってよいことが理解されるべきである。汎用プロセッサはマイクロプロセッサであってよい、又は、プロセッサは任意の従来のプロセッサであってよい。
【０２８７】
メモリ６１１は、リードオンリメモリ及びランダムアクセスメモリを含んでよく、プロセッサ６１２に命令及びデータを提供する。メモリ６１１の一部は更に、不揮発性ランダムアクセスメモリを含んでよい。例えば、メモリ６１１は更に、デバイスタイプについての情報を格納してよい。
【０２８８】
バスシステム６１４は、データバスのみならず、電力バス、制御バス、状態信号バス、及び同様のものも含む。しかしながら、明確な説明のために、図中、バスシステム５１４として様々なバスが示される。
【０２８９】
実施プロセスでは、上述の方法の段階は、プロセッサ６１２内のハードウェアの集積論理回路、又はソフトウェア形態の命令を使用することによって完了され得る。本発明の実施形態に関して、開示された方法における段階は、ハードウェアプロセッサによって直接完了されてよい、又は、プロセッサ内のハードウェアモジュール及びソフトウェアモジュールの組み合わせによって完了されてよい。ソフトウェアモジュールは、ランダムアクセスメモリ、フラッシュメモリ、リードオンリメモリ、プログラマブルリードオンリメモリ、電気的消去可能プログラマブルメモリ、又はレジスタなどの、当該技術分野における完成された記憶媒体内に配置されてよい。記憶媒体は、メモリ６１１内に配置され、プロセッサ６１２は、メモリ６１１内の情報を読み出し、それのハードウェアと組み合わせて上述の方法段階を完了する。繰り返しを避けるために、詳細は本明細書において再度提供されない。
【０２９０】
任意選択で、本発明のこの実施形態では、プロセッサ６１２は２つのサブプロセッサを含んでよく、一方のサブプロセッサは、電力ケーブルを通じてＢＢＵ又は別のＲＥと通信するよう構成されており、他方のサブプロセッサは、ＣＰＲＩ回線を通じてＢＢＵ又は別のＲＥと通信するよう構成されており、これら２つのサブプロセッサは互いに独立であり、これにより、２つのサブプロセッサにおいて同時に障害が発生する可能性は比較的小さく、故に、システム性能が大いに改善され得る。
【０２９１】
実施形態Ｈでは、ＲＥ６００は、実施形態ＡのＲＥ１、ＲＥ２、ＲＥ３、ＲＥ４、及びＲＥ５における任意のＲＥに対応していてよく、当該任意のＲＥの対応する機能を実施でき、簡潔にするために、詳細は本明細書において再度提供されない。
【０２９２】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
【０２９３】
図１３は、本発明の実施形態に係るＲＥ７００の概略ブロック図である。図１３に示されるように、ＲＥ７００は、メモリ７１１、プロセッサ７１２、送受信機７１３、及びバス７１４を含む。メモリ７１１、プロセッサ７１２、及び送受信機７１３は、バス７１４を使用することによって接続され、メモリ７１１はプログラムコードを格納し、プロセッサ７１２はメモリ７１１内のプログラムコードを呼び出して、無線機器コントローラＲＥＣによって送信されたアドレス指定要求メッセージを、第１のポートを介して受信するよう送受信機７１３を制御する処理、当該アドレス指定要求メッセージがそれに対して固有である対象がＲＥ７００を含まないと、アドレス指定要求メッセージに従って決定する処理、及び、第１のポートがアップリンク共通公衆無線インタフェースＣＰＲＩポートである場合、アドレス指定要求メッセージを、電力ケーブルポート及びダウンリンクＣＰＲＩポートを介して転送するよう送受信機７１３を制御する処理を実行する。
【０２９４】
任意選択で、プロセッサ７１２はメモリ７１１内のプログラムコードを呼び出して、第１のポートが電力ケーブルポートである場合、アドレス指定要求メッセージを破棄する処理を更に実行する。
【０２９５】
任意選択で、送受信機７１３が、電力ケーブルポート及びダウンリンクＣＰＲＩポートを介してアドレス指定要求メッセージを転送するよう制御される前に、プロセッサ７１２はメモリ７１１内のプログラムコードを呼び出して、更に、
ＲＥ７００における転送経路についての情報をアドレス指定要求メッセージに追加する処理を実行し、送受信機７１３が、電力ケーブルポート及びダウンリンクＣＰＲＩポートを介して、アドレス指定要求メッセージを転送するよう制御された後、プロセッサ７１２はメモリ７１１内のプログラムコードを呼び出して、更に、ダウンリンクＣＰＲＩポート又は電力ケーブルポートを介して、ＲＥ７００における転送経路についての情報を保持するアドレス指定応答メッセージを受信するよう送受信機７１３を制御する処理、及びＲＥ７００における転送経路についての情報に従って、アドレス指定応答メッセージを転送する処理を実行する。
【０２９６】
任意選択で、送受信機７１３が、電力ケーブルポート及びダウンリンクＣＰＲＩポートを介して、アドレス指定要求メッセージを転送するよう制御された後、プロセッサ７１２はメモリ７１１内のプログラムコードを呼び出して、更に、
ダウンリンクＣＰＲＩポート又は電力ケーブルポートを介して、アドレス指定応答メッセージを受信するよう送受信機７１３を制御する処理、及び、アップリンクＣＰＲＩポートを介して、アドレス指定応答メッセージを転送するよう送受信機７１３を制御する処理を実行する。
【０２９７】
本発明のこの実施形態では、プロセッサ７１２は、中央演算処理装置（Ｃｅｎｔｒａｌ  Ｐｒｏｃｅｓｓｉｎｇ  Ｕｎｉｔ、略して「ＣＰＵ」）であってよく、プロセッサ７１２はまた、汎用プロセッサ、デジタル信号プロセッサ（ＤＳＰ）、特定用途向け集積回路（ＡＳＩＣ）、フィールドプログラマブルゲートアレイ（ＦＰＧＡ）、別のプログラマブルロジックデバイス、ディスクリートゲート、トランジスタロジックデバイス、又はディスクリートハードウェアコンポーネントであってよいことが理解されるべきである。汎用プロセッサはマイクロプロセッサであってよい、又は、プロセッサは任意の従来のプロセッサであってよい。
【０２９８】
メモリ７１１は、リードオンリメモリ及びランダムアクセスメモリを含んでよく、プロセッサ７１２に命令及びデータを提供する。メモリ７１１の一部は更に、不揮発性ランダムアクセスメモリを含んでよい。例えば、メモリ７１１は更に、デバイスタイプについての情報を格納してよい。
【０２９９】
バスシステム７１４は、データバスのみならず、電力バス、制御バス、状態信号バス、及び同様のものも含む。しかしながら、明確な説明のために、図中、バスシステム７１４として様々なバスが示される。
【０３００】
実施プロセスでは、上述の方法の段階は、プロセッサ７１２内のハードウェアの集積論理回路、又はソフトウェア形態の命令を使用することによって完了され得る。本発明の実施形態に関して、開示された方法における段階は、ハードウェアプロセッサによって直接完了されてよい、又は、プロセッサ内のハードウェアモジュール及びソフトウェアモジュールの組み合わせによって完了されてよい。ソフトウェアモジュールは、ランダムアクセスメモリ、フラッシュメモリ、リードオンリメモリ、プログラマブルリードオンリメモリ、電気的消去可能プログラマブルメモリ、又はレジスタなどの、当該技術分野における完成された記憶媒体内に配置されてよい。記憶媒体は、メモリ７１１内に配置され、プロセッサ７１２は、メモリ７１１内の情報を読み出し、それのハードウェアと組み合わせて上述の方法段階を完了する。繰り返しを避けるために、詳細は本明細書において再度提供されない。
【０３０１】
任意選択で、本発明のこの実施形態では、プロセッサ７１２は２つのサブプロセッサを含んでよく、一方のサブプロセッサは、電力ケーブルを通じてＢＢＵ又は別のＲＥと通信するよう構成されており、他方のサブプロセッサは、ＣＰＲＩ回線を通じてＢＢＵ又は別のＲＥと通信するよう構成されており、これら２つのサブプロセッサは互いに独立であり、これにより、２つのサブプロセッサにおいて同時に障害が発生する可能性は比較的小さく、故に、システム性能が大いに改善され得る。
【０３０２】
任意選択で、ＲＥ７００は、実施形態ＢのＲＥ１、ＲＥ２、ＲＥ３、及びＲＥ４における任意のＲＥに対応していてよく、当該任意のＲＥの機能を実施でき、簡潔にするために、詳細は本明細書において再度提供されない。
【０３０３】
故に、本発明のこの実施形態では、ＲＥと通信するために使用される主回線に障害があるとＲＥＣが決定した後、ＲＥＣは、ＲＥに固有のアドレス指定要求メッセージを送信してよく、非ターゲットＲＥが、アドレス指定要求メッセージを受信した場合、アドレス指定要求メッセージを転送し、ターゲットＲＥが、アドレス指定要求メッセージを受信した場合、ＲＥＣによって送信されたアドレス指定要求メッセージに従って、アドレス指定応答メッセージを返し、これにより、ＲＥＣは、その主回線に障害があるターゲットＲＥと通信するために使用される予備回線を、ターゲットＲＥによって返されたアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０３０４】
図１４は、本発明の実施形態に係る情報送信方法８００の概略フローチャートである。図１４に示されるように、方法８００は、以下の段階を含む。
【０３０５】
Ｓ８１０：ＲＥＣが、第１のＲＥと通信するために使用される主回線に障害があると決定する。
【０３０６】
Ｓ８２０：ＲＥＣが、第１のＲＥと通信するために使用される予備回線を決定する。
【０３０７】
Ｓ８３０：ＲＥＣが、予備回線を使用することによって、第１のＲＥと通信する。
【０３０８】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０３０９】
本発明のこの実施形態では、ＲＥＣはまた、ＢＢＵと称されてよく、ＲＥはまた、ＲＲＵと称されてよい。
【０３１０】
本発明のこの実施形態では、主回線はＣＰＲＩ通信回線であってよく、予備回線は、電力ケーブル線であってよい、又は、電力ケーブルに加えてＣＰＲＩ通信回線であってよい。言うまでもなく、主回線は電力ケーブル線であってよいか、又は、電力ケーブルに加えてＣＰＲＩ通信回線であってよく、予備回線はＣＰＲＩ通信回線であるか、又は、別の方式であり、このことは適用シナリオに従って具体的に決定されてよく、本発明のこの実施形態によっては限定されない。しかしながら、本発明のこの実施形態では、主回線はＣＰＲＩ通信回線であり、予備回線は、電力ケーブル線である、又は、電力ケーブルに加えてＣＰＲＩ通信回線であるということが、説明のために主に使用される。
【０３１１】
ＲＥＣ及びＲＥは本質的に、電力ケーブル網によって電力を供給されるので、本発明のこの実施形態では、ＲＥＣとＲＥとの間のＣＰＲＩ通信回線において障害が発生した場合、ＲＥＣとＲＥとの間での通信は、ＲＥＣ及びＲＥの電力ケーブル網を使用することによって実施される。
【０３１２】
本発明のこの実施形態では、ＣＰＲＩ通信回線は、ＣＰＲＩプロトコルをサポートする回線を指し、ＣＰＲＩ通信回線は、光ファイバ、同軸ケーブル、及びイーサネット（登録商標）ケーブルの少なくとも１つを含んでよい。
【０３１３】
本発明のこの実施形態では、Ｓ８３０において、予備回線を使用することによって、その主回線に障害がある第１のＲＥとＲＥＣによって通信する段階は、
第１のＲＥをリセット又はアップグレードし、ＲＥＣによって使用される主回線を復旧して、第１のＲＥと通信するように、予備回線を通じてインジケーション情報をＲＥＣによって送信する段階を含んでよい。
【０３１４】
例えば、第１のＲＥの主回線の障害の原因はＲＥの光ポートパラメータが不適切なことである。故に、主回線を復旧するように、ＲＥの光ポートパラメータは予備回線を通じて変更されてよい。
【０３１５】
別の例の場合、問題はＲＥのハードウェアにおいて発生する。その結果、ＲＥは正常に開始することができず、電源オン及び電源オフを実行することでしか復旧され得ない。この場合、ＲＥにおいて問題が既に発生しているので、ＣＰＲＩ通信回線を使用することによってＲＥとの通信を問題なく実行することはできない。電力ケーブルを含んでよい予備回線が決定されてよく、通信ユニット２３０は、電源オン及び電源オフを実行するよう、ＲＥに命令すべく、予備回線を通じてインジケーション情報をＲＥに送信してよい。
【０３１６】
本発明のこの実施形態では、ＲＥＣは、全ての制御されたＲＥをリアルタイムで（例えば、定期的に，又は、初期化段階において）スキャンし、全てのＲＥにおいて、その主回線に障害があるＲＥを決定し、その主回線に障害があるＲＥの予備回線を決定してよく、ＲＥＣはまた、ＲＥとハートビートメッセージを交換することによって、ＲＥと通信するために使用される主回線に障害があると決定し、その後、ＲＥと通信するために使用される予備回線を決定してよい。理解し易くするために、２つの場合が、実施形態Ｉ及び実施形態Ｋに関して以下で詳細に説明される。
［実施形態Ｉ］
【０３１７】
ＲＥＣは、全ての制御されたＲＥをリアルタイムで（例えば、定期的に、又は初期化段階において）スキャンし、全てのＲＥにおいて、その主回線に障害があるＲＥ（第１のＲＥ）を決定し、その主回線に障害があるＲＥの予備回線を決定してよい。
【０３１８】
任意選択で、Ｓ８１０において、第１のＲＥと通信するために使用される主回線に障害があるとＲＥＣによって決定する段階は、ＣＰＲＩポートを介して、又は、電力ケーブルポート及びＣＰＲＩポートを介して、全ての制御されたＲＥに固有のアドレス指定要求メッセージをＲＥＣによって送信する段階と、第１のＲＥを含む少なくとも１つのＲＥからアドレス指定応答メッセージをＲＥＣによって受信する段階と、第１のＲＥからの少なくとも１つのアドレス指定応答メッセージの経路が主回線を含まない場合、第１のＲＥと通信するために使用される主回線に障害があるとＲＥＣによって決定する段階を含み、Ｓ８２０において、第１のＲＥと通信するために使用される予備回線をＲＥＣによって決定する段階は、第１のＲＥからの少なくとも１つのアドレス指定応答メッセージの経路が主回線を含まない場合、少なくとも１つのアドレス指定応答メッセージの経路に従って、第１のＲＥと通信するために使用される予備回線をＲＥＣによって決定する段階を含む。
【０３１９】
任意選択で、ＣＰＲＩポートを介して、又は、電力ケーブルポート及びＣＰＲＩポートを介して、全ての制御されたＲＥに固有のアドレス指定要求メッセージをＲＥＣによって送信する段階は、ＲＥＣと同じ電力ケーブル網に属するＲＥが全てのＲＥの中に存在する場合、ＣＰＲＩポート及び電力ケーブルポートを介して、全てのＲＥに固有のアドレス指定要求メッセージをＲＥＣによって送信する段階、又は、ＲＥＣと同じ電力ケーブル網に属するＲＥが、全てのＲＥの中に存在しない場合、ＣＰＲＩポートを介して、又は、ＣＰＲＩポート及び電力ケーブルポートを介して、全てのＲＥに固有のアドレス指定要求メッセージをＲＥＣによって送信することを含む。
【０３２０】
任意選択で、Ｓ８２０において、第１のＲＥと通信するために使用される予備回線をＲＥＣによって決定する段階は、
第１のＲＥから初回に受信されたアドレス指定応答メッセージの経路が、第１のＲＥと通信するために使用される予備回線であると、ＲＥＣによって決定する段階を含む。
【０３２１】
実施形態Ｉの方法は、実施形態ＡのＲＥＣによって実施されてよく、実施形態ＡのＲＥＣによって実施されるオペレーションは、実施形態Ｉの任意選択の実施形態に属してよいことが理解されるべきであり、簡潔にするために、詳細は本明細書において再度提供されない。
【０３２２】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
［実施形態Ｋ］
【０３２３】
この実施形態では、ＲＥと通信するために使用される主回線に障害があると、第１のＲＥとハートビートメッセージを交換することによってＲＥＣが決定した後、ＲＥＣは、ＲＥと通信するために使用される予備回線を決定し、予備回線を使用することによって第１のＲＥと通信する。
【０３２４】
任意選択で、Ｓ８２０において、第１のＲＥと通信するために使用される予備回線をＲＥＣによって決定する段階は、第１のＲＥと通信するために使用される主回線に障害があるとＲＥＣが決定した後、電力ケーブルポート及びＣＰＲＩポートの少なくとも１つを介して、第１のＲＥに固有のアドレス指定要求メッセージをＲＥＣによって送信する段階と、第１のＲＥから少なくとも１つのアドレス指定応答メッセージをＲＥＣによって受信する段階と、
少なくとも１つのアドレス指定応答メッセージの経路に従って、第１のＲＥと通信するために使用される予備回線をＲＥＣによって決定する段階とを含む。
【０３２５】
任意選択で、電力ケーブルポート及びＣＰＲＩポートの少なくとも１つを介して、第１のＲＥに固有のアドレス指定要求メッセージをＲＥＣによって送信する段階は、ＲＥＣと第１のＲＥとが同じ電力ケーブル網に属する場合、電力ケーブルポートを介して、又は、ＣＰＲＩポート及び電力ケーブルポートを介して、第１のＲＥに固有のアドレス指定要求メッセージをＲＥＣによって送信する段階、又は、ＲＥＣと第１のＲＥとが同じ電力ケーブル網に属さない場合、ＣＰＲＩポートを介して、又は、ＣＰＲＩポート及び電力ケーブルポートを介して、第１のＲＥに固有のアドレス指定要求メッセージをＲＥＣによって送信する段階を含む。
【０３２６】
任意選択で、Ｓ８３０において、第１のＲＥと通信するために使用される予備回線をＲＥＣによって決定する段階は、第１のＲＥから初回に受信されたアドレス指定応答メッセージの経路が、第１のＲＥと通信するために使用される予備回線であると、ＲＥＣによって決定する段階を含む。
【０３２７】
実施形態Ｋの方法は、実施形態ＢのＲＥＣによって実施されてよく、実施形態ＢのＲＥＣによって実施されるオペレーションは、実施形態Ｋの任意選択の実施形態に属してよいことが理解されるべきであり、簡潔にするために、詳細は本明細書において再度提供されない。
【０３２８】
故に、本発明のこの実施形態では、ＲＥと通信するために使用される主回線に障害があるとＲＥＣが決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０３２９】
本発明のこの実施形態において、ＲＥＣとＲＥとが同じ電力ケーブル網に属することは、ＲＥＣ及びＲＥが電力ケーブルを通じてのみ通信できることを意味することを理解すべきである。ＲＥＣとＲＥとが同じ電力ケーブル網に属さないことは、ＲＥＣとＲＥとは、電力ケーブルを通じてだけでは通信することができないことを意味する。
【０３３０】
故に、本発明のこの実施形態では、任意のＲＥと通信するために使用される主回線に障害があるとＲＥＣが決定した場合、ＲＥＣは、その主回線に障害があるＲＥと通信するために使用される予備回線を決定し、その主回線に障害があるＲＥと、予備回線を使用することによって通信してよく、故に、主回線に障害がある場合、人力での現場処理は必要なく、維持費が低減され、サービス中断時間が減り、それにより、ユーザエクスペリエンスが改善される。
【０３３１】
図１５は、本発明の実施形態に係る情報送信方法９００の概略フローチャートである。図１５に示されるように、方法９００は以下の段階を含む。
【０３３２】
Ｓ９１０：第１のＲＥが、ＲＥＣによって送信されたアドレス指定要求メッセージを、第１のポートを介して受信する。ここで、第１のポートはアップリンクＣＰＲＩポート又は電力ケーブルポートである。
【０３３３】
Ｓ９２０：第１のＲＥが、当該アドレス指定要求メッセージがそれに対して固有である対象が第１のＲＥを含むとアドレス指定要求メッセージに従って決定する。
【０３３４】
Ｓ９３０：第１のＲＥが、第１のポートを介して第１のアドレス指定応答メッセージをＲＥＣに送信する。
【０３３５】
任意選択で、アドレス指定要求メッセージは、ＲＥＣから第１のＲＥへの転送経路についての情報を保持し、第１のポートを介して第１のアドレス指定応答メッセージをＲＥＣに送信する段階の前に、方法９００は、第１のアドレス指定応答メッセージが、アドレス指定要求メッセージの逆経路に従ってＲＥＣに返されるよう、ＲＥＣから第１のＲＥへの転送経路についての情報を、第１のＲＥによって第１のアドレス指定応答メッセージに追加する段階を更に含む。
【０３３６】
本発明のこの実施形態において、第１のＲＥは、当該アドレス指定要求メッセージがそれに対して一意に固有である対象であってよく、この場合、方法９００は、実施形態ＢのＲＥ５によって実施されてよい、すなわち、方法９００の第１のＲＥは、実施形態ＢのＲＥ５に対応しており、実施形態ＢのＲＥ５によって実施されるオペレーションは、方法９００の任意選択の実施形態に属してよいことが理解されるべきであり、簡潔にするために、詳細は本明細書において再度提供されない。
【０３３７】
故に、本発明のこの実施形態では、ＲＥと通信するために使用される主回線に障害があると基地局が決定した後、ＲＥＣは、ＲＥに固有のアドレス指定要求メッセージを送信し、その主回線に障害があるＲＥと通信するために使用される予備回線を、ＲＥによって返されるアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０３３８】
本発明のこの実施形態では、当該アドレス指定要求メッセージがそれに対して固有である対象は更に、第１のＲＥ以外に別のＲＥを含んでよいことが更に理解されるべきである。理解し易くするために、この場合については、実施形態Ｌに関して以下で詳細に説明される。
［実施形態Ｌ］
【０３３９】
この実施形態では、方法９００は更に、アドレス指定要求メッセージに従って、当該アドレス指定要求メッセージがそれに対して固有である対象が更に別のＲＥを含むと第１のＲＥによって決定する段階と、第１のポートがアップリンク共通公衆無線インタフェースＣＰＲＩポートである場合、ダウンリンクＣＰＲＩポート及び電力ケーブルポートを介して、アドレス指定要求メッセージを第１のＲＥによって転送する段階とを備える。
【０３４０】
任意選択で、ダウンリンクＣＰＲＩポート及び電力ケーブルポートを介して、アドレス指定要求メッセージを転送する段階の前に、方法９００は更に、第１のＲＥにおける転送経路についての情報をアドレス指定要求メッセージに追加する段階を備え、
ダウンリンクＣＰＲＩポート及び電力ケーブルポートを介して、アドレス指定要求メッセージを転送する段階の後、方法９００は更に、ダウンリンクＣＰＲＩポートを介して、又は、電力ケーブルポートを介して、第２のアドレス指定応答メッセージを第１のＲＥによって受信する段階であって、当該第２のアドレス指定応答メッセージは、第１のＲＥにおける転送経路のメッセージを保持する、段階と、第１のＲＥにおける転送経路についての情報に従って、第２のアドレス指定応答メッセージを転送する段階とを備える。
【０３４１】
任意選択で、方法９００は更に、ダウンリンクＣＰＲＩポート又は電力ケーブルポートを介して、第２のアドレス指定応答メッセージを第１のＲＥによって受信する段階と、アップリンクＣＰＲＩポートを介して、第２のアドレス指定応答メッセージを第１のＲＥによって転送する段階とを備える。
【０３４２】
任意選択で、アドレス指定要求メッセージはＲＥＣから第１のＲＥへの転送経路についての情報を保持し、第１のポートを介して第１のアドレス指定応答メッセージをＲＥＣに送信する段階の前に、方法９００は、第１のアドレス指定応答メッセージが、アドレス指定要求メッセージの逆経路に従ってＲＥＣに返されるよう、ＲＥＣから第１のＲＥへの転送経路についての情報を、第１のＲＥによって第１のアドレス指定応答メッセージに追加する段階を更に含む。
【０３４３】
任意選択で、実施形態Ｌにおいて、第１のＲＥは、実施形態Ａの任意のＲＥに対応していてよく、この場合、方法９００は、実施形態Ａの当該任意のＲＥによって実施されてよく、実施形態Ａの当該任意のＲＥによって実施されるオペレーションは、方法９００の任意選択の実施形態に属してよく、簡潔にするために、詳細は本明細書において再度提供されない。
【０３４４】
故に、本発明のこの実施形態では、ＲＥＣが、全てのＲＥに固有のアドレス指定要求メッセージを送信し、その主回線に障害があるＲＥを、各ＲＥによって返されるアドレス指定応答メッセージの経路に従って決定し、その主回線に障害があるＲＥと通信するために使用される予備回線を決定してよい。故に、主回線に障害がある場合、人力での現場処理は必要なく、維持費が低減され、サービス中断時間が減り、それにより、ユーザエクスペリエンスが改善される。
【０３４５】
図１６は、本発明の実施形態に係る情報送信方法１０００の概略フローチャートである。図１６に示されるように、方法１０００は以下の段階を含む。
【０３４６】
Ｓ１１００：第２のＲＥが、無線機器コントローラＲＥＣによって送信されたアドレス指定要求メッセージを第１のポートを介して受信する。
【０３４７】
Ｓ１２００：当該アドレス指定要求メッセージがそれに対して固有である対象が第２のＲＥを含まないと、アドレス指定要求メッセージに従って決定する。
【０３４８】
Ｓ１３００：第１のポートがアップリンクＣＰＲＩポートである場合、第２のＲＥが、電力ケーブルポート及びダウンリンクＣＰＲＩポートを介してアドレス指定要求メッセージを転送する。
【０３４９】
任意選択で、方法１０００は更に、第１のポートが電力ケーブルポートである場合、アドレス指定要求メッセージを第２のＲＥによって破棄する段階を備える。
【０３５０】
任意選択で、電力ケーブルポート及びダウンリンクＣＰＲＩポートを介して、アドレス指定要求メッセージを第２のＲＥによって転送する段階の前に、方法１０００は更に、第２のＲＥにおける転送経路についての情報をアドレス指定要求メッセージに追加する段階を備え、
電力ケーブルポート及びダウンリンクＣＰＲＩポートを介して、アドレス指定要求メッセージを第２のＲＥによって転送する段階の後、方法１０００は更に、ダウンリンクＣＰＲＩポート又は電力ケーブルポートを介して、アドレス指定応答メッセージを第２のＲＥによって受信する段階であって、当該アドレス指定応答メッセージは、第２のＲＥにおける転送経路についての情報を保持する、段階と、第２のＲＥにおける転送経路についての情報に従って、アドレス指定応答メッセージを第２のＲＥによって転送する段階とを備える。
【０３５１】
任意選択で、電力ケーブルポート及びダウンリンクＣＰＲＩポートを介して、アドレス指定要求メッセージを第２のＲＥによって転送した後、方法１０００は更に、ダウンリンクＣＰＲＩポート又は電力ケーブルポートを介して、アドレス指定応答メッセージを第２のＲＥによって受信する段階と、アップリンクＣＰＲＩポートを介して、アドレス指定応答メッセージを第２のＲＥによって転送する段階とを備える。
【０３５２】
任意選択で、第２のＲＥは、実施形態ＢのＲＥ１、ＲＥ２、ＲＥ３、及びＲＥ４における任意のＲＥに対応していてよく、方法１０００は、当該任意のＲＥによって実施されてよく、実施形態Ｂの当該任意のＲＥによって実施されるオペレーションは、方法１０００の任意選択の実施形態に属してよく、簡潔にするために、詳細は本明細書において再度提供されない。
【０３５３】
故に、本発明のこの実施形態では、ＲＥと通信するために使用される主回線に障害があるとＲＥＣが決定した後、ＲＥＣは、ＲＥに固有のアドレス指定要求メッセージを送信してよく、非ターゲットＲＥが、アドレス指定要求メッセージを受信した場合、アドレス指定要求メッセージを転送し、ターゲットＲＥが、アドレス指定要求メッセージを受信した場合、ＲＥＣによって送信されたアドレス指定要求メッセージに従って、アドレス指定応答メッセージを返し、これにより、ＲＥＣは、その主回線に障害があるターゲットＲＥと通信するために使用される予備回線を、ターゲットＲＥによって返されたアドレス指定応答メッセージの経路に従って決定してよい。故に、主回線に障害がある場合、人力での現場処理は必要なく、維持費が低減され、サービス中断時間が減り、それにより、ユーザエクスペリエンスが改善される。
【０３５４】
本明細書で開示された実施形態において説明された例を組み合わせて、ユニット及びアルゴリズムの段階が、電子的ハードウェア、又は、コンピュータソフトウェアと電子的ハードウェアとの組み合わせによって実装されてよいことを当業者は認識するであろう。機能がハードウェア又はソフトウェアの何れによって実行されるかは、特定の用途と技術的解決手段の設計制約条件とで決まる。当業者であれば、異なる方法を使用して、特定の用途ごとに説明された機能を実装するであろうが、その実装は、本発明の範囲を越えるものとみなされるべきではない。
【０３５５】
簡便かつ簡潔な説明を目的として、上述のシステム、装置、及びユニットの詳細な動作プロセスについて、上述の方法の実施形態における対応するプロセスが参照されてよいことは当業者によって明確に理解され得ることであり、詳細は本明細書において再度説明されない。
【０３５６】
本願によって提供されるいくつかの実施形態において、開示されたシステム、装置、及び方法は、他の方式で実装されてよいことが理解されるべきである。例えば、説明された装置の実施形態は、例示的なものに過ぎない。例えば、ユニットの分割は、論理的な機能の分割に過ぎず、実際の実装では、他の分割であってよい。例えば、複数のユニット又はコンポーネントは、組み合わされてよい、又は、別のシステムの中に統合されてよい、又は、いくつかの機能は、無視されてよい、又は実行されなくてよい。加えて、表示された、又は議論された相互結合、又は直接的な結合若しくは通信接続は、いくつかのインタフェースを使用することによって実装されてよい。装置間又はユニット間の間接的な結合又は通信接続は、電子的、機械的、又は他の形態で実装されてよい。
【０３５７】
別個の部分として説明されたユニットは、物理的に別個であってもなくてもよい。また、ユニットとして表示された部分は、物理的なユニットであってもなくてもよい、１か所に配置されてよい、又は、複数のネットワークユニット上に分散されてよい。実施形態の解決手段の目的を実現するよう、実際の必要性に従って、ユニットの一部又は全部が選択されてよい。
【０３５８】
加えて、本発明の実施形態の機能ユニットが、１つの処理ユニットの中に統合されてよい、又は、それらのユニットの各々が、物理的に単独で存在してよい、又は、２つ又はそれより多いユニットが１つのユニットの中に統合される。
【０３５９】
機能がソフトウェア機能ユニットの形態で実装され、独立した製品として販売又は使用される場合、機能は、コンピュータ可読記憶媒体に格納されてよい。そのような理解に基づいて、本発明の技術的解決手段は基本的に、又は従来技術に寄与する部分は、又は、技術的解決手段のいくつかは、ソフトウェア製品の形態で実装されてよい。コンピュータソフトウェア製品は記憶媒体に格納され、本発明の実施形態において説明された方法の段階の全部又は一部を実行するよう、（パーソナルコンピュータ、サーバ、又はネットワークデバイスであってよい）コンピュータデバイスに命令するためのいくつかの命令を含む。上述の記憶媒体は、プログラムコードを格納できる、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなどの任意の媒体を含む。
【０３６０】
上述の説明は、本発明の具体的な実施方式に過ぎず、本発明の保護範囲を限定することを意図するものではない。本発明において開示された技術範囲内で、当業者によって容易に考え出された変更形態又は代替形態は何れも、本発明の保護範囲に含まれるものとする。故に、本発明の保護範囲は、特許請求の範囲の保護範囲に従うものとする。
［項目１］
無線機器コントローラＲＥＣであって、
第１の無線機器ＲＥと通信するために上記ＲＥＣによって使用される主回線に障害があると決定するよう構成される第１の決定ユニットと、
上記第１のＲＥと通信するために上記ＲＥＣによって使用される予備回線を決定するよう構成される第２の決定ユニットと、
上記予備回線を使用することによって上記第１のＲＥと通信するよう構成される通信ユニットとを備えるＲＥＣ。
［項目２］
上記主回線は、共通公衆無線インタフェースＣＰＲＩ通信回線であり、上記予備回線は、電力ケーブル線である、又は、電力ケーブルに加えてＣＰＲＩ通信回線である、項目１に記載のＲＥＣ。
［項目３］
上記第１の決定ユニットは、第１の送信サブユニット、第１の受信サブユニット、及び第１の決定サブユニットを含み、上記第１の送信サブユニットは、ＣＰＲＩポートを介して、又は、電力ケーブルポート及びＣＰＲＩポートを介して、全ての制御されたＲＥに固有のアドレス指定要求メッセージを送信するよう構成されており、上記第１の受信サブユニットは、上記第１のＲＥを含む少なくとも１つのＲＥからアドレス指定応答メッセージを受信するよう構成されており、上記第１の決定サブユニットは、上記第１のＲＥから上記第１の受信サブユニットによって受信された少なくとも１つのアドレス指定応答メッセージの経路が、上記主回線を含まないと決定された場合、上記第１のＲＥと通信するために使用される上記主回線に障害があると決定するよう構成されており、
上記第２の決定ユニットは具体的に、上記第１のＲＥから上記第１の受信サブユニットによって受信された上記少なくとも１つのアドレス指定応答メッセージの上記経路が上記主回線を含まない場合、上記第１のＲＥと通信するために使用される上記予備回線を上記少なくとも１つのアドレス指定応答メッセージの上記経路に従って決定するよう構成されている、
項目２に記載のＲＥＣ。
［項目４］
上記第１の送信サブユニットは具体的に、
上記ＲＥＣと同じ電力ケーブル網に属するＲＥが全ての上記ＲＥの中に存在する場合、上記ＣＰＲＩポート及び上記電力ケーブルポートを介して、全ての上記ＲＥに固有の上記アドレス指定要求メッセージを送信する、又は、
上記ＲＥＣと同じ電力ケーブル網に属するＲＥが、全ての上記ＲＥの中に存在しない場合、上記ＣＰＲＩポートを介して、又は、上記ＣＰＲＩポート及び上記電力ケーブルポートを介して、全ての上記ＲＥに固有の上記アドレス指定要求メッセージを送信するよう構成されている、項目３に記載のＲＥＣ。
［項目５］
上記第２の決定ユニットは具体的に、
上記第１のＲＥから初回に上記受信サブユニットによって受信されたアドレス指定応答メッセージの経路は、上記第１のＲＥと通信するために使用される上記予備回線であると決定するよう構成されている、項目３又は４に記載のＲＥＣ。
［項目６］
上記第２の決定ユニットは、
上記第１のＲＥと通信するために上記ＲＥＣによって使用される上記主回線に障害があると上記第１の決定ユニットが決定した後、電力ケーブルポート及びＣＰＲＩポートの少なくとも１つを介して、上記第１のＲＥに固有のアドレス指定要求メッセージを送信するよう構成される第２の送信サブユニットと、
上記第１のＲＥから少なくとも１つのアドレス指定応答メッセージを受信するよう構成される第２の受信サブユニットと、
上記第１のＲＥと通信するために使用される上記予備回線を、上記第２の受信サブユニットによって受信された上記少なくとも１つのアドレス指定応答メッセージの経路に従って決定するよう構成される第２の決定サブユニットとを含む、項目２に記載のＲＥＣ。
［項目７］
上記第２の送信サブユニットは具体的に、
上記ＲＥＣと上記第１のＲＥとが同じ電力ケーブル網に属する場合、上記電力ケーブルポートを介して、又は、上記ＣＰＲＩポート及び上記電力ケーブルポートを介して、上記第１のＲＥに固有のアドレス指定要求メッセージを送信する、又は、
上記ＲＥＣと上記第１のＲＥとが同じ電力ケーブル網に属さない場合、上記ＣＰＲＩポートを介して、又は、上記ＣＰＲＩポート及び上記電力ケーブルポートを介して、上記第１のＲＥに固有のアドレス指定要求メッセージを送信するよう構成されている、項目６に記載のＲＥＣ。
［項目８］
上記第２の決定サブユニットは具体的に、
上記第１のＲＥから初回に上記第２の受信サブユニットによって受信されたアドレス指定応答メッセージの経路が、上記第１のＲＥと通信するために使用される上記予備回線であると決定するよう構成されている、項目６又は７に記載のＲＥＣ。
［項目９］
上記通信ユニットは具体的に、
上記第１のＲＥをリセット又はアップグレードし、上記ＲＥＣによって使用される上記主回線を復旧して、上記第１のＲＥと通信するよう、上記予備回線を通じてインジケーション情報を送信するよう構成されている、項目１から８の何れか一項に記載のＲＥＣ。
［項目１０］
無線機器ＲＥであって、
無線機器コントローラＲＥＣによって送信されたアドレス指定要求メッセージを、アップリンクＣＰＲＩポート又は電力ケーブルポートである第１のポートを介して受信するよう構成される受信ユニットと、
上記アドレス指定要求メッセージがそれに対して固有である対象が上記ＲＥを含むと、上記受信ユニットによって受信された上記アドレス指定要求メッセージに従って決定するよう構成される決定ユニットと、
上記第１のポートを介して、第１のアドレス指定応答メッセージを上記ＲＥＣに送信するよう構成される送信ユニットとを備えるＲＥ。
［項目１１］
上記決定ユニットは更に、上記アドレス指定要求メッセージがそれに対して固有である対象が更に別のＲＥを含むと、上記アドレス指定要求メッセージに従って決定するよう構成されており、
上記送信ユニットは更に、上記第１のポートがアップリンク共通公衆無線インタフェースＣＰＲＩポートである場合、ダウンリンクＣＰＲＩポート及び電力ケーブルポートを介して、上記アドレス指定要求メッセージを転送するよう構成されている、
項目１０に記載のＲＥ。
［項目１２］
上記送信ユニットが、上記ダウンリンクＣＰＲＩポート及び上記電力ケーブルポートを介して、上記アドレス指定要求メッセージを転送する前に、上記送信ユニットは更に、上記ＲＥにおける転送経路についての情報を上記アドレス指定要求メッセージに追加するよう構成されており、
上記送信ユニットが、上記ダウンリンクＣＰＲＩポート及び上記電力ケーブルポートを介して、上記アドレス指定要求メッセージを転送した後、上記受信ユニットは更に、上記ダウンリンクＣＰＲＩポートを介して、又は、上記電力ケーブルポートを介して、上記ＲＥにおける上記転送経路のメッセージを保持する第２のアドレス指定応答メッセージを受信するよう構成されており、上記送信ユニットは更に、上記ＲＥにおける上記転送経路についての上記情報に従って、上記第２のアドレス指定応答メッセージを転送するよう構成されている、
項目１１に記載のＲＥ。
［項目１３］
上記受信ユニットは更に、上記ダウンリンクＣＰＲＩポート又は上記電力ケーブルポートを介して第２のアドレス指定応答メッセージを受信するよう構成されており、
上記送信ユニットは更に、アップリンクＣＰＲＩポートを介して、上記第２のアドレス指定応答メッセージを転送するよう構成されている、
項目１１に記載のＲＥ。
［項目１４］
上記アドレス指定要求メッセージは、上記ＲＥＣから上記ＲＥへの転送経路についての情報を保持し、
上記送信ユニットが、上記第１のポートを介して、上記第１のアドレス指定応答メッセージを上記ＲＥＣに送信する前に、上記第１のアドレス指定応答メッセージが上記アドレス指定要求メッセージの逆経路に従って上記ＲＥＣに返されるよう、上記送信ユニットは更に、上記ＲＥＣから上記ＲＥへの転送経路についての上記情報を上記第１のアドレス指定応答メッセージに追加するよう構成されている、項目１０から１３の何れか一項に記載のＲＥ。
［項目１５］
無線機器ＲＥであって、
無線機器コントローラＲＥＣによって送信されたアドレス指定要求メッセージを、第１のポートを介して受信するよう構成される受信ユニットと、
上記アドレス指定要求メッセージがそれに対して固有である対象がＲＥを含まないと、上記アドレス指定要求メッセージに従って決定するよう構成される決定ユニットと、
上記第１のポートが、アップリンク共通公衆無線インタフェースＣＰＲＩポートである場合、電力ケーブルポート及びダウンリンクＣＰＲＩポートを介して、上記アドレス指定要求メッセージを転送するよう構成される送信ユニットと、
を備えるＲＥ。
［項目１６］
上記送信ユニットは更に、
上記第１のポートが電力ケーブルポートである場合、上記アドレス指定要求メッセージを破棄するよう構成される項目１５に記載のＲＥ。
［項目１７］
上記送信ユニットが、上記電力ケーブルポート及び上記ダウンリンクＣＰＲＩポートを介して、上記アドレス指定要求メッセージを転送する前に、上記送信ユニットは更に、上記ＲＥにおける転送経路についての情報を上記アドレス指定要求メッセージに追加するよう構成されており、
上記送信ユニットが、上記電力ケーブルポート及び上記ダウンリンクＣＰＲＩポートを介して、上記アドレス指定要求メッセージを転送した後、上記受信ユニットは更に、上記ダウンリンクＣＰＲＩポート又は上記電力ケーブルポートを介して、上記ＲＥにおける上記転送経路についての上記情報を保持するアドレス指定応答メッセージを受信するよう構成されており、
上記送信ユニットは更に、上記ＲＥにおける上記転送経路についての上記情報に従って、上記アドレス指定応答メッセージを転送するよう構成されている、
項目１５又は１６に記載のＲＥ。
［項目１８］
上記送信ユニットが、上記電力ケーブルポート及び上記ダウンリンクＣＰＲＩポートを介して、上記アドレス指定要求メッセージを転送した後、上記受信ユニットは更に、上記ダウンリンクＣＰＲＩポート又は上記電力ケーブルポートを介して、アドレス指定応答メッセージを受信するよう構成されており、
上記送信ユニットは更に、アップリンクＣＰＲＩポートを介して、上記アドレス指定応答メッセージを転送するよう構成されている、
項目１５又は１６に記載のＲＥ。
［項目１９］
メモリ、プロセッサ、及び送受信機を備える無線機器コントローラＲＥＣであって、上記メモリはプログラムコードを格納し、上記プロセッサは、上記メモリ内の上記プログラムコードを呼び出して、
第１の無線機器ＲＥと通信するために上記ＲＥＣによって使用される主回線に障害があると決定する処理、
上記第１のＲＥと通信するために上記ＲＥＣによって使用される予備回線を決定する処理、及び、
上記予備回線を使用することによって、上記第１のＲＥと、上記送受信機を制御することによって通信する処理を実行する、ＲＥＣ。
［項目２０］
上記主回線は、共通公衆無線インタフェースＣＰＲＩ通信回線であり、上記予備回線は、電力ケーブル線である、又は、電力ケーブルに加えてＣＰＲＩ通信回線である、項目１９に記載のＲＥＣ。
［項目２１］
上記プロセッサは、上記メモリ内の上記プログラムコードを呼び出して、具体的に、
全ての制御されたＲＥに固有のアドレス指定要求メッセージを、ＣＰＲＩポートを介して、又は、電力ケーブルポート及びＣＰＲＩポートを介して送信するよう上記送受信機を制御する処理、
上記第１のＲＥを含む少なくとも１つのＲＥからアドレス指定応答メッセージを受信するよう上記送受信機を制御する処理、
上記第１のＲＥからの少なくとも１つのアドレス指定応答メッセージの経路が上記主回線を含まない場合、上記第１のＲＥと通信するために使用される上記主回線に障害があると決定する処理、及び
上記第１のＲＥからの上記少なくとも１つのアドレス指定応答メッセージの上記経路が上記主回線を含まない場合、上記第１のＲＥと通信するために使用される上記予備回線を上記少なくとも１つのアドレス指定応答メッセージの上記経路に従って決定する処理を実行する、項目２０に記載のＲＥＣ。
［項目２２］
上記プロセッサは、上記メモリ内の上記プログラムコードを呼び出して、具体的に、
上記ＲＥＣと同じ電力ケーブル網に属するＲＥが全ての上記ＲＥの中に存在する場合、全ての上記ＲＥに固有の上記アドレス指定要求メッセージを、上記ＣＰＲＩポート及び上記電力ケーブルポートを介して送信するよう上記送受信機を制御する処理、又は、
上記ＲＥＣと同じ電力ケーブル網に属するＲＥが、全ての上記ＲＥの中に存在しない場合、全ての上記ＲＥに固有の上記アドレス指定要求メッセージを、上記ＣＰＲＩポートを介して、又は、上記ＣＰＲＩポート及び上記電力ケーブルポートを介して送信するよう上記送受信機を制御する処理を実行する、項目２１に記載のＲＥＣ。
［項目２３］
上記プロセッサは、上記メモリ内の上記プログラムコードを呼び出して、具体的に、
上記第１のＲＥから初回に受信されたアドレス指定応答メッセージの経路が、上記第１のＲＥと通信するために使用される上記予備回線であると決定する処理を実行する、項目２１又は２２に記載のＲＥＣ。
［項目２４］
上記プロセッサは、上記メモリ内の上記プログラムコードを呼び出して、具体的に、
上記第１のＲＥと通信するために使用される上記主回線に障害があると決定された後、上記第１のＲＥに固有のアドレス指定要求メッセージを、電力ケーブルポート及びＣＰＲＩポートの少なくとも１つを介して送信するよう上記送受信機を制御する処理、
上記第１のＲＥから少なくとも１つのアドレス指定応答メッセージを受信するよう上記送受信機を制御する処理、及び、
上記第１のＲＥと通信するために使用される上記予備回線を上記少なくとも１つのアドレス指定応答メッセージの経路に従って決定する処理を実行する、項目２０に記載のＲＥＣ。
［項目２５］
上記プロセッサは、上記メモリ内の上記プログラムコードを呼び出して、具体的に、
上記ＲＥＣと上記第１のＲＥとが同じ電力ケーブル網に属する場合、上記第１のＲＥに固有の上記アドレス指定要求メッセージを、上記電力ケーブルポートを介して、又は、上記ＣＰＲＩポート及び上記電力ケーブルポートを介して送信するよう上記送受信機を制御する処理、又は、
上記ＲＥＣと上記第１のＲＥとが同じ電力ケーブル網に属さない場合、上記第１のＲＥに固有の上記アドレス指定要求メッセージを、上記ＣＰＲＩポートを介して、又は、上記ＣＰＲＩポート及び上記電力ケーブルポートを介して送信するよう上記送受信機を制御する処理を実行する、項目２４に記載のＲＥＣ。
［項目２６］
上記プロセッサは、上記メモリ内の上記プログラムコードを呼び出して、具体的に、
上記第１のＲＥから初回に受信されたアドレス指定応答メッセージの経路が、上記第１のＲＥと通信するために使用される上記予備回線であると決定する処理を実行する、項目２４又は２５に記載のＲＥＣ。
［項目２７］
上記プロセッサは、上記メモリ内の上記プログラムコードを呼び出して、具体的に、
上記ＲＥＣによって使用される上記主回線を復旧して上記第１のＲＥと通信すべく、上記予備回線を使用することによって、上記第１のＲＥをリセット又はアップグレードする処理を実行する、項目１９から２６の何れか一項に記載のＲＥＣ。
［項目２８］
メモリ、プロセッサ、及び送受信機を備える無線機器ＲＥであって、上記メモリはプログラムコードを格納し、上記プロセッサは、上記メモリ内の上記プログラムコードを呼び出して、
無線機器コントローラＲＥＣによって送信されたアドレス指定要求メッセージを、アップリンクＣＰＲＩポート又は電力ケーブルポートである第１のポートを介して受信するよう上記送受信機を制御する処理、
上記アドレス指定要求メッセージがそれに対して固有である対象が上記ＲＥを含むと、上記アドレス指定要求メッセージに従って決定する処理、及び、
上記第１のポートを介して、第１のアドレス指定応答メッセージを上記ＲＥＣに送信するよう上記送受信機を制御する処理を実行する、ＲＥ。
［項目２９］
上記プロセッサは、上記メモリ内の上記プログラムコードを呼び出して、更に、
上記アドレス指定要求メッセージがそれに対して固有である上記対象が更に別のＲＥを含むと、上記アドレス指定要求メッセージに従って決定する処理、及び、
上記第１のポートが、アップリンク共通公衆無線インタフェースＣＰＲＩポートである場合、上記アドレス指定要求メッセージを、ダウンリンクＣＰＲＩポート及び電力ケーブルポートを介して転送するよう上記送受信機を制御する処理を実行する
項目２８に記載のＲＥ。
［項目３０］
上記アドレス指定要求メッセージを、上記ダウンリンクＣＰＲＩポート及び上記電力ケーブルポートを介して転送するよう上記送受信機が制御される前に、上記プロセッサは、上記メモリ内の上記プログラムコードを呼び出して、更に、
上記ＲＥにおける転送経路についての情報を上記アドレス指定要求メッセージに追加する処理を実行し、
上記アドレス指定要求メッセージを、上記ダウンリンクＣＰＲＩポート及び上記電力ケーブルポートを介して転送するよう上記送受信機が制御された後、上記プロセッサは、上記メモリ内の上記プログラムコードを呼び出して、更に、
上記ＲＥにおける上記転送経路のメッセージを保持する第２のアドレス指定応答メッセージを、上記ダウンリンクＣＰＲＩポートを介して、又は、上記電力ケーブルポートを介して受信するよう上記送受信機を制御する処理、及び、上記ＲＥにおける上記転送経路についての上記情報に従って、上記第２のアドレス指定応答メッセージを転送する処理を実行する、
項目２９に記載のＲＥ。
［項目３１］
上記プロセッサは、上記メモリ内の上記プログラムコードを呼び出して、更に、
第２のアドレス指定応答メッセージを、上記ダウンリンクＣＰＲＩポート又は上記電力ケーブルポートを介して受信するよう上記送受信機を制御する処理、及び、
上記第２のアドレス指定応答メッセージを、アップリンクＣＰＲＩポートを介して転送するよう上記送受信機を制御する処理を実行する、項目２９に記載のＲＥ。
［項目３２］
上記アドレス指定要求メッセージは、上記ＲＥＣから上記ＲＥへの転送経路についての情報を保持し、
上記第１のアドレス指定応答メッセージを上記第１のポートを介して上記ＲＥＣに送信するよう上記送受信機が制御される前に、上記プロセッサは、上記メモリ内の上記プログラムコードを呼び出して、更に、
上記アドレス指定要求メッセージの逆経路に従って、上記第１のアドレス指定応答メッセージが上記ＲＥＣに返されるよう、上記ＲＥＣから上記ＲＥへの上記転送経路についての上記情報を、上記第１のアドレス指定応答メッセージに追加する処理を実行する、項目２８から３１の何れか一項に記載のＲＥ。
［項目３３］
メモリ、プロセッサ、及び送受信機を備える無線機器ＲＥであって、上記メモリはプログラムコードを格納し、上記プロセッサは、上記メモリ内の上記プログラムコードを呼び出して、
無線機器コントローラＲＥＣによって送信されたアドレス指定要求メッセージを、第１のポートを介して受信するよう上記送受信機を制御する処理、
上記アドレス指定要求メッセージがそれに対して固有である対象が上記ＲＥを含まないと、上記アドレス指定要求メッセージに従って決定する処理、及び、
上記第１のポートが、アップリンク共通公衆無線インタフェースＣＰＲＩポートである場合、上記アドレス指定要求メッセージを、電力ケーブルポート及びダウンリンクＣＰＲＩポートを介して転送するよう上記送受信機を制御する処理を実行する、ＲＥ。
［項目３４］
上記プロセッサは、上記メモリ内の上記プログラムコードを呼び出して、更に、
上記第１のポートが電力ケーブルポートである場合、上記アドレス指定要求メッセージを破棄する処理を実行する、項目３３に記載のＲＥ。
［項目３５］
上記アドレス指定要求メッセージを、上記電力ケーブルポート及び上記ダウンリンクＣＰＲＩポートを介して転送するよう上記送受信機が制御される前に、上記プロセッサは、上記メモリ内の上記プログラムコードを呼び出して、更に、
上記ＲＥにおける転送経路についての情報を上記アドレス指定要求メッセージに追加する処理を実行し、
上記アドレス指定要求メッセージを、上記電力ケーブルポート及び上記ダウンリンクＣＰＲＩポートを介して転送するよう上記送受信機が制御された後、上記プロセッサは、上記メモリ内の上記プログラムコードを呼び出して、更に、
上記ＲＥにおける上記転送経路についての上記情報を保持するアドレス指定応答メッセージを、上記ダウンリンクＣＰＲＩポート又は上記電力ケーブルポートを介して受信するよう上記送受信機を制御する処理、及び、
上記ＲＥにおける上記転送経路についての上記情報に従って、上記アドレス指定応答メッセージを転送する処理を実行する、項目３３又は３４に記載のＲＥ。
［項目３６］
上記アドレス指定要求メッセージを、上記電力ケーブルポート及び上記ダウンリンクＣＰＲＩポートを介して転送するよう上記送受信機が制御される前に、上記プロセッサは、上記メモリ内の上記プログラムコードを呼び出して、更に、
アドレス指定応答メッセージを、上記ダウンリンクＣＰＲＩポート又は上記電力ケーブルポートを介して受信するよう上記送受信機を制御する処理、及び、
上記アドレス指定応答メッセージを、アップリンクＣＰＲＩポートを介して転送するよう上記送受信機を制御する処理を実行する、項目３３又は３４に記載のＲＥ。
［項目３７］
無線機器コントローラＲＥＣ及び少なくとも１つの無線機器ＲＥを備える基地局であって、上記ＲＥＣは、主回線を使用することによって、上記少なくとも１つのＲＥにおける各ＲＥと通信し、
上記少なくとも１つのＲＥにおける任意のＲＥと通信するために上記ＲＥＣによって使用される主回線に障害がある場合、上記ＲＥＣは、その主回線に障害がある上記任意のＲＥと通信するために使用される予備回線を決定し、
上記ＲＥＣは、上記予備回線を使用することによって、その主回線に障害がある上記任意のＲＥと通信する、基地局。
［項目３８］
上記主回線は、共通公衆無線インタフェースＣＰＲＩ通信回線であり、上記予備回線は、電力ケーブル線である、又は、電力ケーブルに加えてＣＰＲＩ通信回線である、項目３７に記載の基地局。
［項目３９］
上記ＲＥＣは、ＣＰＲＩポートを介して、又は、電力ケーブルポート及びＣＰＲＩポートを介して、全ての制御されたＲＥに固有のアドレス指定要求メッセージを送信し、
各ＲＥは、アップリンクＣＰＲＩポート又は電力ケーブルポートである第１のポートを介して上記アドレス指定要求メッセージを受信した後、上記第１のポートを介してアドレス指定応答メッセージを送信し、
上記ＲＥＣは、各ＲＥによって送信された上記アドレス指定応答メッセージの経路が上記主回線を含むかどうかに従って、その主回線に障害がある上記ＲＥを決定し、
上記ＲＥＣは、その主回線に障害がある上記ＲＥと通信するために使用される上記予備回線を、その主回線に障害がある上記ＲＥによって送信された少なくとも１つのアドレス指定応答メッセージの経路に従って決定する、項目３８に記載の基地局。
［項目４０］
各ＲＥが、上記アドレス指定要求メッセージを受信した後で、かつ、上記第１のポートがアップリンクＣＰＲＩポートである場合、各ＲＥは、ダウンリンクＣＰＲＩポート及び電力ケーブルポートを介して、上記アドレス指定要求メッセージを転送する、項目３９に記載の基地局。
［項目４１］
上記ＲＥＣにおける各ＲＥが、別のＲＥによって送信されたアドレス指定応答メッセージを、上記ダウンリンクＣＰＲＩポートを介して、又は、上記電力ケーブルポートを介して受信した場合、上記ＲＥＣにおける各ＲＥは、上記別のＲＥによって送信された上記アドレス指定応答メッセージを、アップリンクＣＰＲＩポートを介して転送する、項目４０に記載の基地局。
［項目４２］
各ＲＥが、上記ダウンリンクＣＰＲＩポート及び上記電力ケーブルポートを介して、上記アドレス指定要求メッセージを転送する場合、上記アドレス指定要求メッセージに対応するアドレス指定応答メッセージが、上記アドレス指定要求メッセージの逆経路に従って上記ＲＥＣに返されるように、各ＲＥは、転送経路についての情報を上記アドレス指定要求メッセージに追加する、項目４０に記載の基地局。
［項目４３］
ＣＰＲＩポートを介した、又は、電力ケーブルポート及びＣＰＲＩポートを介した、全ての制御されたＲＥに固有のアドレス指定要求メッセージの上記ＲＥＣによる上記送信は、上記ＲＥＣと同じ電力ケーブル網に属するＲＥが全ての上記ＲＥの中に存在する場合、上記ＣＰＲＩポート及び上記電力ケーブルポートを介して、全ての上記ＲＥに固有の上記アドレス指定要求メッセージを上記ＲＥＣによって送信すること、又は、
上記ＲＥＣと同じ電力ケーブル網に属するＲＥが全ての上記ＲＥの中に存在しない場合、上記ＣＰＲＩポートを介して、又は、上記ＣＰＲＩポート及び上記電力ケーブルポートを介して、全ての上記ＲＥに固有の上記アドレス指定要求メッセージを上記ＲＥＣによって送信することを含む、項目３９から４２の何れか一項に記載の基地局。
［項目４４］
その主回線に障害がある上記ＲＥと通信するために使用される上記予備回線の、その主回線に障害がある上記ＲＥによって送信された少なくとも１つのアドレス指定応答メッセージの経路に従った上記ＲＥＣによる上記決定は、
その主回線に障害がある上記ＲＥから初回に受信されたアドレス指定応答メッセージの経路が、その主回線に障害がある上記ＲＥと通信するために使用される上記予備回線であると、上記ＲＥＣによって決定することを含む、項目３９から４３の何れか一項に記載の基地局。
［項目４５］
上記第１のＲＥと通信するために使用される上記主回線に障害があると上記ＲＥＣが決定した場合、上記ＲＥＣは、電力ケーブルポート及びＣＰＲＩポートの少なくとも１つを介して、上記第１のＲＥに固有のアドレス指定要求メッセージを送信し、
上記第１のＲＥは、アップリンクＣＰＲＩポート又は電力ケーブルポートである第１のポートを介して上記アドレス指定要求メッセージを受信し、上記第１のポートを介してアドレス指定応答メッセージを送信し、
上記ＲＥＣは、上記第１のＲＥと通信するために使用される上記予備回線を、上記第１のＲＥによって送信された少なくとも１つのアドレス指定応答メッセージの経路に従って決定する、項目３８に記載の基地局。
［項目４６］
上記第１のＲＥが、上記第１のポートを介して、上記アドレス指定要求メッセージを受信する前に、かつ、上記第１のＲＥの上流のＲＥが、アップリンクＣＰＲＩポートを介して、上記アドレス指定要求メッセージを受信した場合、上記第１のＲＥの上記上流のＲＥは、上記ダウンリンクＣＰＲＩポート及び上記電力ケーブルポートを介して、上記アドレス指定要求メッセージを転送する、項目４５に記載の基地局。
［項目４７］
上記第１のＲＥの上記上流のＲＥが、上記ダウンリンクＣＰＲＩポート及び上記電力ケーブルポートを介して上記アドレス指定要求メッセージを転送する前に、上記第１のＲＥの上記上流のＲＥは、上記上流のＲＥにおける転送経路のメッセージを上記アドレス指定要求メッセージに追加し、
上記第１のＲＥが、上記第１のポートを介して、上記アドレス指定応答メッセージを送信する前に、上記第１のＲＥは、上記転送経路の上記メッセージを上記アドレス指定応答メッセージに追加し、
上記第１のＲＥの上記上流のＲＥが、上記アドレス指定応答メッセージを受信した後、対応する上記アドレス指定要求メッセージの逆経路に従って、上記アドレス指定応答メッセージが上記ＲＥＣに返されるように、上記第１のＲＥの上記上流のＲＥは、上記アドレス指定応答メッセージ内の上記転送経路の上記メッセージに従って、上記アドレス指定応答メッセージを転送する、項目４６に記載の基地局。
［項目４８］
上記第１のＲＥの上記上流のＲＥは、上記ダウンリンクＣＰＲＩポート又は上記電力ケーブルポートを介して、上記アドレス指定応答メッセージを受信し、上記アップリンクＣＰＲＩポートを介して上記アドレス指定応答メッセージを転送する、項目４５又は４６に記載の基地局。
［項目４９］
上記第１のＲＥの上記上流のＲＥは、上記電力ケーブルポートを介して上記アドレス指定要求メッセージを受信した場合、上記アドレス指定要求メッセージを破棄する、項目４５から４８の何れか一項
に記載の基地局。
［項目５０］
電力ケーブルポート及びＣＰＲＩポートの少なくとも１つを介した上記第１のＲＥに固有のアドレス指定要求メッセージの上記ＲＥＣによる上記送信は、
上記ＲＥＣと上記第１のＲＥとが同じ電力ケーブル網に属する場合、上記電力ケーブルポートを介して、又は、上記ＣＰＲＩポート及び上記電力ケーブルポートを介して、上記第１のＲＥに固有の上記アドレス指定要求メッセージを上記ＲＥＣによって送信すること、又は、
上記ＲＥＣと上記第１のＲＥとが同じ電力ケーブル網に属さない場合、上記ＣＰＲＩポートを介して、又は、上記ＣＰＲＩポート及び上記電力ケーブルポートを介して、上記第１のＲＥに固有の上記アドレス指定要求メッセージを上記ＲＥＣによって送信することを含む、項目４５から４９の何れか一項に記載の基地局。
［項目５１］
上記予備回線を使用することによる、その主回線に障害がある上記任意のＲＥとの上記ＲＥＣによる上記通信は、その主回線に障害がある上記任意のＲＥの上記主回線を復旧すべく、その主回線に障害がある上記任意のＲＥを、上記予備回線を通じて上記ＲＥＣによってリセット又はアップグレードすることを含む、項目３７から５０の何れか一項に記載の基地局。
［項目５２］
情報送信方法であって、
第１の無線機器ＲＥと通信するために使用される主回線に障害があると、無線機器コントローラＲＥＣによって決定する段階と、
上記第１のＲＥと通信するために使用される予備回線を、上記ＲＥＣによって決定する段階と、
上記予備回線を使用することによって、上記第１のＲＥと、上記ＲＥＣによって通信する段階と、
を備える方法。
［項目５３］
上記主回線は、共通公衆無線インタフェースＣＰＲＩ通信回線であり、上記予備回線は、電力ケーブル線である、又は、電力ケーブルに加えてＣＰＲＩ通信回線である、項目５２に記載の方法。
［項目５４］
第１のＲＥと通信するために使用される主回線に障害があると、ＲＥＣによって決定する上記段階は、ＣＰＲＩポートを介して、又は、電力ケーブルポート及びＣＰＲＩポートを介して、全ての制御されたＲＥに固有のアドレス指定要求メッセージを上記ＲＥＣによって送信する段階と、上記第１のＲＥを含む少なくとも１つのＲＥからアドレス指定応答メッセージを上記ＲＥＣによって受信する段階と、上記第１のＲＥからの少なくとも１つのアドレス指定応答メッセージの経路が上記主回線を含まない場合、上記第１のＲＥと通信するために使用される上記主回線に障害があると、上記ＲＥＣによって決定する段階とを含み、
上記第１のＲＥと通信するために使用される予備回線を上記ＲＥＣによって決定する上記段階は、上記第１のＲＥからの上記少なくとも１つのアドレス指定応答メッセージの上記経路が上記主回線を含まない場合、上記第１のＲＥと通信するために使用される上記予備回線を上記少なくとも１つのアドレス指定応答メッセージの上記経路に従って上記ＲＥＣによって決定する段階を含む、
項目５３に記載の方法。
［項目５５］
ＣＰＲＩポートを介して、又は、電力ケーブルポート及びＣＰＲＩポートを介して、全ての制御されたＲＥに固有のアドレス指定要求メッセージを上記ＲＥＣによって送信する上記段階は、
上記ＲＥＣと同じ電力ケーブル網に属するＲＥが全ての上記ＲＥの中に存在する場合、上記ＣＰＲＩポート及び上記電力ケーブルポートを介して、全ての上記ＲＥに固有の上記アドレス指定要求メッセージを上記ＲＥＣによって送信する段階、又は、
上記ＲＥＣと同じ電力ケーブル網に属するＲＥが全ての上記ＲＥの中に存在しない場合、上記ＣＰＲＩポートを介して、又は、上記ＣＰＲＩポート及び上記電力ケーブルポートを介して、全ての上記ＲＥに固有の上記アドレス指定要求メッセージを上記ＲＥＣによって送信する段階を含む、項目５４に記載の方法。
［項目５６］
上記第１のＲＥと通信するために使用される予備回線を、上記ＲＥＣによって決定する上記段階は、
上記第１のＲＥから初回に受信されたアドレス指定応答メッセージの経路が、上記第１のＲＥと通信するために使用された上記予備回線であると、上記ＲＥＣによって決定する段階を含む、項目５４又は５５に記載の方法。
［項目５７］
上記第１のＲＥと通信するために使用される予備回線を、上記ＲＥＣによって決定する上記段階は、
上記第１のＲＥと通信するために使用される上記主回線に障害があると上記ＲＥＣが決定した後、電力ケーブルポート及びＣＰＲＩポートの少なくとも１つを介して、上記第１のＲＥに固有のアドレス指定要求メッセージを上記ＲＥＣによって送信する段階と、
上記第１のＲＥから少なくとも１つのアドレス指定応答メッセージを上記ＲＥＣによって受信する段階と、
上記第１のＲＥと通信するために使用される上記予備回線を上記少なくとも１つのアドレス指定応答メッセージの経路に従って上記ＲＥＣによって決定する段階とを含む、項目５３に記載の方法。
［項目５８］
電力ケーブルポート及びＣＰＲＩポートの少なくとも１つを介して、上記第１のＲＥに固有のアドレス指定要求メッセージを上記ＲＥＣによって送信する上記段階は、
上記ＲＥＣと上記第１のＲＥとが同じ電力ケーブル網に属する場合、上記電力ケーブルポートを介して、又は、上記ＣＰＲＩポート及び上記電力ケーブルポートを介して、上記第１のＲＥに固有の上記アドレス指定要求メッセージを上記ＲＥＣによって送信する段階、又は、
上記ＲＥＣと上記第１のＲＥとが同じ電力ケーブル網に属さない場合、上記ＣＰＲＩポートを介して、又は、上記ＣＰＲＩポート及び上記電力ケーブルポートを介して、上記第１のＲＥに固有の上記アドレス指定要求メッセージを上記ＲＥＣによって送信する段階を含む、項目５７に記載の方法。
［項目５９］
上記第１のＲＥと通信するために使用される予備回線を、上記ＲＥＣによって決定する上記段階は、
上記第１のＲＥから初回に受信されたアドレス指定応答メッセージの経路が、上記第１のＲＥと通信するために使用される上記予備回線であると、上記ＲＥＣによって決定する段階を含む、項目５７又は５８に記載の方法。
［項目６０］
上記予備回線を使用することによって、上記ＲＥＣによって、上記第１のＲＥと通信する上記段階は、
上記ＲＥＣによって使用される上記主回線を復旧して上記第１のＲＥと通信すべく、上記予備回線を使用することによって、上記第１のＲＥを上記ＲＥＣによってリセット又はアップグレードする段階を含む、項目５２から５９の何れか一項に記載の方法。
［項目６１］
無線機器コントローラＲＥＣによって送信されたアドレス指定要求メッセージを、アップリンクＣＰＲＩポート又は電力ケーブルポートである第１のポートを介して第１の無線機器ＲＥによって受信する段階と、
上記アドレス指定要求メッセージがそれに対して固有である対象が上記第１のＲＥを含むと、上記アドレス指定要求メッセージに従って上記第１のＲＥによって決定する段階と、
上記第１のポートを介して、上記第１のＲＥによって、第１のアドレス指定応答メッセージを上記ＲＥＣに送信する段階と、
を備える情報送信方法。
［項目６２］
上記アドレス指定要求メッセージがそれに対して固有である上記対象が更に別のＲＥを含むと、上記アドレス指定要求メッセージに従って上記第１のＲＥによって決定する段階と、
上記第１のポートが、アップリンク共通公衆無線インタフェースＣＰＲＩポートである場合、ダウンリンクＣＰＲＩポート及び電力ケーブルポートを介して、上記アドレス指定要求メッセージを上記第１のＲＥによって転送する段階と、
を更に備える項目６１に記載の方法。
［項目６３］
ダウンリンクＣＰＲＩポート及び電力ケーブルポートを介して上記アドレス指定要求メッセージを転送する上記段階の前に、上記第１のＲＥにおける転送経路についての情報を上記アドレス指定要求メッセージに追加する段階を更に備え、
ダウンリンクＣＰＲＩポート及び電力ケーブルポートを介して、上記アドレス指定要求メッセージを転送する上記段階の後、上記ダウンリンクＣＰＲＩポートを介して、又は、上記電力ケーブルポートを介して、上記第１のＲＥにおける上記転送経路のメッセージを保持する第２のアドレス指定応答メッセージを上記第１のＲＥによって受信する段階と、上記第１のＲＥにおける上記転送経路についての上記情報に従って、上記第２のアドレス指定応答メッセージを転送する段階とを更に備える
項目６２に記載の方法。
［項目６４］
上記ダウンリンクＣＰＲＩポート又は上記電力ケーブルポートを介して、第２のアドレス指定応答メッセージを上記第１のＲＥによって受信する段階と、
アップリンクＣＰＲＩポートを介して、上記第２のアドレス指定応答メッセージを上記第１のＲＥによって転送する段階と、
を更に備える項目６２に記載の方法。
［項目６５］
上記アドレス指定要求メッセージは、上記ＲＥＣから上記第１のＲＥへの転送経路についての情報を保持し、
上記第１のポートを介して、第１のアドレス指定応答メッセージを上記ＲＥＣに送信する上記段階の前に、上記方法は更に、
上記アドレス指定要求メッセージの逆経路に従って、上記第１のアドレス指定応答メッセージが上記ＲＥＣに返されるように、上記ＲＥＣから上記第１のＲＥへの上記転送経路についての上記情報を上記第１のアドレス指定応答メッセージに上記第１のＲＥによって追加する段階を備える、項目６１から６４の何れか一項に記載の方法。
［項目６６］
無線機器コントローラＲＥＣによって送信されたアドレス指定要求メッセージを第１のポートを介して第２の無線機器ＲＥによって受信する段階と、
上記アドレス指定要求メッセージがそれに対して固有である対象が上記第２のＲＥを含まないと、上記アドレス指定要求メッセージに従って決定する段階と、
上記第１のポートが、アップリンク共通公衆無線インタフェースＣＰＲＩポートである場合、電力ケーブルポート及びダウンリンクＣＰＲＩポートを介して、上記アドレス指定要求メッセージを上記第２のＲＥによって転送する段階と、
を備える情報送信方法。
［項目６７］
上記第１のポートが電力ケーブルポートである場合、上記アドレス指定要求メッセージを上記第２のＲＥによって破棄する段階、
を更に備える項目６６に記載の方法。
［項目６８］
電力ケーブルポート及びダウンリンクＣＰＲＩポートを介して、上記アドレス指定要求メッセージを上記第２のＲＥによって転送する上記段階の前に、
上記第２のＲＥにおける転送経路についての情報を上記アドレス指定要求メッセージに追加する段階を更に備え、
電力ケーブルポート及びダウンリンクＣＰＲＩポートを介して、上記アドレス指定要求メッセージを上記第２のＲＥによって転送する上記段階の後、
上記ダウンリンクＣＰＲＩポート又は上記電力ケーブルポートを介して、上記第２のＲＥにおける上記転送経路についての上記情報を保持するアドレス指定応答メッセージを上記第２のＲＥによって受信する段階と、
上記第２のＲＥにおける上記転送経路についての上記情報に従って、上記アドレス指定応答メッセージを上記第２のＲＥによって転送する段階とを更に備える項目６６又は６７に記載の方法。
［項目６９］
電力ケーブルポート及びダウンリンクＣＰＲＩポートを介して、上記アドレス指定要求メッセージを上記第２のＲＥによって転送する上記段階の後、
上記ダウンリンクＣＰＲＩポート又は上記電力ケーブルポートを介して、アドレス指定応答メッセージを上記第２のＲＥによって受信する段階と、
上記アップリンクＣＰＲＩポートを介して、上記アドレス指定応答メッセージを上記第２のＲＥによって転送する段階とを更に備える項目６６又は６７に記載の方法。
【図１】
0006425290.tif 000002
【図２】
0006425290.tif 000003
【図３】
0006425290.tif 000004
【図４】
0006425290.tif 000005
【図５】
0006425290.tif 000006
【図６】
0006425290.tif 000007
【図７】
0006425290.tif 000008
【図８】
0006425290.tif 000009
【図９】
0006425290.tif 000010
【図１０】
0006425290.tif 000011
【図１１】
0006425290.tif 000012
【図１２】
0006425290.tif 000013
【図１３】
0006425290.tif 000014
【図１４】
0006425290.tif 000015
【図１５】
0006425290.tif 000016
【図１６】
0006425290.tif 000017